(57)【要約】【課題】より効果的に、よりユーザの嗜好に合わせて、コンテンツデータに画像変換処理を行う。【解決手段】リモートコントローラ２０は、ユーザ入力等に基づいてテレビジョン受信装置１０に制御信号やデータを供給する。テレビジョン受信装置１０は、リモートコントローラ２０より取得した情報に基づいて係数種データの生成に必要なパラメータを生成し、リモートコントローラ２０に供給する。リモートコントローラ２０は、係数種データ生成部２１において、取得したパラメータに基づいて係数種データを生成し、テレビジョン受信装置１０に供給する。テレビジョン受信装置１０は、その係数種データを用いて画像変換処理を行い、アンテナ１１を介して取得した画像信号より新たなコンテンツデータを生成し、その画像を表示する。本発明は、画像情報処理システムに適用することができる。【選択図】      図１
2004247991.tif 000002
【特許請求の範囲】
【請求項１】
第１のコンテンツデータを変換して、第２のコンテンツデータを創造する第１の情報処理装置と、
前記第１の情報処理装置と通信を行う第２の情報処理装置と
で構成される情報処理システムにおいて、
前記第１の情報処理装置は、
前記第２のコンテンツデータの創造における演算に用いられる係数を創造するのに必要な付加情報を生成する付加情報生成手段と、
前記付加情報生成手段により生成された前記付加情報を前記第２の情報処理装置に供給する付加情報供給手段と、
前記第２の情報処理装置より前記係数を取得する係数取得手段と、
前記係数取得手段により取得された前記係数を用いて演算を行い、前記第１のコンテンツデータを変換して、前記第２のコンテンツデータを創造するコンテンツデータ創造手段と
を備え、
前記第２の情報処理装置は、
前記第１の情報処理装置より前記付加情報を取得する付加情報取得手段と、
前記付加情報取得手段により取得された前記付加情報を用いて、前記係数を創造する係数創造手段と、
前記係数創造手段により創造された前記係数を前記第１の情報処理装置に供給する係数供給手段と
を備えることを特徴とする情報処理システム。
【請求項２】
第１のコンテンツデータを変換して、第２のコンテンツデータを創造する情報処理装置であって、
前記第２のコンテンツデータの創造における演算に用いられる係数を創造するのに必要な付加情報を生成する付加情報生成手段と、
前記付加情報生成手段により生成された前記付加情報を他の情報処理装置に供給する付加情報供給手段と、
前記付加情報供給手段により供給された前記付加情報に基づいて、前記他の情報処理装置により生成された前記係数を取得する係数取得手段と、
前記係数取得手段により取得された前記係数を用いて演算を行い、前記第１のコンテンツデータを変換して、前記第２のコンテンツデータを創造するコンテンツデータ創造手段と
を備えることを特徴とする情報処理装置。
【請求項３】
前記コンテンツデータ創造手段により創造された前記第２のコンテンツデータの表示を制御する表示制御手段をさらに備える
ことを特徴とする請求項２に記載の情報処理装置。
【請求項４】
前記付加情報は、前記ユーザが過去に視聴した第２のコンテンツデータの画質の嗜好に関する情報を含む
ことを特徴とする請求項２に記載の情報処理装置。
【請求項５】
前記付加情報は、ユーザが過去に視聴した第２のコンテンツデータに対する前記ユーザの編集操作の嗜好に関する情報を含む
ことを特徴とする請求項２に記載の情報処理装置。
【請求項６】
前記付加情報は、画像の空間解像度に関する情報を含む
ことを特徴とする請求項２に記載の情報処理装置。
【請求項７】
前記付加情報は、画像の時間解像度に関する情報を含む
ことを特徴とする請求項２に記載の情報処理装置。
【請求項８】
前記付加情報は、画像のシャープネスに関する情報を含む
ことを特徴とする請求項２に記載の情報処理装置。
【請求項９】
前記付加情報は、画像の画面の明るさに関する情報を含む
ことを特徴とする請求項２に記載の情報処理装置。
【請求項１０】
前記付加情報は、画像のコントラストに関する情報を含む
ことを特徴とする請求項２に記載の情報処理装置。
【請求項１１】
前記付加情報は、画素の位相変化に関する情報を含む
ことを特徴とする請求項２に記載の情報処理装置。
【請求項１２】
前記付加情報は、画像の表示速度に関する情報を含む
ことを特徴とする請求項２に記載の情報処理装置。
【請求項１３】
前記他の情報処理装置より制御情報を取得する制御情報取得手段をさらに備え、
前記付加情報生成手段は、前記制御情報取得手段により取得された前記制御情報に基づいて、前記付加情報を生成する
ことを特徴とする請求項２に記載の情報処理装置。
【請求項１４】
前記制御情報は、前記ユーザの操作内容に関する情報を含む
ことを特徴とする請求項１３に記載の情報処理装置。
【請求項１５】
複数の前記他の情報処理装置の優先順位に関する情報である優先順位テーブルを記憶するテーブル記憶手段と、
前記コンテンツデータ創造手段による演算に用いる前記係数を決定する係数決定手段と
をさらに備え、
前記係数取得手段は、前記他の情報処理装置より前記係数とともに、前記他の情報処理を識別するＩＤ情報を取得し、
前記係数決定手段は、前記係数取得手段により取得された前記ＩＤ情報、および前記テーブル記憶手段により記憶されている前記優先順位テーブルに基づいて、前記コンテンツデータ創造手段による演算に用いる前記係数を決定し、
前記コンテンツデータ創造手段は、前記係数決定手段により決定された前記係数を用いて演算を行い、前記第１のコンテンツデータを変換して、前記第２のコンテンツデータを創造する
ことを特徴とする請求項２に記載の情報処理装置。
【請求項１６】
第１のコンテンツデータを変換して、第２のコンテンツデータを創造する情報処理装置の情報処理方法であって、
前記第２のコンテンツデータの創造における演算に用いられる係数を創造するのに必要な付加情報を生成する付加情報生成ステップと、
前記付加情報生成ステップの処理により生成された前記付加情報を他の情報処理装置に供給する付加情報供給ステップと、
前記付加情報供給ステップの処理により供給された前記付加情報に基づいて、前記他の情報処理装置により生成された前記係数を取得する係数取得ステップと、
前記係数取得ステップの処理により取得された前記係数を用いて演算を行い、前記第１のコンテンツデータを変換して、前記第２のコンテンツデータを創造するコンテンツデータ創造ステップと
を含むことを特徴とする情報処理方法。
【請求項１７】
第１のコンテンツデータを変換して、第２のコンテンツデータを創造する処理を、コンピュータに行わせるプログラムであって、
前記第２のコンテンツデータの創造における演算に用いられる係数を創造するのに必要な付加情報を生成する付加情報生成ステップと、
前記付加情報生成ステップの処理により生成された前記付加情報を他の情報処理装置に供給する付加情報供給ステップと、
前記付加情報供給ステップの処理により供給された前記付加情報に基づいて、前記他の情報処理装置により生成された前記係数を取得する係数取得ステップと、
前記係数取得ステップの処理により取得された係数を用いて演算を行い、前記第１のコンテンツデータを変換して、前記第２のコンテンツデータを創造するコンテンツデータ創造ステップと
を含むことを特徴とするコンピュータが読み取り可能なプログラムが記録されていることを特徴とする記録媒体。
【請求項１８】
第１のコンテンツデータを変換して、第２のコンテンツデータを創造する処理を、コンピュータに行わせるプログラムにおいて、
前記第２のコンテンツデータの創造における演算に用いられる係数を創造するのに必要な付加情報を生成する付加情報生成ステップと、
前記付加情報生成ステップの処理により生成された前記付加情報を他の情報処理装置に供給する付加情報供給ステップと、
前記付加情報供給ステップの処理により供給された前記付加情報に基づいて、前記他の情報処理装置により生成された前記係数を取得する係数取得ステップと、
前記係数取得ステップの処理により取得された前記係数を用いて演算を行い、前記第１のコンテンツデータを変換して、前記第２のコンテンツデータを創造するコンテンツデータ創造ステップと
を含む処理をコンピュータに実行させることを特徴とするプログラム。
【請求項１９】
第１のコンテンツデータを変換して、第２のコンテンツデータを創造する他の情報処理装置と通信を行う情報処理装置であって、
前記他の情報処理装置より、前記第２のコンテンツデータの創造における演算に用いられる係数を創造するのに必要な付加情報を取得する付加情報取得手段と、
前記付加情報取得手段により取得された前記付加情報を用いて、前記係数を創造する係数創造手段と、
前記係数創造手段により創造された前記係数を前記他の情報処理装置に供給する係数供給手段と
を備えることを特徴とする情報処理装置。
【請求項２０】
ユーザの入力を受け付ける入力受け付け手段をさらに備える
ことを特徴とする請求項１９に記載の情報処理装置。
【請求項２１】
前記入力受け付け手段により受け付けられた前記ユーザの入力に基づいて、前記付加情報の生成を指示する制御情報を前記他の情報処理装置に供給する制御情報供給手段をさらに備える
ことを特徴とする請求項２０に記載の情報処理装置。
【請求項２２】
前記付加情報は、前記ユーザが過去に視聴した第２のコンテンツデータの画質の嗜好に関する情報を含む
ことを特徴とする請求項１９に記載の情報処理装置。
【請求項２３】
前記付加情報は、ユーザが過去に視聴した第２のコンテンツデータに対する前記ユーザの編集操作の嗜好に関する情報を含む
ことを特徴とする請求項１９に記載の情報処理装置。
【請求項２４】
前記付加情報は、画像の空間解像度に関する情報を含む
ことを特徴とする請求項１９に記載の情報処理装置。
【請求項２５】
前記付加情報は、画像の時間解像度に関する情報を含む
ことを特徴とする請求項１９に記載の情報処理装置。
【請求項２６】
前記付加情報は、画像のシャープネスに関する情報を含む
ことを特徴とする請求項１９に記載の情報処理装置。
【請求項２７】
前記付加情報は、画像の画面の明るさに関する情報を含む
ことを特徴とする請求項１９に記載の情報処理装置。
【請求項２８】
前記付加情報は、画像のコントラストに関する情報を含む
ことを特徴とする請求項１９に記載の情報処理装置。
【請求項２９】
前記付加情報は、画素の位相変化に関する情報を含む
ことを特徴とする請求項１９に記載の情報処理装置。
【請求項３０】
前記付加情報は、画像の表示速度に関する情報を含む
ことを特徴とする請求項１９に記載の情報処理装置。
【請求項３１】
複数の前記係数を用いて、前記係数供給手段により供給する前記係数を算出する係数算出手段をさらに備え、
前記係数創造手段は、複数種類の前記付加情報を用いて、互いに異なる前記付加情報に対応する複数の前記係数を創造し、
前記係数算出手段は、前記係数創造手段により創造された複数の前記係数を用いて、前記係数供給手段により供給する前記係数を算出し、
前記係数供給手段は、前記係数算出手段により算出された前記係数を前記他の情報処理装置に供給する
ことを特徴とする請求項１９に記載の情報処理装置。
【請求項３２】
前記他の情報処理装置より前記第１のコンテンツデータを取得するコンテンツデータ取得手段と、
前記係数創造手段により創造された前記係数を用いて演算を行い、前記コンテンツデータ取得手段により取得された前記第１のコンテンツデータを変換して、前記第２のコンテンツデータを創造するコンテンツデータ創造手段と
を備えることを特徴とする請求項１９に記載の情報処理装置。
【請求項３３】
前記コンテンツデータ創造手段により創造された前記第２のコンテンツデータの表示を制御する表示制御手段をさらに備える
ことを特徴とする請求項３２に記載の情報処理装置。
【請求項３４】
前記コンテンツデータ創造手段により創造された前記第２のコンテンツデータを前記他の情報処理装置に供給するコンテンツデータ供給手段をさらに備える
ことを特徴とする請求項３２に記載の情報処理装置。
【請求項３５】
前記情報処理装置を識別するＩＤ情報を記憶するＩＤ情報記憶手段をさらに備え、
前記係数供給手段は、前記係数創造手段により創造された前記係数とともに、前記ＩＤ情報記憶手段により記憶されている前記ＩＤ情報を前記他の情報処理装置に供給する
ことを特徴とする請求項１９に記載の情報処理装置。
【請求項３６】
第１のコンテンツデータを変換して、第２のコンテンツデータを創造する他の情報処理装置と通信を行う情報処理装置の情報処理方法であって、
前記他の情報処理装置より、前記第２のコンテンツデータの創造における演算に用いられる係数を創造するのに必要な付加情報を取得する付加情報取得ステップと、
前記付加情報取得ステップの処理により取得された前記付加情報を用いて、前記係数を創造する係数創造ステップと、
前記係数創造ステップの処理により創造された前記係数を前記他の情報処理装置に供給する係数供給ステップと
を含むことを特徴とする情報処理方法。
【請求項３７】
第１のコンテンツデータを変換して、第２のコンテンツデータを創造する他の情報処理装置と通信を行う処理を、コンピュータに行わせるプログラムであって、
前記他の情報処理装置より、前記第２のコンテンツデータの創造における演算に用いられる係数を創造するのに必要な付加情報を取得する付加情報取得ステップと、
前記付加情報取得ステップの処理により取得された前記付加情報を用いて、前記係数を創造する係数創造ステップと、
前記係数創造ステップの処理により創造された前記係数を前記他の情報処理装置に供給する係数供給ステップと
を含むことを特徴とするコンピュータが読み取り可能なプログラムが記録されていることを特徴とする記録媒体。
【請求項３８】
第１のコンテンツデータを変換して、第２のコンテンツデータを創造する他の情報処理装置と通信を行う処理を、コンピュータに行わせるプログラムにおいて、
前記他の情報処理装置より、前記第２のコンテンツデータの創造における演算に用いられる係数を創造するのに必要な付加情報を取得する付加情報取得ステップと、
前記付加情報取得ステップの処理により取得された前記付加情報を用いて、前記係数を創造する係数創造ステップと、
前記係数創造ステップの処理により創造された前記係数を前記他の情報処理装置に供給する係数供給ステップと
を含む処理をコンピュータに実行させることを特徴とするプログラム。
【請求項３９】
第１のコンテンツデータを変換して得られる第２のコンテンツデータの画像を表示する第１の情報処理装置と、
前記第１の情報処理装置と通信を行う第２の情報処理装置と
で構成される情報処理システムにおいて、
前記第１の情報処理装置は、
前記第２のコンテンツデータの創造する演算に用いられる係数を創造する付加情報を生成する付加情報生成手段と、
前記付加情報生成手段により生成された前記付加情報を前記第２の情報処理装置に供給する付加情報供給手段と、
前記第２の情報処理装置に前記第１のコンテンツデータを供給する第１のコンテンツデータ供給手段と、
前記第２の情報処理装置より前記第２のコンテンツデータを取得する第１のコンテンツデータ取得手段と、
前記第１のコンテンツデータ取得手段により取得された前記第２のコンテンツデータの画像を表示する画像表示手段と
を備え、
前記第２の情報処理装置は、
前記第１の情報処理装置より前記付加情報を取得する付加情報取得手段と、
前記付加情報取得手段により取得された前記付加情報を用いて、前記係数を創造する係数創造手段と、
前記第１の情報処理装置より前記第１のコンテンツデータを取得する第２のコンテンツデータ取得手段と、
前記係数創造手段により創造された前記係数を用いて演算を行い、前記第２のコンテンツデータ取得手段により取得された前記第１のコンテンツデータを変換して、前記第２のコンテンツデータを創造するコンテンツデータ創造手段と、
前記コンテンツデータ創造手段により創造された前記第２のコンテンツデータを前記第１の情報処理装置に供給する第２のコンテンツデータ供給手段と
を備えることを特徴とする情報処理システム。
【請求項４０】
第１のコンテンツデータを変換して得られる第２のコンテンツデータの画像を表示する第１の情報処理装置と、
前記第１の情報処理装置と通信を行う第２の情報処理装置と
で構成される情報処理システムの情報処理方法であって、
前記第１の情報処理装置は、
前記第２のコンテンツデータの創造する演算に用いられる係数を創造する付加情報を生成する付加情報生成ステップと、
前記付加情報生成ステップの処理により生成された前記付加情報を前記第２の情報処理装置に供給する付加情報供給ステップと、
前記第２の情報処理装置に前記第１のコンテンツデータを供給する第１のコンテンツデータ供給ステップと、
前記第２の情報処理装置より前記第２のコンテンツデータを取得する第１のコンテンツデータ取得ステップと、
前記第１のコンテンツデータ取得ステップの処理により取得された前記第２のコンテンツデータの画像を表示する画像表示ステップと
を含み、
前記第２の情報処理装置は、
前記第１の情報処理装置より前記付加情報を取得する付加情報取得ステップと、
前記付加情報取得ステップの処理により取得された前記付加情報を用いて、前記係数を創造する係数創造ステップと、
前記第１の情報処理装置より前記第１のコンテンツデータを取得する第２のコンテンツデータ取得ステップと、
前記係数創造ステップの処理により創造された前記係数を用いて演算を行い、前記第２のコンテンツデータ取得ステップの処理により取得された前記第１のコンテンツデータを変換して、前記第２のコンテンツデータを創造するコンテンツデータ創造ステップと、
前記コンテンツデータ創造ステップの処理により創造された前記第２のコンテンツデータを前記第１の情報処理装置に供給する第２のコンテンツデータ供給ステップと
を含むことを特徴とする情報処理方法。
【請求項４１】
第１のコンテンツデータを変換して、第２のコンテンツデータを創造する第１の情報処理装置と、
第３のコンテンツデータを変換して、第４のコンテンツデータを創造する、前記第１の情報処理装置と異なる第２の情報処理装置と、
前記第１の情報処理装置および前記第２の情報処理装置と通信を行う第３の情報処理装置と
で構成される情報処理システムにおいて、
前記第１の情報処理装置は、
前記第２のコンテンツデータの創造における演算に用いられる第１の係数を創造するのに必要な第１の付加情報を生成する第１の付加情報生成手段と、
前記第１の付加情報生成手段により生成された前記第１の付加情報を前記第３の情報処理装置に供給する第１の付加情報供給手段と、
前記第３の情報処理装置より前記第１の係数を取得する第１の係数取得手段と、
前記第１の係数取得手段により取得された前記第１の係数を用いて演算を行い、前記第１のコンテンツデータを変換して、前記第２のコンテンツデータを創造する第１のコンテンツデータ創造手段と
を備え、
前記第２の情報処理装置は、
前記第４のコンテンツデータの創造における演算に用いられる第２の係数を創造するのに必要な第２の付加情報を生成する第２の付加情報生成手段と、
前記第２の付加情報生成手段により生成された前記第２の付加情報を前記第３の情報処理装置に供給する第２の付加情報供給手段と、
前記第３の情報処理装置より前記第２の係数を取得する第２の係数取得手段と、
前記第２の係数取得手段により取得された前記第２の係数を用いて演算を行い、前記第３のコンテンツデータを変換して、前記第４のコンテンツデータを創造する第２のコンテンツデータ創造手段と
を備え、
前記第３の情報処理装置は、
前記第１の情報処理装置より供給された前記第１の付加情報、または、前記第２の情報処理装置より供給された前記第２の付加情報を取得する付加情報取得手段と、
前記付加情報取得手段により取得された前記第１の付加情報または前記第２の付加情報を用いて、前記第１の係数または前記第２の係数を創造する係数創造手段と、
前記係数創造手段により創造された前記第１の係数または前記第２の係数を、前記第１の情報処理装置または前記第２の情報処理装置にそれぞれ供給する係数供給手段と
を備えることを特徴とする情報処理システム。
【請求項４２】
第１のコンテンツデータを変換して、第２のコンテンツデータを創造する第１の情報処理装置と、
第３のコンテンツデータを変換して、第４のコンテンツデータを創造する、前記第１の情報処理装置と異なる第２の情報処理装置と、
前記第１の情報処理装置および前記第２の情報処理装置と通信を行う第３の情報処理装置と
で構成される情報処理システムの情報処理方法であって、
前記第１の情報処理装置は、
前記第２のコンテンツデータの創造における演算に用いられる第１の係数を創造するのに必要な第１の付加情報を生成する第１の付加情報生成ステップと、
前記第１の付加情報生成ステップの処理により生成された前記第１の付加情報を前記第３の情報処理装置に供給する第１の付加情報供給ステップと、
前記第３の情報処理装置より前記第１の係数を取得する第１の係数取得ステップと、
前記第１の係数取得ステップの処理により取得された前記第１の係数を用いて演算を行い、前記第１のコンテンツデータを変換して、前記第２のコンテンツデータを創造する第１のコンテンツデータ創造ステップと
を含み、
前記第２の情報処理装置は、
前記第４のコンテンツデータの創造における演算に用いられる第２の係数を創造するのに必要な第２の付加情報を生成する第２の付加情報生成ステップと、
前記第２の付加情報生成ステップの処理により生成された前記第２の付加情報を前記第３の情報処理装置に供給する第２の付加情報供給ステップと、
前記第３の情報処理装置より前記第２の係数を取得する第２の係数取得ステップと、
前記第２の係数取得ステップの処理により取得された前記第２の係数を用いて演算を行い、前記第３のコンテンツデータを変換して、前記第４のコンテンツデータを創造する第２のコンテンツデータ創造ステップと
を含み、
前記第３の情報処理装置は、
前記第１の情報処理装置より供給された前記第１の付加情報、または、前記第２の情報処理装置より供給された前記第２の付加情報を取得する付加情報取得ステップと、
前記付加情報取得ステップの処理により取得された前記第１の付加情報または前記第２の付加情報を用いて、前記第１の係数または前記第２の係数を創造する係数創造ステップと、
前記係数創造ステップの処理により創造された前記第１の係数または前記第２の係数を、前記第１の情報処理装置または前記第２の情報処理装置にそれぞれ供給する係数供給ステップと
を含むことを特徴とする情報処理方法。
【請求項４３】
第１のコンテンツデータを変換して、第２のコンテンツデータを創造する第１の情報処理装置と、
前記第１の情報処理装置と通信を行う第２の情報処理装置と
前記第１の情報処理装置と通信を行う、前記第２の情報処理装置と異なる第３の情報処理装置と
で構成される情報処理システムにおいて、
前記第１の情報処理装置は、
前記第２のコンテンツデータの創造における演算に用いられる係数を創造するのに必要な付加情報を生成する付加情報生成手段と、
前記付加情報生成手段により生成された前記付加情報を前記第２の情報処理装置または前記第３の情報処理装置に供給する付加情報供給手段と、
前記第２の情報処理装置または前記第３の情報処理装置より、ＩＤ情報とともに供給された前記係数を取得する係数取得手段と、
前記第２の情報処理装置および前記第３の情報処理装置の優先順位を管理する優先順位テーブルを記憶するテーブル記憶手段と、
前記係数取得手段により前記係数とともに取得された前記ＩＤ情報、並びに、前記テーブル記憶手段により記憶されている前記優先順位テーブルに基づいて、前記係数取得手段により取得された複数の前記係数の内、演算に用いる前記係数を決定する係数決定手段と、
前記係数決定手段により決定された前記係数を用いて演算を行い、前記第１のコンテンツデータを変換して、前記第２のコンテンツデータを創造するコンテンツデータ創造手段と
を備え、
前記第２の情報処理装置は、
前記第１の情報処理装置より前記付加情報を取得する第１の付加情報取得手段と、
前記第１の付加情報取得手段により取得された前記付加情報を用いて、前記係数を創造する第１の係数創造手段と、
前記第２の情報処理装置を識別する前記ＩＤ情報である第１のＩＤ情報を記憶する第１のＩＤ情報記憶手段と、
前記第１の係数創造手段により創造された前記係数を、前記第１のＩＤ情報記憶手段により記憶されている前記第１のＩＤ情報とともに、前記第１の情報処理装置に供給する第１の係数供給手段と
を備え、
前記第３の情報処理装置は、
前記第１の情報処理装置より前記付加情報を取得する第２の付加情報取得手段と、
前記第２の付加情報取得手段により取得された前記付加情報を用いて、前記係数を創造する第２の係数創造手段と、
前記第３の情報処理装置を識別する前記ＩＤ情報である第２のＩＤ情報を記憶する第２のＩＤ情報記憶手段と、
前記第２の係数創造手段により創造された前記係数を、前記第２のＩＤ情報記憶手段により記憶されている前記第２のＩＤ情報とともに、前記第１の情報処理装置に供給する第２の係数供給手段と
を備えることを特徴とする情報処理システム。
【請求項４４】
第１のコンテンツデータを変換して、第２のコンテンツデータを創造する第１の情報処理装置と、
前記第１の情報処理装置と通信を行う第２の情報処理装置と
前記第１の情報処理装置と通信を行う、前記第２の情報処理装置と異なる第３の情報処理装置と
で構成される情報処理システムの情報処理方法であって、
前記第１の情報処理装置は、
前記第２のコンテンツデータの創造における演算に用いられる係数を創造するのに必要な付加情報を生成する付加情報生成ステップと、
前記付加情報生成ステップの処理により生成された前記付加情報を前記第２の情報処理装置または前記第３の情報処理装置に供給する付加情報供給ステップと、
前記第２の情報処理装置または前記第３の情報処理装置より、ＩＤ情報とともに供給された前記係数を取得する係数取得ステップと、
前記第２の情報処理装置および前記第３の情報処理装置の優先順位を管理する優先順位テーブルの記憶を制御するテーブル記憶制御ステップと、
前記係数取得ステップの処理により前記係数とともに取得された前記ＩＤ情報、並びに、前記テーブル記憶制御ステップの処理により記憶が制御されている前記優先順位テーブルに基づいて、前記係数取得ステップの処理により取得された複数の前記係数の内、演算に用いる前記係数を決定する係数決定ステップと、
前記係数決定ステップの処理により決定された前記係数を用いて演算を行い、前記第１のコンテンツデータを変換して、前記第２のコンテンツデータを創造するコンテンツデータ創造ステップと
を含み、
前記第２の情報処理装置は、
前記第１の情報処理装置より前記付加情報を取得する第１の付加情報取得ステップと、
前記第１の付加情報取得ステップの処理により取得された前記付加情報を用いて、前記係数を創造する第１の係数創造ステップと、
前記第２の情報処理装置を識別する前記ＩＤ情報である第１のＩＤ情報の記憶を制御する第１のＩＤ情報記憶制御ステップと、
前記第１の係数創造ステップの処理により創造された前記係数を、前記第１のＩＤ情報記憶ステップの処理により記憶が制御されている前記第１のＩＤ情報とともに、前記第１の情報処理装置に供給する第１の係数供給ステップと
を含み、
前記第３の情報処理装置は、
前記第１の情報処理装置より前記付加情報を取得する第２の付加情報取得ステップと、
前記第２の付加情報取得ステップの処理により取得された前記付加情報を用いて、前記係数を創造する第２の係数創造ステップと、
前記第３の情報処理装置を識別する前記ＩＤ情報である第２のＩＤ情報の記憶を制御する第２のＩＤ情報記憶制御ステップと、
前記第２の係数創造ステップの処理により創造された前記係数を、前記第２のＩＤ情報記憶制御ステップの処理により記憶が制御されている前記第２のＩＤ情報とともに、前記第１の情報処理装置に供給する第２の係数供給ステップと
を含むことを特徴とする情報処理方法。
【請求項４５】
第１のコンテンツデータを変換して、第２のコンテンツデータを創造する第１の情報処理装置と、
第３のコンテンツデータを変換して、第４のコンテンツデータを創造する第２の情報処理装置と、
前記第１の情報処理装置または前記第２の情報処理装置と通信を行う第３の情報処理装置と
前記第１の情報処理装置または前記第２の情報処理装置と通信を行う、前記第３の情報処理装置と異なる第４の情報処理装置と
で構成される情報処理システムにおいて、
前記第１の情報処理装置は、
前記第２のコンテンツデータの創造における演算に用いられる第１の係数を創造するのに必要な第１の付加情報を生成する第１の付加情報生成手段と、
前記第１の付加情報生成手段により生成された前記第１の付加情報を前記第３の情報処理装置または前記第４の情報処理装置に供給する第１の付加情報供給手段と、
前記第３の情報処理装置または前記第４の情報処理装置より、ＩＤ情報とともに供給された前記第１の係数を取得する第１の係数取得手段と、
前記第３の情報処理装置および前記第４の情報処理装置の優先順位を管理する第１の優先順位テーブルを記憶する第１のテーブル記憶手段と、
前記第１の係数取得手段により前記係数とともに取得された前記ＩＤ情報、並びに、前記第１のテーブル記憶手段により記憶されている前記第１の優先順位テーブルに基づいて、前記第１の係数取得手段により取得された複数の前記第１の係数の内、演算に用いる前記第１の係数を決定する第１の係数決定手段と、
前記第１の係数決定手段により決定された前記第１の係数を用いて演算を行い、前記第１のコンテンツデータを変換して、前記第２のコンテンツデータを創造する第１のコンテンツデータ創造手段と
を備え、
前記第２の情報処理装置は、
前記第４のコンテンツデータの創造における演算に用いられる第２の係数を創造するのに必要な第２の付加情報を生成する第２の付加情報生成手段と、
前記第２の付加情報生成手段により生成された前記第２の付加情報を前記第３の情報処理装置または前記第４の情報処理装置に供給する第２の付加情報供給手段と、
前記第３の情報処理装置または前記第４の情報処理装置より、前記ＩＤ情報とともに供給された前記第２の係数を取得する第２の係数取得手段と、
前記第３の情報処理装置および前記第４の情報処理装置の優先順位を管理する、前記第１の優先順位テーブルと異なる第２の優先順位テーブルを記憶する第２のテーブル記憶手段と、
前記第２の係数取得手段により前記第２の係数とともに取得された前記ＩＤ情報、並びに、前記第２のテーブル記憶手段により記憶されている前記第２の優先順位テーブルに基づいて、前記第２の係数取得手段により取得された複数の前記第２の係数の内、演算に用いる前記第２の係数を決定する第２の係数決定手段と、
前記第２の係数決定手段により決定された前記第２の係数を用いて演算を行い、前記第３のコンテンツデータを変換して、前記第４のコンテンツデータを創造する第２のコンテンツデータ創造手段と
を備え、
前記第３の情報処理装置は、
前記第１の情報処理装置より供給された前記第１の付加情報、または前記第２の情報処理装置より供給された前記第２の付加情報を取得する第１の付加情報取得手段と、
前記第１の付加情報取得手段により取得された前記第１の付加情報または第２の付加情報を用いて、前記第１の係数または前記第２の係数を創造する第１の係数創造手段と、
前記第３の情報処理装置を識別する前記ＩＤ情報である第１のＩＤ情報を記憶する第１のＩＤ情報記憶手段と、
前記第１の係数創造手段により創造された前記第１の係数または前記第２の係数を、前記第１のＩＤ情報記憶手段により記憶されている前記第１のＩＤ情報とともに、前記第１の情報処理装置または前記第２の情報処理装置にそれぞれ供給する第１の係数供給手段と
を備え、
前記第４の情報処理装置は、
前記第１の情報処理装置より供給された前記第１の付加情報、または前記第２の情報処理装置より供給された前記第２の付加情報を取得する第２の付加情報取得手段と、
前記第２の付加情報取得手段により取得された前記第１の付加情報または第２の付加情報を用いて、前記第１の係数または前記第２の係数を創造する第２の係数創造手段と、
前記第４の情報処理装置を識別する前記ＩＤ情報である第２のＩＤ情報を記憶する第２のＩＤ情報記憶手段と、
前記第２の係数創造手段により創造された前記第１の係数または前記第２の係数を、前記第２のＩＤ情報記憶手段により記憶されている前記第２のＩＤ情報とともに、前記第１の情報処理装置または前記第２の情報処理装置にそれぞれ供給する第２の係数供給手段と
を備えることを特徴とする情報処理システム。
【請求項４６】
第１のコンテンツデータを変換して、第２のコンテンツデータを創造する第１の情報処理装置と、
第３のコンテンツデータを変換して、第４のコンテンツデータを創造する第２の情報処理装置と、
前記第１の情報処理装置または前記第２の情報処理装置と通信を行う第３の情報処理装置と
前記第１の情報処理装置または前記第２の情報処理装置と通信を行う、前記第３の情報処理装置と異なる第４の情報処理装置と
で構成される情報処理システムの情報処理方法であって、
前記第１の情報処理装置は、
前記第２のコンテンツデータの創造における演算に用いられる第１の係数を創造するのに必要な第１の付加情報を生成する第１の付加情報生成ステップと、
前記第１の付加情報生成ステップの処理により生成された前記第１の付加情報を前記第３の情報処理装置または前記第４の情報処理装置に供給する第１の付加情報供給ステップと、
前記第３の情報処理装置または前記第４の情報処理装置より、ＩＤ情報とともに供給された前記第１の係数を取得する第１の係数取得ステップと、
前記第３の情報処理装置および前記第４の情報処理装置の優先順位を管理する第１の優先順位テーブルの記憶を制御する第１のテーブル記憶制御ステップと、
前記第１の係数取得ステップの処理により前記係数とともに取得された前記ＩＤ情報、並びに、前記第１のテーブル記憶制御ステップの処理により記憶が制御されている前記第１の優先順位テーブルに基づいて、前記第１の係数取得ステップの処理により取得された複数の前記第１の係数の内、演算に用いる前記第１の係数を決定する第１の係数決定ステップと、
前記第１の係数決定ステップの処理により決定された前記第１の係数を用いて演算を行い、前記第１のコンテンツデータを変換して、前記第２のコンテンツデータを創造する第１のコンテンツデータ創造ステップと
を含み、
前記第２の情報処理装置は、
前記第４のコンテンツデータの創造における演算に用いられる第２の係数を創造するのに必要な第２の付加情報を生成する第２の付加情報生成ステップと、
前記第２の付加情報生成ステップの処理により生成された前記第２の付加情報を前記第３の情報処理装置または前記第４の情報処理装置に供給する第２の付加情報供給ステップと、
前記第３の情報処理装置または前記第４の情報処理装置より、前記ＩＤ情報とともに供給された前記第２の係数を取得する第２の係数取得ステップと、
前記第３の情報処理装置および前記第４の情報処理装置の優先順位を管理する、前記第１の優先順位テーブルと異なる第２の優先順位テーブルの記憶を制御する第２のテーブル記憶制御ステップと、
前記第２の係数取得ステップの処理により前記第２の係数とともに取得された前記ＩＤ情報、並びに、前記第２のテーブル記憶制御ステップの処理により記憶が制御されている前記第２の優先順位テーブルに基づいて、前記第２の係数取得ステップの処理により取得された複数の前記第２の係数の内、演算に用いる前記第２の係数を決定する第２の係数決定ステップと、
前記第２の係数決定ステップの処理により決定された前記第２の係数を用いて演算を行い、前記第３のコンテンツデータを変換して、前記第４のコンテンツデータを創造する第２のコンテンツデータ創造ステップと
を含み、
前記第３の情報処理装置は、
前記第１の情報処理装置より供給された前記第１の付加情報、または前記第２の情報処理装置より供給された前記第２の付加情報を取得する第１の付加情報取得ステップと、
前記第１の付加情報取得ステップの処理により取得された前記第１の付加情報または第２の付加情報を用いて、前記第１の係数または前記第２の係数を創造する第１の係数創造ステップと、
前記第３の情報処理装置を識別する前記ＩＤ情報である第１のＩＤ情報の記憶を制御する第１のＩＤ情報記憶制御ステップと、
前記第１の係数創造ステップの処理により創造された前記第１の係数または前記第２の係数を、前記第１のＩＤ情報記憶制御ステップの処理により記憶が制御されている前記第１のＩＤ情報とともに、前記第１の情報処理装置または前記第２の情報処理装置にそれぞれ供給する第１の係数供給ステップと
を含み、
前記第４の情報処理装置は、
前記第１の情報処理装置より供給された前記第１の付加情報、または前記第２の情報処理装置より供給された前記第２の付加情報を取得する第２の付加情報取得ステップと、
前記第２の付加情報取得ステップの処理により取得された前記第１の付加情報または第２の付加情報を用いて、前記第１の係数または前記第２の係数を創造する第２の係数創造ステップと、
前記第４の情報処理装置を識別する前記ＩＤ情報である第２のＩＤ情報の記憶を制御する第２のＩＤ情報記憶制御ステップと、
前記第２の係数創造ステップの処理により創造された前記第１の係数または前記第２の係数を、前記第２のＩＤ情報記憶制御ステップの処理により記憶が制御されている前記第２のＩＤ情報とともに、前記第１の情報処理装置または前記第２の情報処理装置にそれぞれ供給する第２の係数供給ステップと
を含むことを特徴とする情報処理方法。
【請求項４７】
第１のコンテンツデータを変換して、第２のコンテンツデータを創造する第１の情報処理装置と、
前記第１の情報処理装置と通信を行う第２の情報処理装置と
で構成される情報処理システムにおいて、
前記第１の情報処理装置は、
前記第２の情報処理装置より制御情報を取得する制御情報取得手段と、
前記制御情報取得手段により取得された前記制御情報に基づいて、前記第２のコンテンツデータの創造における演算に用いられる係数を創造するのに必要な付加情報を生成する付加情報生成手段と、
前記付加情報生成手段により生成された前記付加情報を用いて、前記係数を創造する係数創造手段と、
前記係数創造手段により創造された前記係数を用いて演算を行い、前記第１のコンテンツデータを変換して、前記第２のコンテンツデータを創造するコンテンツデータ創造手段と
を備え、
前記第２の情報処理装置は、
ユーザの入力を受け付ける入力受け付け手段と、
前記入力受け付け手段により受け付けられた前記ユーザの入力に基づいて、前記第１の情報処理装置に前記付加情報の生成を開始させる制御情報を供給する制御情報供給手段と
を備えることを特徴とする情報処理システム。
【請求項４８】
第１のコンテンツデータを変換して、第２のコンテンツデータを創造する第１の情報処理装置と、
前記第１の情報処理装置と通信を行う第２の情報処理装置と
で構成される情報処理システムの情報処理方法であって、
前記第１の情報処理装置は、
前記第２の情報処理装置より制御情報を取得する制御情報取得ステップと、
前記制御情報取得ステップの処理により取得された前記制御情報に基づいて、前記第２のコンテンツデータの創造における演算に用いられる係数を創造するのに必要な付加情報を生成する付加情報生成ステップと、
前記付加情報生成ステップの処理により生成された前記付加情報を用いて、前記係数を創造する係数創造ステップと、
前記係数創造手段により創造された前記係数を用いて演算を行い、前記第１のコンテンツデータを変換して、前記第２のコンテンツデータを創造するコンテンツデータ創造ステップと
を含み、
前記第２の情報処理装置は、
ユーザの入力を受け付ける入力受け付けステップと、
前記入力受け付けステップの処理により受け付けられた前記ユーザの入力に基づいて、前記第１の情報処理装置に前記付加情報の生成を開始させる制御情報を供給する制御情報供給ステップと
を含むことを特徴とする情報処理方法。
【発明の詳細な説明】
【０００１】
【発明の属する技術分野】
本発明は情報処理システム、情報処理装置および方法、記録媒体、並びにプログラムに関し、特に、コンテンツデータに画像処理を行い、ユーザの嗜好に合わせたコンテンツデータを創りかえる場合に用いて好適な、情報処理システム、情報処理装置および方法、記録媒体、並びにプログラムに関する。
【０００２】
【従来の技術】
従来、低解像度の画像データに対して補間フィルタによる周波数補間処理を施して画素補間を行う等して、低解像度の画像データを高解像度の画像データに変換する画像データ変換装置（アップコンバータ）として、低解像度の画像データをその各画素の信号レベル分布に応じたクラスに分類した後、予測係数と呼ばれるデータが予め格納されているメモリからそのクラスに対応する予測係数を読み出し、予測係数と低解像度の画像データとから、高解像度の画像データを予測演算する、いわゆる、クラス分類適応処理を採用した画像データ変換装置が存在する。
【０００３】
この画像データ変換装置のメモリに格納されている予測係数は、学習と呼ばれるデータ処理によって予め生成されている。この予測係数を生成する学習回路は、通過帯域の異なる複数のデジタルフィルタより選択された、教師画像としての高解像度の画像データに最適なデジタルフィルタを用いて、教師画像としての高解像度の画像データをダウンコンバートすることにより、生徒画像としての低解像度の画像データを生成し、高解像度の画像データと低解像度の画像データとの間で学習を行って予測係数を生成するようになされている（例えば、特許文献１参照）。
【０００４】
例えば、近年、オーディオ・ビジュアル指向の高まりから、より高解像度の画像を得ることができるようなテレビジョン受信機の開発が望まれ、この要望に応えて、いわゆるハイビジョン（ＨＤＴＶ：Ｈｉｇｈ  Ｄｅｆｉｎｉｔｉｏｎ  ＴｅｌｅＶｉｓｉｏｎ）が開発された。ハイビジョンの走査線は、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式の走査線数が５２５本であるのに対して、２倍以上の１１２５本である。また、ハイビジョンの縦横比は、ＮＴＳＣ方式の縦横比が３：４であるのに対して、９：１６となっている。このため、ハイビジョンでは、ＮＴＳＣ方式に比べて、高解像度で臨場感のある画像を表示することができる。
【０００５】
上述した画像データ変換装置を内蔵するテレビジョン受信装置は、このＮＴＳＣ方式のビデオ信号から、ハイビジョンのビデオ信号の注目位置の画素データに対応するブロック（領域）の画素データを抽出し、このブロックの画素データのレベル分布パターンに基づいて、上述の注目位置の画素データの属するクラスを決定し、このクラスに対応して、注目位置の画素データを生成する。
【０００６】
【特許文献１】
ＷＯ００／１９７２４号公報（第１９−２０ページ、図１０、図１１）
【０００７】
【発明が解決しようとする課題】
しかしながら、以上のような場合、画像データ変換処理の際に用いられる画質等の調整値は予め定められており、例えば、工場出荷時等にテレビジョン受信装置に記録されており、その調整値をテレビジョン受信装置のユーザの嗜好に合わせた値に変更することが困難であるという課題があった。
【０００８】
従って、従来の場合、ユーザは、例えば、リモートコントローラ等を用いてテレビジョン受信装置を制御し、変換処理が行われた画像データに対して画質調整処理等を行っていたので、画像処理が非効率であり、回路規模や製造コストが増大してしまうという課題もあった。
【０００９】
また、上述したテレビジョン受信装置を制御するリモートコントローラは、制御信号を出力するだけであり、例えば、リモートコントローラにディスプレイを設け、そのディスプレイに、テレビジョン受信装置に表示される画像に対して行った画像処理と異なる画像処理を行った画像を表示させる等の多様な処理を行うことができないという課題があった。
【００１０】
さらに、上述したようなテレビジョン受信装置が複数存在するシステムの場合、テレビジョン受信装置間において連携がとれず、各テレビジョン受信装置において画像データ変換処理を行わなければならず、非効率な処理となってしまうという課題もあった。
【００１１】
また、テレビジョン受信装置が、複数のユーザの嗜好を管理し、各ユーザの好みに応じた画像データ変換処理を行うことができないという課題もあった。
【００１２】
本発明はこのような状況に鑑みてなされたものであり、より効果的に、よりユーザの嗜好に合わせて、コンテンツデータに画像変換処理を行うことができるようにしたものである。
【００１３】
【課題を解決するための手段】
本発明の第１の情報処理システムは、第１のコンテンツデータを変換して、第２のコンテンツデータを創造する第１の情報処理装置と、第１の情報処理装置と通信を行う第２の情報処理装置とで構成される情報処理システムであって、第１の情報処理装置は、第２のコンテンツデータの創造における演算に用いられる係数を創造するのに必要な付加情報を生成する付加情報生成手段と、付加情報生成手段により生成された付加情報を第２の情報処理装置に供給する付加情報供給手段と、第２の情報処理装置より係数を取得する係数取得手段と、係数取得手段により取得された係数を用いて演算を行い、第１のコンテンツデータを変換して、第２のコンテンツデータを創造するコンテンツデータ創造手段とを備え、第２の情報処理装置は、第１の情報処理装置より付加情報を取得する付加情報取得手段と、付加情報取得手段により取得された付加情報を用いて、係数を創造する係数創造手段と、係数創造手段により創造された係数を第１の情報処理装置に供給する係数供給手段とを備えることを特徴とする。
【００１４】
本発明の第１の情報処理装置は、第２のコンテンツデータの創造における演算に用いられる係数を創造するのに必要な付加情報を生成する付加情報生成手段と、付加情報生成手段により生成された付加情報を他の情報処理装置に供給する付加情報供給手段と、付加情報供給手段により供給された付加情報に基づいて、他の情報処理装置により生成された係数を取得する係数取得手段と、係数取得手段により取得された係数を用いて演算を行い、第１のコンテンツデータを変換して、第２のコンテンツデータを創造するコンテンツデータ創造手段とを備えることを特徴とする。
【００１５】
前記コンテンツデータ創造手段により創造された第２のコンテンツデータの表示を制御する表示制御手段をさらに備えるようにすることができる。
【００１６】
前記付加情報は、ユーザが過去に視聴した第２のコンテンツデータの画質の嗜好に関する情報を含むようにすることができる。
【００１７】
前記付加情報は、ユーザが過去に視聴した第２のコンテンツデータに対するユーザの編集操作の嗜好に関する情報を含むようにすることができる。
【００１８】
前記付加情報は、画像の空間解像度に関する情報を含むようにすることができる。
【００１９】
前記付加情報は、画像の時間解像度に関する情報を含むようにすることができる。
【００２０】
前記付加情報は、画像のシャープネスに関する情報を含むようにすることができる。
【００２１】
前記付加情報は、画像の画面の明るさに関する情報を含むようにすることができる。
【００２２】
前記付加情報は、画像のコントラストに関する情報を含むようにすることができる。
【００２３】
前記付加情報は、画素の位相変化に関する情報を含むようにすることができる。
【００２４】
前記付加情報は、画像の表示速度に関する情報を含むようにすることができる。
【００２５】
前記他の情報処理装置より制御情報を取得する制御情報取得手段をさらに備え、付加情報生成手段は、制御情報取得手段により取得された制御情報に基づいて、付加情報を生成するようにすることができる。
【００２６】
前記制御情報は、ユーザの操作内容に関する情報を含むようにすることができる。
【００２７】
複数の他の情報処理装置の優先順位に関する情報である優先順位テーブルを記憶するテーブル記憶手段と、コンテンツデータ創造手段による演算に用いる係数を決定する係数決定手段とをさらに備え、係数取得手段は、他の情報処理装置より係数とともに、他の情報処理を識別するＩＤ情報を取得し、係数決定手段は、係数取得手段により取得されたＩＤ情報、およびテーブル記憶手段により記憶されている優先順位テーブルに基づいて、コンテンツデータ創造手段による演算に用いる係数を決定し、コンテンツデータ創造手段は、係数決定手段により決定された係数を用いて演算を行い、第１のコンテンツデータを変換して、第２のコンテンツデータを創造するようにすることができる。
【００２８】
本発明の第１の情報処理方法は、第２のコンテンツデータの創造における演算に用いられる係数を創造するのに必要な付加情報を生成する付加情報生成ステップと、付加情報生成ステップの処理により生成された付加情報を他の情報処理装置に供給する付加情報供給ステップと、付加情報供給ステップの処理により供給された付加情報に基づいて、他の情報処理装置により生成された係数を取得する係数取得ステップと、係数取得ステップの処理により取得された係数を用いて演算を行い、第１のコンテンツデータを変換して、第２のコンテンツデータを創造するコンテンツデータ創造ステップとを含むことを特徴とする。
【００２９】
本発明の第１の記録媒体のプログラムは、第２のコンテンツデータの創造における演算に用いられる係数を創造するのに必要な付加情報を生成する付加情報生成ステップと、付加情報生成ステップの処理により生成された付加情報を他の情報処理装置に供給する付加情報供給ステップと、付加情報供給ステップの処理により供給された付加情報に基づいて、他の情報処理装置により生成された係数を取得する係数取得ステップと、係数取得ステップの処理により取得された係数を用いて演算を行い、第１のコンテンツデータを変換して、第２のコンテンツデータを創造するコンテンツデータ創造ステップとを含むことを特徴とする。
【００３０】
本発明の第１のプログラムは、第２のコンテンツデータの創造における演算に用いられる係数を創造するのに必要な付加情報を生成する付加情報生成ステップと、付加情報生成ステップの処理により生成された付加情報を他の情報処理装置に供給する付加情報供給ステップと、付加情報供給ステップの処理により供給された付加情報に基づいて、他の情報処理装置により生成された係数を取得する係数取得ステップと、係数取得ステップの処理により取得された係数を用いて演算を行い、第１のコンテンツデータを変換して、第２のコンテンツデータを創造するコンテンツデータ創造ステップとをコンピュータに実現させることを特徴とする。
【００３１】
本発明の第２の情報処理装置は、他の情報処理装置より、第２のコンテンツデータの創造における演算に用いられる係数を創造するのに必要な付加情報を取得する付加情報取得手段と、付加情報取得手段により取得された付加情報を用いて、係数を創造する係数創造手段と、係数創造手段により創造された係数を他の情報処理装置に供給する係数供給手段とを備えることを特徴とする。
【００３２】
ユーザの入力を受け付ける入力受け付け手段をさらに備えるようにすることができる。
【００３３】
前記入力受け付け手段により受け付けられたユーザの入力に基づいて、付加情報の生成を指示する制御情報を他の情報処理装置に供給する制御情報供給手段をさらに備えるようにすることができる。
【００３４】
前記付加情報は、ユーザが過去に視聴した第２のコンテンツデータの画質の嗜好に関する情報を含むようにすることができる。
【００３５】
前記付加情報は、ユーザが過去に視聴した第２のコンテンツデータに対するユーザの編集操作の嗜好に関する情報を含むようにすることができる。
【００３６】
前記付加情報は、画像の空間解像度に関する情報を含むようにすることができる。
【００３７】
前記付加情報は、画像の時間解像度に関する情報を含むようにすることができる。
【００３８】
前記付加情報は、画像のシャープネスに関する情報を含むようにすることができる。
【００３９】
前記付加情報は、画像の画面の明るさに関する情報を含むようにすることができる。
【００４０】
前記付加情報は、画像のコントラストに関する情報を含むようにすることができる。
【００４１】
前記付加情報は、画素の位相変化に関する情報を含むようにすることができる。
【００４２】
前記付加情報は、画像の表示速度に関する情報を含むようにすることができる。
【００４３】
複数の係数を用いて、係数供給手段により供給する係数を算出する係数算出手段をさらに備え、係数創造手段は、複数種類の付加情報を用いて、互いに異なる付加情報に対応する複数の係数を創造し、係数算出手段は、係数創造手段により創造された複数の係数を用いて、係数供給手段により供給する係数を算出し、係数供給手段は、係数算出手段により算出された係数を他の情報処理装置に供給するようにすることができる。
【００４４】
前記他の情報処理装置より第１のコンテンツデータを取得するコンテンツデータ取得手段と、係数創造手段により創造された係数を用いて演算を行い、コンテンツデータ取得手段により取得された第１のコンテンツデータを変換して、第２のコンテンツデータを創造するコンテンツデータ創造手段とようにすることができる。
【００４５】
前記コンテンツデータ創造手段により創造された第２のコンテンツデータの表示を制御する表示制御手段をさらに備えるようにすることができる。
【００４６】
前記コンテンツデータ創造手段により創造された第２のコンテンツデータを他の情報処理装置に供給するコンテンツデータ供給手段をさらに備えるようにすることができる。
【００４７】
前記情報処理装置を識別するＩＤ情報を記憶するＩＤ情報記憶手段をさらに備え、係数供給手段は、係数創造手段により創造された係数とともに、ＩＤ情報記憶手段により記憶されているＩＤ情報を他の情報処理装置に供給するようにすることができる。
【００４８】
本発明の第２の情報処理方法は、他の情報処理装置より、第２のコンテンツデータの創造における演算に用いられる係数を創造するのに必要な付加情報を取得する付加情報取得ステップと、付加情報取得ステップの処理により取得された付加情報を用いて、係数を創造する係数創造ステップと、係数創造ステップの処理により創造された係数を他の情報処理装置に供給する係数供給ステップとを含むことを特徴とする。
【００４９】
本発明の第２の記録媒体のプログラムは、他の情報処理装置より、第２のコンテンツデータの創造における演算に用いられる係数を創造するのに必要な付加情報を取得する付加情報取得ステップと、付加情報取得ステップの処理により取得された付加情報を用いて、係数を創造する係数創造ステップと、係数創造ステップの処理により創造された係数を他の情報処理装置に供給する係数供給ステップとを含むことを特徴とする。
【００５０】
本発明の第２のプログラムは、他の情報処理装置より、第２のコンテンツデータの創造における演算に用いられる係数を創造するのに必要な付加情報を取得する付加情報取得ステップと、付加情報取得ステップの処理により取得された付加情報を用いて、係数を創造する係数創造ステップと、係数創造ステップの処理により創造された係数を他の情報処理装置に供給する係数供給ステップとをコンピュータに実現させることを特徴とする。
【００５１】
本発明の第２の情報処理システムは、第１のコンテンツデータを変換して得られる第２のコンテンツデータの画像を表示する第１の情報処理装置と、第１の情報処理装置と通信を行う第２の情報処理装置とで構成される情報処理システムであって、第１の情報処理装置は、第２のコンテンツデータの創造する演算に用いられる係数を創造する付加情報を生成する付加情報生成手段と、付加情報生成手段により生成された付加情報を第２の情報処理装置に供給する付加情報供給手段と、第２の情報処理装置に第１のコンテンツデータを供給する第１のコンテンツデータ供給手段と、第２の情報処理装置より第２のコンテンツデータを取得する第１のコンテンツデータ取得手段と、第１のコンテンツデータ取得手段により取得された第２のコンテンツデータの画像を表示する画像表示手段とを備え、第２の情報処理装置は、第１の情報処理装置より付加情報を取得する付加情報取得手段と、付加情報取得手段により取得された付加情報を用いて、係数を創造する係数創造手段と、第１の情報処理装置より第１のコンテンツデータを取得する第２のコンテンツデータ取得手段と、係数創造手段により創造された係数を用いて演算を行い、第２のコンテンツデータ取得手段により取得された第１のコンテンツデータを変換して、第２のコンテンツデータを創造するコンテンツデータ創造手段と、コンテンツデータ創造手段により創造された第２のコンテンツデータを第１の情報処理装置に供給する第２のコンテンツデータ供給手段とを備えることを特徴とする。
【００５２】
本発明の第３の情報処理方法は、第１のコンテンツデータを変換して得られる第２のコンテンツデータの画像を表示する第１の情報処理装置と、第１の情報処理装置と通信を行う第２の情報処理装置とで構成される情報処理システムの情報処理方法であって、第１の情報処理装置は、第２のコンテンツデータの創造する演算に用いられる係数を創造する付加情報を生成する付加情報生成ステップと、付加情報生成ステップの処理により生成された付加情報を第２の情報処理装置に供給する付加情報供給ステップと、第２の情報処理装置に第１のコンテンツデータを供給する第１のコンテンツデータ供給ステップと、第２の情報処理装置より第２のコンテンツデータを取得する第１のコンテンツデータ取得ステップと、第１のコンテンツデータ取得ステップの処理により取得された第２のコンテンツデータの画像を表示する画像表示ステップとを含み、第２の情報処理装置は、第１の情報処理装置より付加情報を取得する付加情報取得ステップと、付加情報取得ステップの処理により取得された付加情報を用いて、係数を創造する係数創造ステップと、第１の情報処理装置より第１のコンテンツデータを取得する第２のコンテンツデータ取得ステップと、係数創造ステップの処理により創造された係数を用いて演算を行い、第２のコンテンツデータ取得ステップの処理により取得された第１のコンテンツデータを変換して、第２のコンテンツデータを創造するコンテンツデータ創造ステップと、コンテンツデータ創造ステップの処理により創造された第２のコンテンツデータを第１の情報処理装置に供給する第２のコンテンツデータ供給ステップとを含むことを特徴とする。
【００５３】
本発明の第３の情報処理システムは、第１のコンテンツデータを変換して、第２のコンテンツデータを創造する第１の情報処理装置と、第３のコンテンツデータを変換して、第４のコンテンツデータを創造する、第１の情報処理装置と異なる第２の情報処理装置と、第１の情報処理装置および第２の情報処理装置と通信を行う第３の情報処理装置とで構成される情報処理システムであって、第１の情報処理装置は、第２のコンテンツデータの創造における演算に用いられる第１の係数を創造するのに必要な第１の付加情報を生成する第１の付加情報生成手段と、第１の付加情報生成手段により生成された第１の付加情報を第３の情報処理装置に供給する第１の付加情報供給手段と、第３の情報処理装置より第１の係数を取得する第１の係数取得手段と、第１の係数取得手段により取得された第１の係数を用いて演算を行い、第１のコンテンツデータを変換して、第２のコンテンツデータを創造する第１のコンテンツデータ創造手段とを備え、第２の情報処理装置は、第４のコンテンツデータの創造における演算に用いられる第２の係数を創造するのに必要な第２の付加情報を生成する第２の付加情報生成手段と、第２の付加情報生成手段により生成された第２の付加情報を第３の情報処理装置に供給する第２の付加情報供給手段と、第３の情報処理装置より第２の係数を取得する第２の係数取得手段と、第２の係数取得手段により取得された第２の係数を用いて演算を行い、第３のコンテンツデータを変換して、第４のコンテンツデータを創造する第２のコンテンツデータ創造手段とを備え、第３の情報処理装置は、第１の情報処理装置より供給された第１の付加情報、または、第２の情報処理装置より供給された第２の付加情報を取得する付加情報取得手段と、付加情報取得手段により取得された第１の付加情報または第２の付加情報を用いて、第１の係数または第２の係数を創造する係数創造手段と、係数創造手段により創造された第１の係数または第２の係数を、第１の情報処理装置または第２の情報処理装置にそれぞれ供給する係数供給手段とを備えることを特徴とする。
【００５４】
本発明の第４の情報処理方法は、第１のコンテンツデータを変換して、第２のコンテンツデータを創造する第１の情報処理装置と、第３のコンテンツデータを変換して、第４のコンテンツデータを創造する、第１の情報処理装置と異なる第２の情報処理装置と、第１の情報処理装置および第２の情報処理装置と通信を行う第３の情報処理装置とで構成される情報処理システムの情報処理方法であって、第１の情報処理装置は、第２のコンテンツデータの創造における演算に用いられる第１の係数を創造するのに必要な第１の付加情報を生成する第１の付加情報生成ステップと、第１の付加情報生成ステップの処理により生成された第１の付加情報を第３の情報処理装置に供給する第１の付加情報供給ステップと、第３の情報処理装置より第１の係数を取得する第１の係数取得ステップと、第１の係数取得ステップの処理により取得された第１の係数を用いて演算を行い、第１のコンテンツデータを変換して、第２のコンテンツデータを創造する第１のコンテンツデータ創造ステップとを含み、第２の情報処理装置は、第４のコンテンツデータの創造における演算に用いられる第２の係数を創造するのに必要な第２の付加情報を生成する第２の付加情報生成ステップと、第２の付加情報生成ステップの処理により生成された第２の付加情報を第３の情報処理装置に供給する第２の付加情報供給ステップと、第３の情報処理装置より第２の係数を取得する第２の係数取得ステップと、第２の係数取得ステップの処理により取得された第２の係数を用いて演算を行い、第３のコンテンツデータを変換して、第４のコンテンツデータを創造する第２のコンテンツデータ創造ステップとを含み、第３の情報処理装置は、第１の情報処理装置より供給された第１の付加情報、または、第２の情報処理装置より供給された第２の付加情報を取得する付加情報取得ステップと、付加情報取得ステップの処理により取得された第１の付加情報または第２の付加情報を用いて、第１の係数または第２の係数を創造する係数創造ステップと、係数創造ステップの処理により創造された第１の係数または第２の係数を、第１の情報処理装置または第２の情報処理装置にそれぞれ供給する係数供給ステップとを含むことを特徴とする。
【００５５】
本発明の第４の情報処理システムは、第１のコンテンツデータを変換して、第２のコンテンツデータを創造する第１の情報処理装置と、第１の情報処理装置と通信を行う第２の情報処理装置と第１の情報処理装置と通信を行い、第２の情報処理装置と異なる第３の情報処理装置とで構成される情報処理システムであって、第１の情報処理装置は、第２のコンテンツデータの創造における演算に用いられる係数を創造するのに必要な付加情報を生成する付加情報生成手段と、付加情報生成手段により生成された付加情報を第２の情報処理装置または第３の情報処理装置に供給する付加情報供給手段と、第２の情報処理装置または第３の情報処理装置より、ＩＤ情報とともに供給された係数を取得する係数取得手段と、第２の情報処理装置および第３の情報処理装置の優先順位を管理する優先順位テーブルを記憶するテーブル記憶手段と、係数取得手段により係数とともに取得されたＩＤ情報、並びに、テーブル記憶手段により記憶されている優先順位テーブルに基づいて、係数取得手段により取得された複数の係数の内、演算に用いる係数を決定する係数決定手段と、係数決定手段により決定された係数を用いて演算を行い、第１のコンテンツデータを変換して、第２のコンテンツデータを創造するコンテンツデータ創造手段とを備え、第２の情報処理装置は、第１の情報処理装置より付加情報を取得する第１の付加情報取得手段と、第１の付加情報取得手段により取得された付加情報を用いて、係数を創造する第１の係数創造手段と、第２の情報処理装置を識別するＩＤ情報である第１のＩＤ情報を記憶する第１のＩＤ情報記憶手段と、第１の係数創造手段により創造された係数を、第１のＩＤ情報記憶手段により記憶されている第１のＩＤ情報とともに、第１の情報処理装置に供給する第１の係数供給手段とを備え、第３の情報処理装置は、第１の情報処理装置より付加情報を取得する第２の付加情報取得手段と、第２の付加情報取得手段により取得された付加情報を用いて、係数を創造する第２の係数創造手段と、第３の情報処理装置を識別するＩＤ情報である第２のＩＤ情報を記憶する第２のＩＤ情報記憶手段と、第２の係数創造手段により創造された係数を、第２のＩＤ情報記憶手段により記憶されている第２のＩＤ情報とともに、第１の情報処理装置に供給する第２の係数供給手段とを備えることを特徴とする。
【００５６】
本発明の第５の情報処理方法は、第１のコンテンツデータを変換して、第２のコンテンツデータを創造する第１の情報処理装置と、第１の情報処理装置と通信を行う第２の情報処理装置と第１の情報処理装置と通信を行う、第２の情報処理装置と異なる第３の情報処理装置とで構成される情報処理システムの情報処理方法であって、第１の情報処理装置は、第２のコンテンツデータの創造における演算に用いられる係数を創造するのに必要な付加情報を生成する付加情報生成ステップと、付加情報生成ステップの処理により生成された付加情報を第２の情報処理装置または第３の情報処理装置に供給する付加情報供給ステップと、第２の情報処理装置または第３の情報処理装置より、ＩＤ情報とともに供給された係数を取得する係数取得ステップと、第２の情報処理装置および第３の情報処理装置の優先順位を管理する優先順位テーブルの記憶を制御するテーブル記憶制御ステップと、係数取得ステップの処理により係数とともに取得されたＩＤ情報、並びに、テーブル記憶制御ステップの処理により記憶が制御されている優先順位テーブルに基づいて、係数取得ステップの処理により取得された複数の係数の内、演算に用いる係数を決定する係数決定ステップと、係数決定ステップの処理により決定された係数を用いて演算を行い、第１のコンテンツデータを変換して、第２のコンテンツデータを創造するコンテンツデータ創造ステップとを含み、第２の情報処理装置は、第１の情報処理装置より付加情報を取得する第１の付加情報取得ステップと、第１の付加情報取得ステップの処理により取得された付加情報を用いて、係数を創造する第１の係数創造ステップと、第２の情報処理装置を識別するＩＤ情報である第１のＩＤ情報の記憶を制御する第１のＩＤ情報記憶制御ステップと、第１の係数創造ステップの処理により創造された係数を、第１のＩＤ情報記憶ステップの処理により記憶が制御されている第１のＩＤ情報とともに、第１の情報処理装置に供給する第１の係数供給ステップとを含み、第３の情報処理装置は、第１の情報処理装置より付加情報を取得する第２の付加情報取得ステップと、第２の付加情報取得ステップの処理により取得された付加情報を用いて、係数を創造する第２の係数創造ステップと、第３の情報処理装置を識別するＩＤ情報である第２のＩＤ情報の記憶を制御する第２のＩＤ情報記憶制御ステップと、第２の係数創造ステップの処理により創造された係数を、第２のＩＤ情報記憶制御ステップの処理により記憶が制御されている第２のＩＤ情報とともに、第１の情報処理装置に供給する第２の係数供給ステップとを含むことを特徴とする。
【００５７】
本発明の第５の情報処理システムは、第１のコンテンツデータを変換して、第２のコンテンツデータを創造する第１の情報処理装置と、第３のコンテンツデータを変換して、第４のコンテンツデータを創造する第２の情報処理装置と、第１の情報処理装置または第２の情報処理装置と通信を行う第３の情報処理装置と第１の情報処理装置または第２の情報処理装置と通信を行い、第３の情報処理装置と異なる第４の情報処理装置とで構成される情報処理システムであって、第１の情報処理装置は、第２のコンテンツデータの創造における演算に用いられる第１の係数を創造するのに必要な第１の付加情報を生成する第１の付加情報生成手段と、第１の付加情報生成手段により生成された第１の付加情報を第３の情報処理装置または第４の情報処理装置に供給する第１の付加情報供給手段と、第３の情報処理装置または第４の情報処理装置より、ＩＤ情報とともに供給された第１の係数を取得する第１の係数取得手段と、第３の情報処理装置および第４の情報処理装置の優先順位を管理する第１の優先順位テーブルを記憶する第１のテーブル記憶手段と、第１の係数取得手段により係数とともに取得されたＩＤ情報、並びに、第１のテーブル記憶手段により記憶されている第１の優先順位テーブルに基づいて、第１の係数取得手段により取得された複数の第１の係数の内、演算に用いる第１の係数を決定する第１の係数決定手段と、第１の係数決定手段により決定された第１の係数を用いて演算を行い、第１のコンテンツデータを変換して、第２のコンテンツデータを創造する第１のコンテンツデータ創造手段とを備え、第２の情報処理装置は、第４のコンテンツデータの創造における演算に用いられる第２の係数を創造するのに必要な第２の付加情報を生成する第２の付加情報生成手段と、第２の付加情報生成手段により生成された第２の付加情報を第３の情報処理装置または第４の情報処理装置に供給する第２の付加情報供給手段と、第３の情報処理装置または第４の情報処理装置より、ＩＤ情報とともに供給された第２の係数を取得する第２の係数取得手段と、第３の情報処理装置および第４の情報処理装置の優先順位を管理する、第１の優先順位テーブルと異なる第２の優先順位テーブルを記憶する第２のテーブル記憶手段と、第２の係数取得手段により第２の係数とともに取得されたＩＤ情報、並びに、第２のテーブル記憶手段により記憶されている第２の優先順位テーブルに基づいて、第２の係数取得手段により取得された複数の第２の係数の内、演算に用いる第２の係数を決定する第２の係数決定手段と、第２の係数決定手段により決定された第２の係数を用いて演算を行い、第３のコンテンツデータを変換して、第４のコンテンツデータを創造する第２のコンテンツデータ創造手段とを備え、第３の情報処理装置は、第１の情報処理装置より供給された第１の付加情報、または第２の情報処理装置より供給された第２の付加情報を取得する第１の付加情報取得手段と、第１の付加情報取得手段により取得された第１の付加情報または第２の付加情報を用いて、第１の係数または第２の係数を創造する第１の係数創造手段と、第３の情報処理装置を識別するＩＤ情報である第１のＩＤ情報を記憶する第１のＩＤ情報記憶手段と、第１の係数創造手段により創造された第１の係数または第２の係数を、第１のＩＤ情報記憶手段により記憶されている第１のＩＤ情報とともに、第１の情報処理装置または第２の情報処理装置にそれぞれ供給する第１の係数供給手段とを備え、第４の情報処理装置は、第１の情報処理装置より供給された第１の付加情報、または第２の情報処理装置より供給された第２の付加情報を取得する第２の付加情報取得手段と、第２の付加情報取得手段により取得された第１の付加情報または第２の付加情報を用いて、第１の係数または第２の係数を創造する第２の係数創造手段と、第４の情報処理装置を識別するＩＤ情報である第２のＩＤ情報を記憶する第２のＩＤ情報記憶手段と、第２の係数創造手段により創造された第１の係数または第２の係数を、第２のＩＤ情報記憶手段により記憶されている第２のＩＤ情報とともに、第１の情報処理装置または第２の情報処理装置にそれぞれ供給する第２の係数供給手段とを備えることを特徴とする。
【００５８】
本発明の第６の情報処理方法は、第１のコンテンツデータを変換して、第２のコンテンツデータを創造する第１の情報処理装置と、第３のコンテンツデータを変換して、第４のコンテンツデータを創造する第２の情報処理装置と、第１の情報処理装置または第２の情報処理装置と通信を行う第３の情報処理装置と第１の情報処理装置または第２の情報処理装置と通信を行う、第３の情報処理装置と異なる第４の情報処理装置とで構成される情報処理システムの情報処理方法であって、第１の情報処理装置は、第２のコンテンツデータの創造における演算に用いられる第１の係数を創造するのに必要な第１の付加情報を生成する第１の付加情報生成ステップと、第１の付加情報生成ステップの処理により生成された第１の付加情報を第３の情報処理装置または第４の情報処理装置に供給する第１の付加情報供給ステップと、第３の情報処理装置または第４の情報処理装置より、ＩＤ情報とともに供給された第１の係数を取得する第１の係数取得ステップと、第３の情報処理装置および第４の情報処理装置の優先順位を管理する第１の優先順位テーブルの記憶を制御する第１のテーブル記憶制御ステップと、第１の係数取得ステップの処理により係数とともに取得されたＩＤ情報、並びに、第１のテーブル記憶制御ステップの処理により記憶が制御されている第１の優先順位テーブルに基づいて、第１の係数取得ステップの処理により取得された複数の第１の係数の内、演算に用いる第１の係数を決定する第１の係数決定ステップと、第１の係数決定ステップの処理により決定された第１の係数を用いて演算を行い、第１のコンテンツデータを変換して、第２のコンテンツデータを創造する第１のコンテンツデータ創造ステップとを含み、第２の情報処理装置は、第４のコンテンツデータの創造における演算に用いられる第２の係数を創造するのに必要な第２の付加情報を生成する第２の付加情報生成ステップと、第２の付加情報生成ステップの処理により生成された第２の付加情報を第３の情報処理装置または第４の情報処理装置に供給する第２の付加情報供給ステップと、第３の情報処理装置または第４の情報処理装置より、ＩＤ情報とともに供給された第２の係数を取得する第２の係数取得ステップと、第３の情報処理装置および第４の情報処理装置の優先順位を管理する、第１の優先順位テーブルと異なる第２の優先順位テーブルの記憶を制御する第２のテーブル記憶制御ステップと、第２の係数取得ステップの処理により第２の係数とともに取得されたＩＤ情報、並びに、第２のテーブル記憶制御ステップの処理により記憶が制御されている第２の優先順位テーブルに基づいて、第２の係数取得ステップの処理により取得された複数の第２の係数の内、演算に用いる第２の係数を決定する第２の係数決定ステップと、第２の係数決定ステップの処理により決定された第２の係数を用いて演算を行い、第３のコンテンツデータを変換して、第４のコンテンツデータを創造する第２のコンテンツデータ創造ステップとを含み、第３の情報処理装置は、第１の情報処理装置より供給された第１の付加情報、または第２の情報処理装置より供給された第２の付加情報を取得する第１の付加情報取得ステップと、第１の付加情報取得ステップの処理により取得された第１の付加情報または第２の付加情報を用いて、第１の係数または第２の係数を創造する第１の係数創造ステップと、第３の情報処理装置を識別するＩＤ情報である第１のＩＤ情報の記憶を制御する第１のＩＤ情報記憶制御ステップと、第１の係数創造ステップの処理により創造された第１の係数または第２の係数を、第１のＩＤ情報記憶制御ステップの処理により記憶が制御されている第１のＩＤ情報とともに、第１の情報処理装置または第２の情報処理装置にそれぞれ供給する第１の係数供給ステップとを含み、第４の情報処理装置は、第１の情報処理装置より供給された第１の付加情報、または第２の情報処理装置より供給された第２の付加情報を取得する第２の付加情報取得ステップと、第２の付加情報取得ステップの処理により取得された第１の付加情報または第２の付加情報を用いて、第１の係数または第２の係数を創造する第２の係数創造ステップと、第４の情報処理装置を識別するＩＤ情報である第２のＩＤ情報の記憶を制御する第２のＩＤ情報記憶制御ステップと、第２の係数創造ステップの処理により創造された第１の係数または第２の係数を、第２のＩＤ情報記憶制御ステップの処理により記憶が制御されている第２のＩＤ情報とともに、第１の情報処理装置または第２の情報処理装置にそれぞれ供給する第２の係数供給ステップとを含むことを特徴とする。
【００５９】
本発明の第６の情報処理システムは、第１のコンテンツデータを変換して、第２のコンテンツデータを創造する第１の情報処理装置と、第１の情報処理装置と通信を行う第２の情報処理装置とで構成される情報処理システムであって、第１の情報処理装置は、第２の情報処理装置より制御情報を取得する制御情報取得手段と、制御情報取得手段により取得された制御情報に基づいて、第２のコンテンツデータの創造における演算に用いられる係数を創造するのに必要な付加情報を生成する付加情報生成手段と、付加情報生成手段により生成された付加情報を用いて、係数を創造する係数創造手段と、係数創造手段により創造された係数を用いて演算を行い、第１のコンテンツデータを変換して、第２のコンテンツデータを創造するコンテンツデータ創造手段とを備え、第２の情報処理装置は、ユーザの入力を受け付ける入力受け付け手段と、入力受け付け手段により受け付けられたユーザの入力に基づいて、第１の情報処理装置に付加情報の生成を開始させる制御情報を供給する制御情報供給手段とを備えることを特徴とする。
【００６０】
本発明の第７の情報処理方法は、第１のコンテンツデータを変換して、第２のコンテンツデータを創造する第１の情報処理装置と、第１の情報処理装置と通信を行う第２の情報処理装置とで構成される情報処理システムの情報処理方法であって、第１の情報処理装置は、第２の情報処理装置より制御情報を取得する制御情報取得ステップと、制御情報取得ステップの処理により取得された制御情報に基づいて、第２のコンテンツデータの創造における演算に用いられる係数を創造するのに必要な付加情報を生成する付加情報生成ステップと、付加情報生成ステップの処理により生成された付加情報を用いて、係数を創造する係数創造ステップと、係数創造手段により創造された係数を用いて演算を行い、第１のコンテンツデータを変換して、第２のコンテンツデータを創造するコンテンツデータ創造ステップとを含み、第２の情報処理装置は、ユーザの入力を受け付ける入力受け付けステップと、入力受け付けステップの処理により受け付けられたユーザの入力に基づいて、第１の情報処理装置に付加情報の生成を開始させる制御情報を供給する制御情報供給ステップとを含むことを特徴とする。
【００６１】
本発明の第１の情報処理システムにおいては、第１のコンテンツデータを変換して、第２のコンテンツデータを創造する第１の情報処理装置と、第１の情報処理装置と通信を行う第２の情報処理装置とが備えられ、第１の情報処理装置においては、第２のコンテンツデータの創造における演算に用いられる係数を創造するのに必要な付加情報が生成され、生成された付加情報が第２の情報処理装置に供給され、第２の情報処理装置より係数が取得され、その取得された係数を用いて演算が行われ、第１のコンテンツデータが変換され、第２のコンテンツデータが創造され、第２の情報処理装置においては、第１の情報処理装置より付加情報が取得され、その取得された付加情報を用いて、係数が創造され、創造された係数が第１の情報処理装置に供給される。
【００６２】
本発明の第１の情報処理装置および方法、第１の記録媒体、並びに第１のプログラムにおいては、第２のコンテンツデータの創造における演算に用いられる係数を創造するのに必要な付加情報が生成され、生成された付加情報が他の情報処理装置に供給され、他の情報処理装置より係数が取得され、取得された係数を用いて演算が行われ、第１のコンテンツデータが変換され、第２のコンテンツデータが創造される。
【００６３】
本発明の第２の情報処理装置および方法、第２の記録媒体、並びに第２のプログラムにおいては、他の情報処理装置より、第２のコンテンツデータの創造における演算に用いられる係数を創造するのに必要な付加情報が取得され、取得された付加情報を用いて係数が創造され、その創造された係数が他の情報処理装置に供給される。
【００６４】
本発明の第２の情報処理システム、および第３の情報処理方法においては、第１のコンテンツデータを変換して得られる第２のコンテンツデータの画像が表示される第１の情報処理装置と、第１の情報処理装置と通信が行われる第２の情報処理装置とで構成され、第１の情報処理装置においては、第２のコンテンツデータの創造する演算に用いられる係数を創造する付加情報が生成され、その生成された付加情報が第２の情報処理装置に供給され、第２の情報処理装置に第１のコンテンツデータが供給され、第２の情報処理装置より第２のコンテンツデータが取得され、その取得された第２のコンテンツデータの画像が表示され、第２の情報処理装置においては、第１の情報処理装置より付加情報が取得され、その取得された付加情報を用いて、係数が創造され、第１の情報処理装置より第１のコンテンツデータが取得され、創造された係数を用いた演算が行われ、取得された第１のコンテンツデータが変換されて、生成された第２のコンテンツデータが第１の情報処理装置に供給される。
【００６５】
本発明の第３の情報処理システム、および第４の情報処理方法においては、第１のコンテンツデータを変換して、第２のコンテンツデータを創造する第１の情報処理装置と、第３のコンテンツデータを変換して、第４のコンテンツデータを創造する、第１の情報処理装置と異なる第２の情報処理装置と、第１の情報処理装置および第２の情報処理装置と通信を行う第３の情報処理装置とで構成され、第１の情報処理装置においては、第２のコンテンツデータの創造における演算に用いられる第１の係数を創造するのに必要な第１の付加情報が生成され、その生成された第１の付加情報が第３の情報処理装置に供給され、第３の情報処理装置より第１の係数が取得され、その取得された第１の係数を用いた演算が行われ、第１のコンテンツデータが変換され、第２のコンテンツデータが創造され、第２の情報処理装置においては、第４のコンテンツデータの創造における演算に用いられる第２の係数を創造するのに必要な第２の付加情報が生成され、その生成された第２の付加情報が第３の情報処理装置に供給され、第３の情報処理装置より第２の係数が取得され、その取得された第２の係数を用いた演算が行われ、第３のコンテンツデータが変換されて、第４のコンテンツデータが創造され、第３の情報処理装置においては、第１の情報処理装置より供給された第１の付加情報、または、第２の情報処理装置より供給された第２の付加情報が取得され、その取得された第１の付加情報または第２の付加情報を用いて、第１の係数または第２の係数が創造され、その創造された第１の係数または第２の係数が、第１の情報処理装置または第２の情報処理装置にそれぞれ供給される。
【００６６】
本発明の第４の情報処理システム、および第５の情報処理方法においては、第１のコンテンツデータを変換して、第２のコンテンツデータが創造される第１の情報処理装置と、第１の情報処理装置と通信が行われる第２の情報処理装置と第１の情報処理装置と通信が行われ、第２の情報処理装置と異なる第３の情報処理装置とで構成され、第１の情報処理装置においては、第２のコンテンツデータの創造における演算に用いられる係数を創造するのに必要な付加情報が生成され、その生成された付加情報が第２の情報処理装置または第３の情報処理装置に供給され、第２の情報処理装置または第３の情報処理装置より、ＩＤ情報とともに供給された係数が取得され、第２の情報処理装置および第３の情報処理装置の優先順位を管理する優先順位テーブルが記憶され、係数とともに取得されたＩＤ情報、並びに、記憶されている優先順位テーブルに基づいて、取得された複数の係数の内、演算に用いる係数が決定され、その決定された係数を用いて演算が行われ、第１のコンテンツデータが変換されて、第２のコンテンツデータが創造され、第２の情報処理装置においては、第１の情報処理装置より付加情報が取得され、その取得された付加情報を用いて、係数が創造され、第２の情報処理装置を識別するＩＤ情報である第１のＩＤ情報が記憶され、創造された係数が、記憶されている第１のＩＤ情報とともに、第１の情報処理装置に供給され、第３の情報処理装置においては、第１の情報処理装置より付加情報が取得され、その取得された付加情報を用いて、係数が創造され、第３の情報処理装置を識別するＩＤ情報である第２のＩＤ情報が記憶され、創造された係数が、記憶されている第２のＩＤ情報とともに、第１の情報処理装置に供給される。
【００６７】
本発明の第５の情報処理システム、および第６の情報処理方法においては、第１のコンテンツデータが変換されて、第２のコンテンツデータが創造される第１の情報処理装置と、第３のコンテンツデータが変換されて、第４のコンテンツデータが創造される第２の情報処理装置と、第１の情報処理装置または第２の情報処理装置と通信が行われる第３の情報処理装置と第１の情報処理装置または第２の情報処理装置と通信が行われ、第３の情報処理装置と異なる第４の情報処理装置とで構成され、第１の情報処理装置においては、第２のコンテンツデータの創造における演算に用いられる第１の係数を創造するのに必要な第１の付加情報が生成され、生成された第１の付加情報が第３の情報処理装置または第４の情報処理装置に供給され、第３の情報処理装置または第４の情報処理装置より、ＩＤ情報とともに供給された第１の係数が取得され、第３の情報処理装置および第４の情報処理装置の優先順位を管理する第１の優先順位テーブルが記憶され、係数とともに取得されたＩＤ情報、並びに、記憶されている第１の優先順位テーブルに基づいて、取得された複数の第１の係数の内、演算に用いる第１の係数が決定され、その決定された第１の係数を用いた演算が行われ、第１のコンテンツデータが変換されて、第２のコンテンツデータが創造され、第２の情報処理装置においては、第４のコンテンツデータの創造における演算に用いられる第２の係数を創造するのに必要な第２の付加情報が生成され、その生成された第２の付加情報が第３の情報処理装置または第４の情報処理装置に供給され、第３の情報処理装置または第４の情報処理装置より、ＩＤ情報とともに供給された第２の係数が取得され、第３の情報処理装置および第４の情報処理装置の優先順位を管理する、第１の優先順位テーブルと異なる第２の優先順位テーブルが記憶され、第２の係数とともに取得されたＩＤ情報、並びに、記憶されている第２の優先順位テーブルに基づいて、取得された複数の第２の係数の内、演算に用いる第２の係数が決定され、その決定された第２の係数を用いた演算が行われ、第３のコンテンツデータが変換されて、第４のコンテンツデータが創造され、第３の情報処理装置においては、第１の情報処理装置より供給された第１の付加情報、または第２の情報処理装置より供給された第２の付加情報が取得され、その取得された第１の付加情報または第２の付加情報を用いて、第１の係数または第２の係数が創造され、第３の情報処理装置を識別するＩＤ情報である第１のＩＤ情報が記憶され、創造された第１の係数または第２の係数が、記憶されている第１のＩＤ情報とともに、第１の情報処理装置または第２の情報処理装置にそれぞれ供給され、第４の情報処理装置においては、第１の情報処理装置より供給された第１の付加情報、または第２の情報処理装置より供給された第２の付加情報が取得され、その取得された第１の付加情報または第２の付加情報を用いて、第１の係数または第２の係数が創造され、第４の情報処理装置を識別するＩＤ情報である第２のＩＤ情報が記憶され、創造された第１の係数または第２の係数が、記憶されている第２のＩＤ情報とともに、第１の情報処理装置または第２の情報処理装置にそれぞれ供給される。
【００６８】
本発明の第６の情報処理システム、および第７の情報処理方法においては、第１のコンテンツデータを変換して、第２のコンテンツデータが創造される第１の情報処理装置と、第１の情報処理装置と通信を行う第２の情報処理装置とで構成され、第１の情報処理装置においては、第２の情報処理装置より制御情報が取得され、その取得された制御情報に基づいて、第２のコンテンツデータの創造における演算に用いられる係数を創造するのに必要な付加情報が生成され、その生成された付加情報を用いて、係数が創造され、その創造された係数を用いて演算が行われ、第１のコンテンツデータが変換されて、第２のコンテンツデータが創造され、第２の情報処理装置においては、ユーザの入力が受け付けられ、その受け付けられたユーザの入力に基づいて、第１の情報処理装置に付加情報の生成を開始させる制御情報が供給される。
【００６９】
【発明の実施の形態】
図１は、本発明を適用した画像情報処理システムの構成例を表すブロック図である。
【００７０】
図１に示される画像情報処理システムは、外部の放送局より供給される画像信号を受信し、内蔵するディスプレイに表示するテレビジョン受信装置１０と、テレビジョン信号に対応するリモートコントローラ２０により構成される。
【００７１】
テレビジョン受信装置１０は、アンテナ１１および画像信号処理部１２を有しており、外部より供給される、例えばＮＴＳＣ信号等の、ＳＤ（Ｓｔａｎｄａｒｄ  Ｄｅｆｉｎｉｔｉｏｎ）信号である画像信号を、アンテナ１１を介して受信する。テレビジョン受信装置１０は、画像信号処理部１２において、受信した画像信号に対してクラス分類適応処理を用いた画像処理を行い、ＨＤ（Ｈｉｇｈ  Ｄｅｆｉｎｉｔｉｏｎ）信号の画像信号に変換する等の処理を行う。そして、テレビジョン受信装置１０は、変換した画像信号に対応する画像を、図示せぬディスプレイに表示する。画像処理に関する詳細な説明は後述する。
【００７２】
また、テレビジョン受信装置１０は、リモートコントローラ２０と無線通信を行う通信部（図示せず）を有しており、リモートコントローラ２０より制御信号を取得し、その制御信号に基づいて、例えば、画像信号処理部１２において使用されるデータである係数種データを生成するためのパラメータをリモートコントローラ２０に供給する等の、各種の動作を行う。
【００７３】
リモートコントローラ２０は、ユーザが操作する入力部、および、テレビジョン受信装置１０と無線通信を行う通信部（いずれも図示せず）を有し、ユーザに入力部を操作され、テレビジョン受信装置１０の動作を制御する各種の制御信号等を、テレビジョン受信装置１０に供給する。例えば、リモートコントローラ２０は、ユーザ入力に基づいて、上述したパラメータを決定させる制御信号をテレビジョン受信装置１０に供給する。その際、リモートコントローラ２０は、パラメータを決定させる制御信号だけでなく、例えばユーザ入力等、パラメータを決定するための情報等も供給する。
【００７４】
また、リモートコントローラ２０は、係数種データ生成部２１を内蔵しており、その係数種データ生成部２１において、テレビジョン受信装置１０より供給されたパラメータに基づいて、係数種データを生成し、生成した係数種データを図示せぬ通信部を介してテレビジョン受信装置１０に供給する。テレビジョン受信装置１０は、供給された係数種データを用いて、画像処理を行う。係数種データについての説明は後述する。
【００７５】
図２は、図１のテレビジョン受信装置１０の詳細な構成例を示すブロック図である。
【００７６】
このテレビジョン受信装置１０は、放送信号より５２５ｉ信号というＳＤ信号を得て、この５２５ｉ信号を１０５０ｉ信号というＨＤ信号に変換し、そのＨＤ信号による画像を表示するものである。
【００７７】
図３は、５２５ｉ信号および１０５０ｉ信号のあるフレーム（Ｆ）の画素位置関係を示すものであり、奇数（ｏ）フィールドの画素位置を実線で示し、偶数（ｅ）フィールドの画素位置を破線で示している。大きなドットが５２５ｉ信号の画素であり、小さいドットが１０５０ｉ信号の画素である。図３から分かるように、１０５０ｉ信号の画素データとしては、５２５ｉ信号のラインに近い位置のラインデータＬ１，Ｌ１′と、５２５ｉ信号のラインから遠い位置のラインデータＬ２，Ｌ２′とが存在する。ここで、Ｌ１，Ｌ２は奇数フィールドのラインデータ、Ｌ１′，Ｌ２′は偶数フィールドのラインデータである。また、１０５０ｉ信号の各ラインの画素数は、５２５ｉ信号の各ラインの画素数の２倍である。
【００７８】
図２に戻り、テレビジョン受信装置１０の構成について説明する。ユーザは、リモートコントローラ２０を用いて、テレビジョン受信装置１０を操作する。テレビジョン受信装置１０は、ＣＰＵ（Ｃｅｎｔｒａｌ  ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  ｍｅｍｏｒｙ）を含むマイクロコントローラを備え、システム全体の動作を制御するためのシステムコントローラ３２と、リモートコントローラ２０と通信を行う通信部３１とを有している。通信部３１は、システムコントローラ３２に接続され、リモートコントローラ２０よりユーザの操作に応じて出力されるリモートコントロール信号を受信し、その信号に対応する操作信号を、システムコントローラ３２に供給するように構成されている。
【００７９】
アンテナ１１は、放送信号（ＲＦ（Ｒａｄｉｏ  Ｆｒｅｑｕｅｎｃｙ）変調信号）を受信する。チューナ３３は、アンテナ１１を介して受信した放送信号の供給を受け、システムコントローラ３２から入力される制御信号に従って、ユーザがリモートコントローラ２０を用いる等して選局したチャンネルを選局する選局処理を行い、更に、中間周波増幅処理、検波処理等などを行って、上述したＳＤ信号（５２５ｉ信号）を得る。バッファメモリ３４は、チューナ３３より出力されるＳＤ信号を一時的に保存する。
【００８０】
画像信号処理部１２は、バッファメモリ３４に一時的に保存されるＳＤ信号（５２５ｉ信号）を、ＨＤ信号（１０５０ｉ信号）に変換する画像信号処理を行う。
【００８１】
図４は、画像信号処理部１２の更に詳細な構成を示すブロック図である。
【００８２】
画像信号処理部１２の第１のタップ選択部４１、第２のタップ選択部４２、および、第３のタップ選択部４３は、バッファメモリ３４に記憶されているＳＤ信号（５２５ｉ信号）より、ＨＤ信号（１０５０ｉ信号）における注目位置の周辺に位置する複数のＳＤ画素のデータを選択的に取り出して出力する。
【００８３】
第１のタップ選択部４１は、予測に使用するＳＤ画素（以下、「予測タップ」と称する）のデータを選択的に取り出すものである。第２のタップ選択部４２は、ＳＤ画素データのレベル分布パターンに対応するクラス分類に使用するＳＤ画素（以下、「空間クラスタップ」と称する）のデータを選択的に取り出すものである。第３のタップ選択部４３は、動きに対応するクラス分類に使用するＳＤ画素（以下、「動きクラスタップ」と称する）のデータを選択的に取り出するものである。なお、空間クラスを複数フィールドに属するＳＤ画素データを使用して決定する場合には、この空間クラスにも動き情報が含まれることになる。
【００８４】
空間クラス検出部４４は、第２のタップ選択部４２で選択的に取り出された空間クラスタップのデータ（ＳＤ画素データ）のレベル分布パターンを検出し、このレベル分布パターンに基づいて空間クラスを検出し、そのクラス情報を出力する。
【００８５】
空間クラス検出部４４では、例えば、各ＳＤ画素データを、８ビットデータから２ビットデータに圧縮するような演算が行われる。そして、空間クラス検出部４４からは、各ＳＤ画素データに対応した圧縮データが、空間クラスのクラス情報として出力される。本実施の形態においては、ＡＤＲＣ（Ａｄａｐｔｉｖｅ  Ｄｙｎａｍｉｃ  Ｒａｎｇｅ  Ｃｏｄｉｎｇ）によって、データ圧縮が行われる。なお、情報圧縮手段としては、ＡＤＲＣ以外にＤＰＣＭ（予測符号化）、ＶＱ（ベクトル量子化）等を用いてもよい。
【００８６】
本来、ＡＤＲＣは、ＶＴＲ（Ｖｉｄｅｏ  Ｔａｐｅ  Ｒｅｃｏｒｄｅｒ）向け高性能符号化用に開発された適応再量子化法であるが、信号レベルの局所的なパターンを短い語長で効率的に表現できるので、上述したデータ圧縮に使用して好適なものである。ＡＤＲＣを使用する場合、空間クラスタップのデータ（ＳＤ画素データ）の最大値をＭＡＸ、その最小値をＭＩＮ、空間クラスタップのデータのダイナミックレンジをＤＲ（＝ＭＡＸ−ＭＩＮ＋１）、再量子化ビット数をＰとすると、空間クラスタップのデータとしての各ＳＤ画素データｋｉに対して、式（１）の演算により、圧縮データとしての再量子化コードｑｉが得られる。ただし、式（１）において、［  ］は切捨て処理を意味している。空間クラスタップのデータとして、Ｎａ個のＳＤ画素データがあるとき、ｉ＝１乃至Ｎａである。
【００８７】
【数１】
2004247991.tif 000003
【００８８】
動きクラス検出部４５は、第３のタップ選択部４３で選択的に取り出された動きクラスタップのデータ（ＳＤ画素データ）より、主に、動きの程度を表すための動きクラスを検出し、そのクラス情報を出力する。
【００８９】
この動きクラス検出部４５では、第３のタップ選択部４３で選択的に取り出された動きクラスタップのデータ（ＳＤ画素データ）ｍｉおよびｎｉからフレーム間差分が算出され、更に、その差分の絶対値の平均値に対してしきい値処理が行われて、動きの指標である動きクラスが検出される。すなわち、動きクラス検出部４５は、式（２）によって、差分の絶対値の平均値ＡＶを算出する。第３のタップ選択部４３で、例えば、上述したように、１２個のＳＤ画素データｍ１乃至ｍ６およびｎ１乃至ｎ６が取り出されるとき、式（２）におけるＮｂは６である。
【００９０】
【数２】
2004247991.tif 000004
【００９１】
そして、動きクラス検出部４５では、上述したように算出された平均値ＡＶが、１個または複数個のしきい値と比較されて、動きクラスのクラス情報ＭＶが得られる。例えば、３個のしきい値ｔｈ１，ｔｈ２，およびｔｈ３（ｔｈ１＜ｔｈ２＜ｔｈ３）が用意され、４つの動きクラスが検出される場合、ＡＶ≦ｔｈ１のときはＭＶ＝０、ｔｈ１＜ＡＶ≦ｔｈ２のときはＭＶ＝１、ｔｈ２＜ＡＶ≦ｔｈ３のときはＭＶ＝２、ｔｈ３＜ＡＶのときはＭＶ＝３とされる。
【００９２】
クラス合成部４６は、空間クラス検出部４４より出力される空間クラスのクラス情報としての再量子化コードｑｉと、動きクラス検出部４５より出力される動きクラスのクラス情報ＭＶに基づき、作成すべきＨＤ信号（１０５０ｉ信号）の画素データ（注目位置の画素データ）が属するクラスを示すクラスコードＣＬを得る。
【００９３】
このクラス合成部４６では、以下の式（３）によって、クラスコードＣＬの演算が行われる。なお、式（３）において、Ｎａは空間クラスタップのデータ（ＳＤ画素データ）の個数、ＰはＡＤＲＣにおける再量子化ビット数を示している。
【００９４】
【数３】
2004247991.tif 000005
【００９５】
係数メモリ５３は、後述する推定予測演算部４７で使用される推定式で用いられる複数の係数データＷｉを、クラス毎に格納するものである。この係数データＷｉは、ＳＤ信号（５２５ｉ信号）を、ＨＤ信号（１０５０ｉ信号）に変換するための情報である。係数メモリ５３には、クラス合成部４６より出力されるクラスコードＣＬが、読み出しアドレス情報として供給され、係数メモリ５３からは、クラスコードＣＬに対応した推定式の係数データＷｉ（ｉ＝１乃至ｎ）が読み出され、推定予測演算部４７に供給される。
【００９６】
また、画像信号処理部１２は、情報メモリバンク５１を有している。後述する推定予測演算部４７では、予測タップのデータ（ＳＤ画素データ）ｘｉと、係数メモリ５３より読み出される係数データＷｉとから、以下の式（４）の推定式によって、作成すべきＨＤ画素データｙが演算される。式（４）のｎは、第１のタップ選択部４１で選択される予測タップの数を表している。
【００９７】
ここで、タップ選択部４１で選択的に取り出された予測タップのｎ個の画素データの位置は、ＨＤ信号における注目位置に対して、空間方向（水平、垂直の方向）および時間方向に亘っている。
【００９８】
【数４】
2004247991.tif 000006
【００９９】
そして、推定式の係数データＷｉ（ｉ＝１乃至ｎ）は、以下の式（５）に示すように、パラメータｓ、およびｚを含む生成式によって生成される。情報メモリバンク５１は、この生成式における係数データである係数種データｗ１０乃至ｗｎ９を、クラス毎に格納する。この係数種データの生成方法については後述する。
【０１００】
【数５】
2004247991.tif 000007
【０１０１】
上述したように、５２５ｉ信号を１０５０ｉ信号に変換する場合、奇数、および偶数のそれぞれのフィールドにおいて、５２５ｉ信号の１画素に対応して１０５０ｉ信号の４画素を得る必要がある。この場合、奇数、偶数のそれぞれのフィールドにおける１０５０ｉ信号を構成する２＆ｔｉｍｅｓ；２の単位画素ブロック内の４画素は、それぞれ中心予測タップに対して異なる位相ずれを持っている。
【０１０２】
図５は、奇数フィールドにおける１０５０ｉ信号を構成する２＆ｔｉｍｅｓ；２の単位画素ブロック内の４画素ＨＤ１乃至ＨＤ４における中心予測タップＳＤ０からの位相ずれを示している。ここで、ＨＤ１乃至ＨＤ４の位置は、それぞれ、ＳＤ０の位置から水平方向にｋ１乃至ｋ４、垂直方向にｍ１乃至ｍ４だけずれている。
【０１０３】
図６は、偶数フィールドにおける１０５０ｉ信号を構成する２＆ｔｉｍｅｓ；２の単位画素ブロック内の４画素ＨＤ１′乃至ＨＤ４′における中心予測タップＳＤ０′からの位相ずれを示している。ここで、ＨＤ１′乃至ＨＤ４′の位置は、それぞれ、ＳＤ０′の位置から水平方向にｋ１′乃至ｋ４′、垂直方向にｍ１′乃至ｍ４′だけずれている。
【０１０４】
従って、情報メモリバンク５１には、クラスおよび出力画素（ＨＤ１乃至ＨＤ４，ＨＤ１′乃至ＨＤ４′）の組み合わせ毎に、係数種データｗ１０乃至ｗｎ９が格納されている。
【０１０５】
係数生成部５２は、各クラスの係数種データ、並びに、パラメータｓ、およびｚの値を用い、上述した式（５）によって、クラス毎に、パラメータｓ、およびｚの値に対応した推定式の係数データＷｉ（ｉ＝１乃至ｎ）を生成する。係数生成部５２には、情報メモリバンク５１より、上述した各クラスの係数種データがロードされる。また、係数生成部５２には、システムコントローラ３２より、パラメータｓ、およびｚの値が供給される。
【０１０６】
係数生成部５２で生成される各クラスの係数データＷｉ（ｉ＝１乃至ｎ）は、上述した係数メモリ５３に格納される。この係数生成部５２における各クラスの係数データＷｉの生成は、例えば、各垂直ブランキング期間で行われる。これにより、ユーザのリモートコマンダ２の操作によってパラメータｓ、およびｚの値が変更されても、係数メモリ５３に格納される各クラスの係数データＷｉを、そのパラメータｓ、およびｚの値に対応したものに即座に変更することができ、ユーザによる解像度の調整がスムーズに行われる。
【０１０７】
正規化係数演算部５４は、係数生成部５２で求められた係数データＷｉ（ｉ＝１乃至ｎ）に対応した正規化係数Ｓを、以下の式（６）によって演算する。正規化係数メモリ５５は、この正規化係数Ｓを格納する。正規化係数メモリ５５には、上述したクラス合成部４６より出力されるクラスコードＣＬが、読み出しアドレス情報として供給され、正規化係数メモリ５５からは、クラスコードＣＬに対応した正規化係数Ｓが読み出され、後述する正規化演算部４８に供給される。
【０１０８】
【数６】
2004247991.tif 000008
【０１０９】
推定予測演算部４７は、第１のタップ選択部４１で選択的に取り出された予測タップのデータ（ＳＤ画素データ）ｘｉと、係数メモリ５３より読み出される係数データＷｉとから、式（４）の推定式によって、作成すべきＨＤ信号の画素データ（注目位置の画素データ）を演算する。
【０１１０】
上述したように、ＳＤ信号（５２５ｉ信号）をＨＤ信号（１０５０ｉ信号）に変換する際には、ＳＤ信号の１画素に対してＨＤ信号の４画素（図４のＨＤ１乃至ＨＤ４、図５のＨＤ１′乃至ＨＤ４′参照）を得る必要があることから、この推定予測演算部４７では、ＨＤ信号を構成する２＆ｔｉｍｅｓ；２の単位画素ブロック毎に、画素データが生成される。すなわち、この推定予測演算部４７には、第１のタップ選択部４１より単位画素ブロック内の４画素（注目画素）に対応した予測タップのデータｘｉと、係数メモリ５３よりその単位画素ブロックを構成する４画素に対応した係数データＷｉとが供給され、単位画素ブロックを構成する４画素のデータｙ１乃至ｙ４は、それぞれ個別に、上述した式（４）の推定式で演算される。
【０１１１】
正規化演算部４８は、推定予測演算部４７より順次出力される４画素のデータｙ１乃至ｙ４を、正規化係数メモリ５５より読み出される、それぞれの演算に使用された係数データＷｉ（ｉ＝１乃至ｎ）に対応した正規化係数Ｓで除算して正規化する。上述したように、係数生成部５２は、推定式の係数データＷｉを求めるものであるが、求められる係数データは丸め誤差を含み、係数データＷｉ（ｉ＝１乃至ｎ）の総和が１．０になることは保証されない。そのため、推定予測演算部４７で演算される各画素のデータｙ１乃至ｙ４は、丸め誤差によってレベル変動したものとなる。従って、正規化演算部４８で正規化することで、そのレベル変動を除去することができる。
【０１１２】
後処理部４９は、正規化演算部４８で正規化されて順次供給される単位画素ブロック内の４画素のデータｙ１′乃至ｙ４′を線順次化して、１０５０ｉ信号のフォーマットで出力する。
【０１１３】
履歴情報記憶部５０は、システムコントローラ３２から係数生成部５２に入力されるパラメータｓ、およびｚの値の履歴情報を格納する。
【０１１４】
図７は、履歴情報記憶部５０の更に詳細な構成を示すブロック図である。履歴情報記憶部５０は、システムコントローラ３２から係数生成部５２に入力されるパラメータｓ、およびｚの値のそれぞれの度数分布の情報を格納する度数分布メモリ６１を備えている。度数分布メモリ６１には、パラメータｓ、およびｚの各値における度数が平均化されて格納される。この度数分布メモリ６１は、例えば、不揮発性のメモリで構成され、テレビジョン受信装置１０の電源がオフの状態となっても、その記憶内容が保持されるようになされている。
【０１１５】
そのために、履歴情報記憶部５０は、更に、パラメータｓ、およびｚの値の係数生成部５２への入力回数をカウントするカウンタ６２と、このカウンタ６２のカウント値に基づいて、パラメータｓ、およびｚの値における度数を平均化する平均化部６３とを備えている。
【０１１６】
カウンタ６２のカウントアップは、システムコントローラ１２の制御によって行われる。ユーザは、図８および図９を用いて後述するように、調整画面上でパラメータｓ、およびｚの値を調整し得るが、カウンタ６２はその調整が終了した時点でカウントアップされる。
【０１１７】
平均化部６３は、入力されたパラメータｓ、およびｚの値、カウンタ６２のカウント値および度数分布メモリ６１に格納されている前回までのパラメータｓ、およびｚの各値における度数の平均値を用いて、パラメータｓ、およびｚの各値における新たな度数の平均値を求める。
【０１１８】
この場合、入力回数がＭ、つまりカウンタ９２のカウント値がＭとなるとき、入力されるパラメータの値における度数に関しては、前回までのそのパラメータにおける度数の平均値をｎＭ−１とするとき、新たな度数の平均値ｎＭは、次の式（７）の演算により求められる。一方、入力回数がＭであるとき、入力されるパラメータの値とは異なるパラメータの値における度数に関しては、前回までのそのパラメータにおける度数の平均値をｎＭ−１とするとき、新たな度数の平均値ｎＭは、次の式（８）の演算により求められる。
【０１１９】
【数７】
2004247991.tif 000009
【０１２０】
【数８】
2004247991.tif 000010
【０１２１】
このように、度数分布メモリ６１に格納されるパラメータｓ、およびｚの値の度数分布の情報として、パラメータｓ、およびｚの各値における度数の平均値を用いることで、オーバーフローを防止することができる。
【０１２２】
なお、パラメータｓ、およびｚの各値における度数の平均値を用いる変わりに、パラメータｓ、およびｚの各値における度数を、最大度数によって正規化した値を用いるようにしても、同様にオーバーフローを防止できる。
【０１２３】
また、履歴情報記憶部５０は、システムコントローラ３２から係数生成部５２に入力されるパラメータｓ、およびｚの値のうち、所定数、例えば１０個の最新のパラメータｓ、およびｚの値を格納する経時変化メモリ６４を有している。この経時変化メモリ６４は、例えば、不揮発性のメモリで構成され、テレビジョン受信装置１０の電源がオフの状態でもその記憶内容が保持されるようになされている。
【０１２４】
経時変化メモリ６４への書き込み動作は、システムコントローラ３２の制御によって行われる。図８および図９を用いて後述するように、ユーザは、調整画面上でパラメータｓ、およびｚの値を調整することができるが、経時変化メモリ６４には、その調整が終了した時点で、新たなパラメータｓ、およびｚの値が書き込まれる。この書き込みに伴って、格納されているパラメータｓ、およびｚの値の個数が所定数を越えるときは、最も古いパラメータｓ、およびｚの値が削除される。
【０１２５】
図２に戻り、再び、テレビジョン受信装置１０の構成について説明する。
【０１２６】
ＯＳＤ（Ｏｎ  Ｓｃｒｅｅｎ  Ｄｉｓｐｌａｙ）処理部３５は、表示部３７の画面上に文字図形などの表示を行うための表示信号ＳＣＨを発生する。合成部３６は、ＯＳＤ処理部３５から出力される表示信号ＳＣＨを、画像信号処理部１２から出力されるＨＤ信号に合成して、表示部３７に供給する。表示部３７は、例えば、ＣＲＴ（ｃａｔｈｏｄｅ−ｒａｙ  ｔｕｂｅ）ディスプレイ、あるいはＬＣＤ（ｌｉｑｕｉｄ  ｃｒｙｓｔａｌ  ｄｉｓｐｌａｙ）等のフラットパネルディスプレイで構成され、画像信号処理部１２より出力されるＨＤ信号による画像と、必要に応じて合成部３６により合成された表示信号ＳＣＨとを表示する。
【０１２７】
また、システムコントローラ３２には、必要に応じてドライブ３８が接続され、磁気ディスク、光ディスク、光磁気ディスク、あるいは、半導体メモリなどのリムーバブルメディア３９が適宜装着され、それらから読み出されたコンピュータプログラムが、必要に応じてシステムコントローラ３２にインストールされる。
【０１２８】
図２のテレビジョン受信装置１０の動作について説明する。
【０１２９】
システムコントローラ３２は、リモートコントローラ２０を用いて入力されるユーザの操作に基づいて、チューナ３３を制御する。チューナ３３は、システムコントローラ３２の制御に従って、アンテナ１１で受信された放送信号に対して、選局処理、中間周波増幅処理、および検波処理などを行い、バッファメモリ３４に出力する。
【０１３０】
チューナ３３より出力されるＳＤ信号（５２５ｉ信号）は、バッファメモリ３４に供給されて、一時的に保存される。そして、バッファメモリ３４に一時的に記憶されたＳＤ信号は、画像信号処理部１２に供給され、システムコントローラ３２から供給される制御信号を基に、ＨＤ信号（１０５０ｉ信号）に変換される。
【０１３１】
すなわち、画像信号処理部１２では、ＳＤ信号を構成する画素データ（以下、「ＳＤ画素データ」と称する）から、ＨＤ信号を構成する画素データ（以下、「ＨＤ画素データ」と称する）を得ることができる。画像信号処理部１２より出力されるＨＤ信号は、必要に応じて、合成部３６において、ＯＳＤ処理部３５から出力される表示信号ＳＣＨによる文字図形などと合成されて、表示部３７に供給され、表示部３７の画面上に、画像が表示される。
【０１３２】
また、ユーザは、リモートコントローラ２０の操作によって、表示部３７の画面上に表示される画像の空間方向および時間方向の解像度を調整することができる。画像信号処理部１２では、推定式によって、ＨＤ画素データが算出されるが、この推定式の係数データとして、ユーザのリモートコントローラ２０の操作によって調整された、空間方向、および時間方向の解像度を定めるパラメータｓ、およびｚに対応したものが、これらパラメータｓ、およびｚを含む生成式によって生成されて使用される。これにより、画像信号処理部１２から出力されるＨＤ信号による画像の空間方向、および時間方向の解像度は、調整されたパラメータｓ、およびｚに対応したものとなる。
【０１３３】
図８は、パラメータｓ、およびｚを調整するためのユーザインターフェースの一例を示している。調整時には、表示部３７に、パラメータｓ、およびｚの調整位置を、図中星印のアイコン７２で示した調整画面７１が、ＯＳＤ表示される。また、リモートコントローラ２０は、ユーザ操作手段としてのジョイスティック８１を備えている。
【０１３４】
ユーザは、ジョイスティック８１を操作することで、調整画面７１上でアイコン７２の位置を動かすことができ、空間方向、時間方向の解像度を決定するパラメータｓ、およびｚの値を調整することができる。
【０１３５】
図９に、図８の調整画面７１の部分を拡大して示す。アイコン７２が左右に動かされることで時間方向の解像度（時間解像度）を決定するパラメータｚの値が調整され、一方アイコン７２が上下に動かされることで空間方向の解像度（空間解像度）を決定するパラメータｓの値が調整される。ユーザは、表示部３７に表示される調整画面７１を参照して、パラメータｓ、およびｚの値の調整を容易に行うことができる。
【０１３６】
なお、リモートコントローラ２０は、ジョイスティック８１の代わりに、マウスやトラックボール等のその他のポインティングデバイスを備えるようにしてもよい。更に、ユーザによって調整されたパラメータｓ、およびｚの値が、調整画面７１上に数値表示されるようにしてもよい。
【０１３７】
次に、図４を用いて説明した画像信号処理部１２の動作を説明する。
【０１３８】
第２のタップ選択部４２は、バッファメモリ１４に記憶されているＳＤ信号（５２５ｉ信号）の供給を受け、作成すべきＨＤ信号（１０５０ｉ信号）を構成する単位画素ブロック内の４画素（注目位置の画素）の周辺に位置する空間クラスタップのデータ（ＳＤ画素データ）を、選択的に取り出す。第２のタップ選択部４２で選択的に取り出された空間クラスタップのデータ（ＳＤ画素データ）は、空間クラス検出部４４に供給される。空間クラス検出部４４は、空間クラスタップのデータとしての各ＳＤ画素データに対して、ＡＤＲＣ処理を施して、空間クラス（主に空間内の波形表現のためのクラス分類）のクラス情報としての再量子化コードｑｉを得る（式（１）参照）。
【０１３９】
また、第３のタップ選択部４３は、バッファメモリ３４に記憶されているＳＤ信号（５２５ｉ信号）の供給を受け、作成すべきＨＤ信号（１０５０ｉ信号）を構成する単位画素ブロック内の４画素（注目位置の画素）の周辺に位置する動きクラスタップのデータ（ＳＤ画素データ）を選択的に取り出す。第３のタップ選択部４３で選択的に取り出された動きクラスタップのデータ（ＳＤ画素データ）は、動きクラス検出部４５に供給される。動きクラス検出部４５は、動きクラスタップのデータとしての各ＳＤ画素データより、動きクラス（主に動きの程度を表すためのクラス分類）のクラス情報ＭＶを得る。
【０１４０】
この動き情報ＭＶと、再量子化コードｑｉとは、クラス合成部４６に供給される。クラス合成部４６は、供給された動き情報ＭＶと再量子化コードｑｉとから、作成すべきＨＤ信号（１０５０ｉ信号）を構成する単位画素ブロック毎に、その単位画素ブロック内の４画素（注目画素）が属するクラスを示すクラスコードＣＬを得る（式（３）参照）。そして、このクラスコードＣＬは、係数メモリ５３および正規化係数メモリ５５に、読み出しアドレス情報として供給される。
【０１４１】
例えば、各垂直ブランキング期間に、係数生成部５２で、ユーザによって調整されたパラメータｓ、およびｚの値に対応して、クラスおよび出力画素（ＨＤ１乃至ＨＤ４，ＨＤ１′乃至ＨＤ４′）の組み合わせ毎に、係数種データｗ１０乃至ｗｎ９を用いて、推定式の係数データＷｉ（ｉ＝１乃至ｎ）が求められて、係数メモリ５３に格納される（式（５）参照）。また、係数生成部５２で求められた推定式の係数データＷｉ（ｉ＝１乃至ｎ）に対応した正規化係数Ｓが、正規化係数演算部５４で生成されて、正規化係数メモリ５５に格納される（式（６）参照）。
【０１４２】
クラスコードＣＬが、係数メモリ５３に読み出しアドレス情報として供給されることで、この係数メモリ５３からクラスコードＣＬに対応した４出力画素（奇数フィールドではＨＤ１乃至ＨＤ４、偶数フィールドではＨＤ１′乃至ＨＤ４′）分の推定式の係数データＷｉが読み出されて、推定予測演算部４７に供給される。また、第１のタップ選択部４１は、バッファメモリ３４に記憶されているＳＤ信号（５２５ｉ信号）の供給を受け、作成すべきＨＤ信号（１０５０ｉ信号）を構成する単位画素ブロック内の４画素（注目位置の画素）の周辺に位置する予測タップのデータ（ＳＤ画素データ）を選択的に取り出す。
【０１４３】
推定予測演算部４７は、予測タップのデータ（ＳＤ画素データ）ｘｉと、係数メモリ５３より読み出される４出力画素分の係数データＷｉとから、作成すべきＨＤ信号を構成する単位画素ブロック内の４画素（注目位置の画素）のデータｙ１乃至ｙ４を演算する（式（４）参照）。そして、この推定予測演算部４７より順次出力されるＨＤ信号を構成する単位画素ブロック内の４画素のデータｙ１乃至ｙ４は、正規化演算部４８に供給される。
【０１４４】
正規化係数メモリ５５には、上述したように、クラスコードＣＬが読み出しアドレス情報として供給され、正規化係数メモリ５５からはクラスコードＣＬに対応した正規化係数Ｓ、つまり、推定予測演算部４７より出力されるＨＤ画素データｙ１乃至ｙ４の演算に使用された係数データＷｉに対応した正規化係数Ｓが読み出されて、正規化演算部４８に供給される。正規化演算部４８は、推定予測演算部４７より出力されるＨＤ画素データｙ１乃至ｙ４を、それぞれ対応する正規化係数Ｓで除算して正規化する。これにより、係数生成部５２で係数データＷｉを求める際の丸め誤差によるデータｙ１乃至ｙ４のレベル変動が除去される。
【０１４５】
このように、正規化演算部４８で正規化されて順次出力される単位画素ブロック内の４画素のデータｙ１′乃至ｙ４′は、後処理部４９に供給される。後処理部４９は、正規化演算部４８より順次供給される単位画素ブロック内の４画素のデータｙ１′乃至ｙ４′を線順次化し、１０５０ｉ信号のフォーマットで出力する。つまり、後処理部４９からは、ＨＤ信号としての１０５０ｉ信号が出力される。
【０１４６】
このように、画像信号処理部１２は、調整されたパラメータｓ、およびｚの値に対応した推定式の係数データＷｉ（ｉ＝１乃至ｎ）を用いて、ＨＤ画素データｙを演算するものである。従って、ユーザは、パラメータｓ、およびｚの値を調整することで、ＨＤ信号による画像の空間方向および時間方向の解像度を自由に調整することができる。また、調整されたパラメータｓ、およびｚの値に対応した各クラスの係数データは、その都度、係数生成部５２で生成されて使用されるものであるので、大量の係数データを格納しておくメモリは必要なくなり、メモリの節約を図ることができる。
【０１４７】
また、上述したように、ユーザは、調整画面７１上でパラメータｓ、およびｚの値を調整することができる。履歴情報記憶部５０の度数分布メモリ６１（図６参照）には、システムコントローラ３２から係数生成部５２に入力されるパラメータｓ、およびｚの値のそれぞれの度数分布の情報が格納される。また、履歴情報記憶部５０の経時変化メモリ６４（図６参照）には、システムコントローラ３２から係数生成部５２に入力されるパラメータｓ、およびｚの値のうち、所定数、例えば、１０個の最新のパラメータｓ、およびｚの値が格納される。
【０１４８】
このように、履歴情報記憶部５０の度数分布メモリ６１、および経時変化メモリ６４に格納される履歴情報は、例えば、テレビジョン受信装置１０のバージョンアップ等の場合において、その情報メモリバンク５１に格納される係数種データｗ１０乃至ｗｎ９を生成する際などに利用される。
【０１４９】
次に、係数種データｗ１０乃至ｗｎ９の生成方法の一例について説明する。この例においては、上述した式（５）の生成式における係数データである係数種データｗ１０乃至ｗｎ９を求める例を示すものとする。
【０１５０】
ここで、以下の説明のため、式（９）のように、ｔｉ（ｉ＝０乃至９）を定義する。
【０１５１】
【数９】
2004247991.tif 000011
【０１５２】
この式（９）を用いると、式（５）は、以下の式（１０）のように書き換えられる。
【０１５３】
【数１０】
2004247991.tif 000012
【０１５４】
最終的に、学習によって未定係数ｗｉｊが求められる。すなわち、クラスおよび出力画素の組み合わせ毎に、複数のＳＤ画素データとＨＤ画素データを用いて、二乗誤差を最小にする係数値が決定される。これは、いわゆる、最小二乗法による解法である。学習数をｍ、ｋ（１≦ｋ≦ｍ）番目の学習データにおける残差をｅｋ、二乗誤差の総和をＥとすると、式（４）および式（５）を用いて、Ｅは式（１１）で表される。ここで、ｘｉｋはＳＤ画像のｉ番目の予測タップ位置におけるｋ番目の画素データ、ｙｋはそれに対応するｋ番目のＨＤ画像の画素データを表している。
【０１５５】
【数１１】
2004247991.tif 000013
【０１５６】
最小二乗法による解法では、式（１１）のｗｉｊによる偏微分が０になるようなｗｉｊを求める。これは、以下の式（１２）で示される。
【０１５７】
【数１２】
2004247991.tif 000014
【０１５８】
以下、式（１３）、式（１４）のように、Ｘｉｐｊｑ、Ｙｉｐを定義すると、式（１２）は、式（１５）のように行列を用いて書き換えられる。
【０１５９】
【数１３】
2004247991.tif 000015
【０１６０】
【数１４】
2004247991.tif 000016
【０１６１】
【数１５】
2004247991.tif 000017
【０１６２】
この方程式は、一般に、正規方程式と称されている。正規方程式は、掃き出し法（Ｇａｕｓｓ−Ｊｏｒｄａｎの消去法）等を用いて、ｗｉｊについて解かれ、係数種データが算出される。
【０１６３】
図１０は、上述した係数種データの生成方法の一例の概念を示す図である。
【０１６４】
ＨＤ信号から、複数のＳＤ信号が生成される。例えば、ＨＤ信号からＳＤ信号を生成する際に使用されるフィルタの空間方向（垂直方向および水平方向）の帯域と時間方向（フレーム方向）の帯域を可変するパラメータｓ、およびｚをそれぞれ９段階に可変することによって、合計８１種類のＳＤ信号が生成される。このようにして生成された複数のＳＤ信号とＨＤ信号との間で、学習が行われて、係数種データが生成される。
【０１６５】
図１１は、上述したテレビジョン受信装置１０に対応する、図１のリモートコントローラ２０の構成を示すブロック図である。
【０１６６】
リモートコントローラ２０は、図８のジョイスティック８１やボタン群等を含み、ユーザの入力を受け付ける入力部９１、ＣＰＵ、ＲＡＭ、およびＲＯＭを含むマイクロコントローラを備え、システム全体の動作を制御するためのシステムコントローラ９２と、テレビジョン受信装置１０と無線通信を行う通信部９３とを有している。
【０１６７】
入力部９１は、ユーザによる操作を受け付け、その操作内容（ユーザ入力）をシステムコントローラ９２に供給する。システムコントローラ９２は、入力部９１および通信部９３が接続されており、入力部９１より供給されたユーザ入力に基づいて、リモートコントローラ２０の各部を制御する。例えば、システムコントローラ９２は、入力部９１より供給されたユーザ入力に基づいて、テレビジョン受信装置１０の動作を制御する制御信号を通信部９３に供給し、通信部９３を介してテレビジョン受信装置１０に供給させる。
【０１６８】
通信部９３は、システムコントローラ９２に制御され、予め定められた所定の通信方式でテレビジョン受信装置１０と無線通信を行い、テレビジョン受信装置１０に制御信号やデータを供給したり、テレビジョン受信装置１０より出力されたパラメータ等を取得したりする。
【０１６９】
システムコントローラ９２には、また、係数種データ生成部２１が接続されている。係数種データ生成部２１は、システムコントローラ９２より供給されたパラメータ等に基づいて、係数種データを生成し、システムコントローラ９２に供給する。なお、係数種データ生成部２１の詳細な構成については後で説明する。
【０１７０】
さらに、システムコントローラ９２には、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、またはＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の記憶素子により構成される記憶部９４が接続されている。
【０１７１】
システムコントローラ９２は、通信部９３より取得したパラメータ等を係数種データ生成部２１に供給し、係数種データを生成させ、生成された係数種データを取得すると、記憶部９４に供給し、記憶させる。記憶部９４は、システムコントローラ９２に制御され、係数種データ生成部２１において生成された係数種データ、入力部９１を介して入力されたユーザ入力、係数種データ生成部２１において使用される教師画像データとしてのＨＤ画像データ、または、システムコントローラ９２により実行されるプログラムや、そのプログラムの実行に必要なデータ等の、様々な情報を記憶する。
【０１７２】
また、リモートコントローラ２０のシステムコントローラ９２には、必要に応じてドライブ９５が接続され、磁気ディスク、光ディスク、光磁気ディスク、あるいは、半導体メモリなどを含むリムーバブルメディア９６が適宜装着され、それらから読み出されたコンピュータプログラムが、必要に応じてシステムコントローラ９２にインストールされる。また、リムーバブルメディア９６には、係数種データ生成部２１において使用される教師画像データとしてのＨＤ画像データや、後述するフィルタに関する情報等のデータが記録されており、システムコントローラ９２は、ドライブ９５を介してそれらの情報を取得し、記憶部９４に記憶したり、係数種データ生成部２１に供給したりする。
【０１７３】
図１２は、図１１の係数種データ生成部２１の詳細な構成例を示すブロック図である。
【０１７４】
入力端子１０１には、教師信号としてのＨＤ信号（１０５０ｉ信号）が入力される。このＨＤ信号は、図１１の記憶部９４等に記憶されており、システムコントローラ９２によって、係数種データ生成部２１に供給される。ＳＤ信号生成部１０３は、このＨＤ信号に対して、入力端子１０２から入力される履歴情報、並びに、パラメータｓ、およびｚの値を用いて、水平および垂直の間引き処理を行って、生徒信号としてのＳＤ信号を得る。
【０１７５】
ＳＤ信号生成部１０３は、入力端子１０２から入力されるパラメータｓ、およびｚに基づいて、ＨＤ信号からＳＤ信号を生成する際に用いられる帯域制限フィルタの、空間方向および時間方向の帯域を変更する。
【０１７６】
また、このＳＤ信号生成部１０３に入力される履歴情報は、テレビ受信装置１０の履歴情報記憶部５０の度数分布メモリ６１、経時変化メモリ６４に格納されている、入力されたパラメータｓ、およびｚの値の履歴情報である。なお、これらのパラメータや履歴情報は、テレビジョン受信装置１０の通信部３２、およびリモートコントローラ２０の通信部９３の間で行われる無線通信により、リモートコントローラ２０に供給され、システムコントローラ９２を介して、係数種データ生成部２１のＳＤ信号生成部１０３に供給される。また、システムコントローラ９２は、テレビジョン受信装置１０より供給されたパラメータや履歴情報を、一旦、記憶部９４に記憶させるようにしてもよい。
【０１７７】
なお、使用開始前のテレビジョン受信装置１０の情報メモリバンク５１に格納される係数種データｗ１０乃至ｗｎ９を生成する際には、いまだ履歴情報記憶部５０の度数分布メモリ６１、経時変化メモリ６４に履歴情報が格納されていないので、ＳＤ信号生成部１０３に履歴情報は入力されない。
【０１７８】
つまり、ＳＤ信号生成部１０３に履歴情報が入力されるのは、例えば、テレビジョン受信装置１０のバージョンアップ時等において、その情報メモリバンク５１に格納される係数種データｗ１０乃至ｗｎ９を生成する際などである。
【０１７９】
ここで、入力端子１０２には、図４を用いて説明した画像信号処理部１２の履歴情報記憶部５０と情報が授受可能になされている接続端子が接続されるようにすればよい。すなわち、入力端子１０２の端子１２１および端子１２２は、システムコントローラ９２と接続されて、履歴情報の入力を受け、情報の授受が可能である。
【０１８０】
ＳＤ信号生成部１０３では、履歴情報に基づいて、入力されたパラメータｓ、およびｚの値が調整され、この調整されたパラメータｓ、およびｚの値に応じて、空間方向および時間方向の帯域が可変される。履歴情報の入力がないときは、入力されたパラメータｓ、およびｚの値そのものに応じて、空間方向および時間方向の帯域が可変される。
【０１８１】
図１３は、図１２のＳＤ信号生成部１０３の更に詳細な構成例を示すブロック図である。
【０１８２】
図１３において、ＳＤ信号生成部１０３はＨＤ信号より画素データを垂直方向に間引く垂直間引きフィルタ１３１と、ＨＤ信号より画素データを水平方向に間引く水平間引きフィルタ１３２とを有する、複数のダウンフィルタ１３０−１乃至１３０−ｎ、並びに、ダウンフィルタ１３０−１乃至１３０−ｎの出力信号である複数のＳＤ信号より、出力するＳＤ信号を選択する選択回路１３３を有している。
【０１８３】
ダウンフィルタ１３０−１乃至１３０−ｎのカットオフ周波数（ｆ１乃至ｆｎ）は、予め定められた周波数であり、フィルタ間で互いに異なっている。すなわち、ダウンフィルタ１３０−１乃至１３０−ｎにそれぞれ含まれる垂直間引きフィルタ１３１−１乃至１３１−ｎは、カットオフ周波数が互いに異なっており、それぞれ異なる帯域の信号を出力する。同様に、ダウンフィルタ１３０−１乃至１３０−ｎにそれぞれ含まれる水平間引きフィルタ１３２−１乃至１３２−ｎも、カットオフ周波数が互いに異なっており、それぞれ異なる帯域の信号を出力する。
【０１８４】
なお、これらのダウンフィルタ１３０−１乃至１３０−ｎ（すなわち、垂直間引きフィルタ１３１−１乃至１３１−ｎ、並びに水平間引きフィルタ１３２−１乃至１３２−ｎ）のカットオフ周波数（ｆ１乃至ｆｎ）の設定は、図示せぬＲＡＭ等の記憶領域に記憶されており、更新することができる。
【０１８５】
その場合、新たなカットオフ周波数に関する設定情報は、図１１のドライブ９５に装着されたリムーバブルメディア９６より、システムコントローラ９２を介して、係数種データ生成部２１のＳＤ信号生成部１０３に供給されるようにしてもよいし、ユーザ入力として入力部９１において受け付けられ、システムコントローラ９２を介して、係数種データ生成部２１のＳＤ信号生成部１０３に供給されるようにしてもよいし、テレビジョン受信装置１０より、通信部９３を介して取得され、システムコントローラ９２を介して、係数種データ生成部２１のＳＤ信号生成部１０３に供給されるようにしてもよい。以上のようにして、ＳＤ信号生成部１０３に供給された新たなカットオフ周波数に関する設定情報は、対応する各フィルタに供給され、設定される。
【０１８６】
図１３の選択回路１３３は、システムコントローラ９２より供給されるパラメータｓ、およびｚや、履歴情報等に基づいて、ダウンフィルタ１３０−１乃至１３０−ｎのそれぞれを通過して生成されたＳＤ信号の中から、出力するＳＤ信号を選択する。なお、選択回路１３３は、履歴情報に基づいて、入力されたパラメータｓ、およびｚの値を調整し、この調整されたパラメータｓ、およびｚの値に応じて、出力するＳＤ信号を選択する。履歴情報の入力がないときは、入力されたパラメータｓ、およびｚの値そのものに応じて、出力するＳＤ信号を選択する。
【０１８７】
なお、ＳＤ信号生成部１０３は、ダウンフィルタ１３０−１乃至１３０−ｎ、並びに選択回路１３３を用いることにより、空間方向だけでなく時間方向の解像度も調整する。
【０１８８】
ここで、テレビジョン受信装置１０では、ユーザの操作によって、パラメータｓ、およびｚの値が、例えばそれぞれ０乃至８の範囲内で、所定のステップをもって調整され、空間方向および時間方向の解像度の調整が行われていた。
【０１８９】
この場合、ＳＤ信号生成部１０３において入力されるパラメータｓ、およびｚの値そのものに応じて空間方向および時間方向の帯域が可変されるとき、テレビジョン受信装置１０では、図１４に実線枠ＢＦで示す範囲（空間解像度はｙ１乃至ｙ２、時間解像度はｘ１乃至ｘ２）内で解像度の調整を行い得るように、係数種データｗ１０乃至ｗｎ９が生成される。
【０１９０】
履歴情報が入力される場合、ＳＤ信号生成部１０３では、パラメータｓ、およびｚの値のそれぞれにおける度数分布の情報が用いられて重心位置が求められる。この場合、所定数の最新のパラメータｓ、およびｚの値に対応する値のうち新しい値ほど大きな重み付けがされる。そして、ＳＤ信号生成部１０３では、この重心位置に基づいて、入力されるパラメータｓ、およびｚの値が調整される。この場合、パラメータｓ、およびｚの値が大きくなるほど帯域が狭くなるようにされる。これにより、調整されたパラメータを得たテレビジョン受信装置１０では、パラメータｓ、およびｚの値が大きくされるほど解像度が上がるように調整されるようになる。
【０１９１】
ここでは、テレビジョン受信装置１０側で調整されるパラメータｓ、およびｚの値の変化範囲の中心が、求められた重心位置に移動するように、入力されるパラメータｓ、およびｚの値が線形変換されるようになされている。例えば、テレビジョン受信装置１０側で調整されるパラメータｓ、およびｚの値の変化範囲の中心値がｓ０，ｚ０、求められる重心位置がｓｍ，ｚｍ、入力されるパラメータｓ、およびｚの値がｓ１，ｚ１であるとき、調整後のパラメータｓ、およびｚの値ｓ２，ｚ２は、次の変換式で求められる。
【０１９２】
【数１６】
2004247991.tif 000018
【０１９３】
【数１７】
2004247991.tif 000019
【０１９４】
このように調整されたパラメータｓ、およびｚの値に応じて、空間方向および時間方向の帯域が可変される場合、テレビジョン受信装置１０では、図１４に実線枠ＢＦで示す範囲内の解像度調整位置（「×」印で図示）の重心位置を中心とする、図１４の一点鎖線枠ＡＦで示す範囲（空間解像度はｙ１′乃至ｙ２′、時間解像度はｘ１′乃至ｘ２′）内で解像度の調整を行い得るように、係数種データｗ１０乃至ｗｎ９が生成される。
【０１９５】
なお、上述した処理では、パラメータｓ、およびｚの値のそれぞれにおける度数分布の情報を用いて重心位置を求める際に、所定数の最新のパラメータｓ、およびｚの値に対応する値のうち、新しい値ほど大きな重み付けがされるものであったが、このような重み付けがされずに求められる重心位置を使用するようにしてもよい。また、度数分布の情報は用いずに、所定数の最新のパラメータｓ、およびｚの値を用い、新しい値ほど大きな重み付けがされて求められた重心位置を使用するようにしてもよい。更には、パラメータｓ、およびｚの値のそれぞれにおける度数分布の情報から最も度数の大きなパラメータｓ、およびｚの値を求め、その値を重心位置の代わりに使用するようにしてもよい。また、所定数の最新のパラメータｓ、およびｚの値のうち、最も新しいパラメータｓ、およびｚの値を、重心位置の代わりに使用するようにしてもよい。
【０１９６】
図１２に戻って、再び、係数種データ生成部２１の構成について説明する。
【０１９７】
第１のタップ選択部１０４、第２のタップ選択部１０５、および第３のタップ選択部１０６は、ＳＤ信号生成部１０３より出力されるＳＤ信号（５２５ｉ信号）より、ＨＤ信号（１０５０ｉ信号）における注目位置の周辺に位置する複数のＳＤ画素のデータを選択的に取り出して出力する。これら第１のタップ選択部１０４乃至第３のタップ選択部１０６は、図４を用いて説明した画像信号処理部１２の第１のタップ選択部４１乃至第３のタップ選択部４３と、基本的に同様に構成される。
【０１９８】
空間クラス検出部１０７は、第２のタップ選択部１０５で選択的に取り出された空間クラスタップのデータ（ＳＤ画素データ）のレベル分布パターンを検出し、このレベル分布パターンに基づいて空間クラスを検出し、そのクラス情報を出力する。この空間クラス検出部１０７は、図４を用いて説明した画像信号処理部１２の空間クラス検出部４４と基本的に同様に構成される。この空間クラス検出部１０７からは、空間クラスタップのデータとしての各ＳＤ画素データの再量子化コードｑｉが、空間クラスを示すクラス情報として出力される。
【０１９９】
動きクラス検出部１０８は、第３のタップ選択部１０６で選択的に取り出された動きクラスタップのデータ（ＳＤ画素データ）より、主に動きの程度を表すための動きクラスを検出し、そのクラス情報ＭＶを出力する。この動きクラス検出部１０８は、図４を用いて説明した画像信号処理部１２の動きクラス検出部４５と基本的に同様に構成される。この動きクラス検出部１０８では、第３のタップ選択部１０６で選択的に取り出された動きクラスタップのデータ（ＳＤ画素データ）からフレーム間差分が算出され、更に、その差分の絶対値の平均値に対して閾値処理が行われて、動きの指標である動きクラスが検出される。
【０２００】
クラス合成部１０９は、空間クラス検出部１０７より出力される空間クラスのクラス情報としての再量子化コードｑｉと、動きクラス検出部１０８より出力される動きクラスのクラス情報ＭＶとに基づき、ＨＤ信号（１０５０ｉ信号）に係る注目画素が属するクラスを示すクラスコードＣＬを得る。このクラス合成部１０９も、図４を用いて説明した画像信号処理部１２のクラス合成部４６と基本的に同様に構成される。
【０２０１】
正規方程式生成部１１０は、入力端子１０１に供給されるＨＤ信号から得られる注目位置の画素データとしての各ＨＤ画素データｙ、この各ＨＤ画素データｙにそれぞれ対応して第１のタップ選択部１０４で選択的に取り出された予測タップのデータ（ＳＤ画素データ）ｘｉ、パラメータｓおよびｚの値、並びに、各ＨＤ画素データｙにそれぞれ対応してクラス合成部１０９より出力されるクラスコードＣＬとから、クラス毎に、係数種データｗ１０乃至ｗｎ９を得るための正規方程式（式（１５）参照）を生成する。
【０２０２】
この場合、１個のＨＤ画素データｙと、それに対応するｎ個の予測タップのデータ（ＳＤ画素データ）ｘｉとの組合わせで、学習データが生成されるが、調整後のパラメータｓ、およびｚの値の変化に対応して、ＳＤ信号生成部１４３における空間方向および時間方向の帯域が可変され、複数のＳＤ信号が順次生成されて、ＨＤ信号と各ＳＤ信号との間でそれぞれ学習データの生成が行われる。これにより、正規方程式生成部１１０では、パラメータｓ、およびｚの値が異なる多くの学習データが登録された正規方程式が生成され、係数種データｗ１０乃至ｗｎ９を求めることが可能となる。
【０２０３】
また、この場合、１個のＨＤ画素データｙとそれに対応するｎ個の予測タップのデータ（ＳＤ画素データ）ｘｉとの組み合わせで学習データが生成されるが、正規方程式生成部１１０では、出力画素（図４のＨＤ１乃至ＨＤ４、図５のＨＤ１′乃至ＨＤ４′参照）毎に、正規方程式が生成される。例えば、ＨＤ１に対応した正規方程式は、中心予測タップに対するずれ値がＨＤ１と同じ関係にあるＨＤ画素データｙから構成される学習データから生成される。
【０２０４】
係数種データ決定部１１１は、正規方程式生成部１１０で、クラスおよび出力画素の組み合わせ毎に生成された正規方程式のデータの供給を受け、正規方程式を解いて、クラスおよび出力画素の組み合わせ毎に、係数種データｗ１０乃至ｗｎ９を求める。係数種データ決定部１１１は、正規方程式を、例えば、掃き出し法などによって解くことにより、係数種データを求める。係数種メモリ１１２は、係数種データ決定部１１１で求められた係数種データを格納する。入出力インターフェース１１３は、必要に応じて、他の機器（例えば、図４を用いて説明した画像信号処理部１２の情報メモリバンク５１）と接続され、係数種メモリ１１２に格納されている係数種データを出力する。
【０２０５】
次に、図１１に示されるリモートコントローラ２０の動作について説明する。
【０２０６】
ユーザが入力部９１を操作し、パラメータの変更を指示すると、システムコントローラ９２は、入力部９１より取得したそのユーザ入力に基づいて、パラメータ変更処理の開始を指示する制御信号を、通信部９３を介してテレビジョン受信装置１０に供給する。
【０２０７】
テレビジョン受信装置１０は、その制御信号に基づいて、表示部３７にパラメータを変更するためのＧＵＩ（Ｇｒａｐｈｉｃａｌ  Ｕｓｅｒ  Ｉｎｔｅｒｆａｃｅ）画面を表示させる。ユーザはそのＧＵＩ画面を参照しながら、リモートコントローラ２０の入力部９１を操作し、パラメータの設定を入力する。
【０２０８】
システムコントローラ９２は、入力部９１より供給されたユーザ入力に基づいて、パラメータの設定を指示する制御信号を、通信部９３を介してテレビジョン受信装置１０に供給する。
【０２０９】
テレビジョン受信装置１０は、その制御信号に基づいて、パラメータを設定すると、そのパラメータおよび履歴情報をリモートコントローラ２０に供給する。通信部９３を介して、それらの情報を取得したシステムコントローラ９２は、取得した情報を係数種データ生成部２１に供給するとともに、記憶部９４に記憶されている教師画像データとしてのＨＤ信号を係数種データ生成部２１に供給する。
【０２１０】
係数種データ生成部２１は、システムコントローラ９２より供給されたパラメータに関する情報、およびＨＤ信号に基づいて、係数種データｗ１０乃至ｗｎ９を生成し、システムコントローラ９２に供給する。システムコントローラ９２は、取得した係数種データｗ１０乃至ｗｎ９を、通信部９３を介してテレビジョン受信装置１０に供給する。
【０２１１】
次に、図１２に示される係数種データ生成部２１の動作について説明する。
【０２１２】
入力端子１０１には、教師信号としてのＨＤ信号（１０５０ｉ信号）が供給され、そしてこのＨＤ信号に対して、ＳＤ信号生成部１４３で、水平および垂直の間引き処理が行われて、生徒信号としてのＳＤ信号（５２５ｉ信号）が生成される。
【０２１３】
この場合、ＳＤ信号生成部１０３には、ＨＤ信号からＳＤ信号を生成する際に用いられる帯域制限フィルタの空間方向および時間方向の帯域を定めるパラメータ、換言すれば、生成されるＳＤ信号の空間方向および時間方向の解像度を定めるパラメータｓ、およびｚの値が入力される。
【０２１４】
また、ＳＤ信号生成部１０３には、例えば、テレビジョン受信装置１０をバージョンアップする場合など、その情報メモリバンク５１に格納される係数種データｗ１０乃至ｗｎ９を生成する際には、テレビジョン受信装置１０より供給されたパラメータｓ、およびｚの履歴情報が、入力端子１０２を介して入力される。
【０２１５】
ＳＤ信号生成部１０３では、履歴情報が入力されるときは、この履歴情報に基づいて入力されたパラメータｓ、およびｚの値が調整される。例えば、履歴情報によってパラメータｓ、およびｚの重心位置が求められ、テレビジョン受信装置１０側で調整されるパラメータｓ、およびｚの値の変化範囲の中心が、求められた重心位置に移動するように、入力されるパラメータｓ、およびｚの値が線形変換される。そして、ＳＤ信号生成部１０３では、調整されたパラメータｓ、およびｚの値に応じて、上述したように、ＨＤ信号からＳＤ信号を生成する際に用いられる帯域制限フィルタの空間方向および時間方向の帯域が可変される。
【０２１６】
なお、使用開始前のテレビジョン受信装置１０の情報メモリバンク５１に格納される係数種データｗ１０乃至ｗｎ９を生成する際には、履歴情報の入力がないので、入力されたパラメータｓ、およびｚの値そのものに応じて、上述したようにＨＤ信号からＳＤ信号を生成する際に用いられる帯域制限フィルタの空間方向および時間方向の帯域が可変される。
【０２１７】
ＳＤ信号生成部１０３に入力されるパラメータｓ、およびｚの値が順次変更されることで、ＨＤ信号からＳＤ信号を生成する際に用いられる帯域制限フィルタの空間方向および時間方向の帯域が変更されることから、空間方向および時間方向の帯域が段階的に変化した複数のＳＤ信号が生成される。
【０２１８】
また、ＳＤ信号生成部１０３で生成されたＳＤ信号（５２５ｉ信号）より、第２のタップ選択部１０５で、ＨＤ信号（１０５０ｉ信号）における注目位置の周辺に位置する空間クラスタップのデータ（ＳＤ画素データ）が選択的に取り出される。この第２のタップ選択部１０５で選択的に取り出された空間クラスタップのデータ（ＳＤ画素データ）は、空間クラス検出部１０７に供給される。空間クラス検出部１０７では、空間クラスタップのデータとしての各ＳＤ画素データに対してＡＤＲＣ処理が施されて、空間クラス（主に空間内の波形表現のためのクラス分類）のクラス情報としての再量子化コードｑｉが得られる（式（１）参照）。
【０２１９】
また、ＳＤ信号生成部１０３で生成されたＳＤ信号より、第３のタップ選択部１０６で、ＨＤ信号に係る注目画素の周辺に位置する動きクラスタップのデータ（ＳＤ画素データ）が選択的に取り出される。この第３のタップ選択部１０６で選択的に取り出された動きクラスタップのデータ（ＳＤ画素データ）は、動きクラス検出部１０８に供給される。この動きクラス検出部１０８では、動きクラスタップのデータとしての各ＳＤ画素データより動きクラス（主に動きの程度を表すためのクラス分類）のクラス情報ＭＶが得られる。
【０２２０】
クラス情報ＭＶと再量子化コードｑｉとは、クラス合成部１０９に供給される。クラス合成部１０９は、供給されたクラス情報ＭＶと再量子化コードｑｉとから、ＨＤ信号（１０５０ｉ信号）における注目位置の画素データが属するクラスを示すクラスコードＣＬを得る（式（３）参照）。
【０２２１】
また、ＳＤ信号生成部１０３で生成されるＳＤ信号より、第１のタップ選択部１０４で、ＨＤ信号における注目位置の周辺に位置する予測タップのデータ（ＳＤ画素データ）が選択的に取り出される。
【０２２２】
そして、正規方程式生成部１１０では、入力端子１０１に供給されるＨＤ信号より得られる注目位置の画素データとしての各ＨＤ画素データｙと、この各ＨＤ画素データｙにそれぞれ対応して第１のタップ選択部１０４で選択的に取り出された予測タップのデータ（ＳＤ画素データ）ｘｉと、パラメータｓ、およびｚの値と、各ＨＤ画素データｙにそれぞれ対応してクラス合成部１０９より出力されるクラスコードＣＬとから、クラスおよび出力画素の組み合わせ毎に、係数種データｗ１０乃至ｗｎ９を得るための正規方程式（式（１５）参照）が個別に生成される。
【０２２３】
そして、係数種データ決定部１１１で各正規方程式が解かれ、クラスおよび出力画素の組み合わせ毎の係数種データｗ１０乃至ｗｎ９が求められ、それらの係数種データｗ１０乃至ｗｎ９は、係数種メモリ１１２に格納され、必要に応じて、入出力インターフェース１１３を介して、外部に出力される。
【０２２４】
このように、図１２に示される係数種データ生成部２１においては、図４の画像信号処理部１２の情報メモリバンク５１に格納される、クラスおよび出力画素（ＨＤ１乃至ＨＤ４，ＨＤ１′乃至ＨＤ４′）の組み合わせ毎の、推定式で用いられる係数データＷｉを求めるための生成式（式（５）参照）における係数データである係数種データｗ１０乃至ｗｎ９を生成することができる。
【０２２５】
また、この係数種データ生成部２１において、例えば、テレビジョン受信装置１０をバージョンアップする場合であって、その情報メモリバンク５１に格納される係数種データｗ１０乃至ｗｎ９を生成する際には、入力端子１０２を介して、ＳＤ信号生成部１４３に、テレビジョン受信装置１０の履歴情報記憶部５０の度数分布メモリ６１、経時変化メモリ６４に格納されている、ユーザ操作によって過去に入力されたパラメータｓ、およびｚの履歴情報が入力される。
【０２２６】
ＳＤ信号生成部１０３では、この履歴情報に基づいて、入力されるパラメータｓ、およびｚの値が調整され、この調整されたパラメータｓ、およびｚによって、ＨＤ信号からＳＤ信号を得る際に用いられる帯域制限フィルタの空間方向および時間方向の帯域が可変される。
【０２２７】
このようにして求められた係数種データｗ１０乃至ｗｎ９を、テレビジョン受信装置１０に供給し、情報メモリバンク５１に格納して使用することで、ユーザは、パラメータｓ、およびｚの値の調整により、過去の解像度調整の重心位置を中心とする範囲（図１４の一点鎖線枠ＡＦ参照）内で解像度の調整を行うことが可能となる。すなわち、ユーザの好みに合わせた解像度調整範囲が自動的に設定され、ユーザはその範囲内で解像度の調整を行うことができる。
【０２２８】
次に、図１の画像情報処理システムによる、テレビジョン受信装置１０のバージョンアップ時に行われる、係数種データ更新処理について、図１５のフローチャートを参照して説明する。
【０２２９】
ユーザがリモートコントローラ２０の入力部９１を操作することにより、係数種データの設定の開始を指示すると、リモートコントローラ２０のシステムコントローラ９２は、ステップＳ２１において、通信部９３を介して、制御信号をテレビジョン受信装置１０に供給し、パラメータｓおよびｚの設定処理を開始させる。
【０２３０】
テレビジョン受信装置１０の通信部３１は、ステップＳ１において、リモートコントローラ２０より送信された制御信号を受信し、システムコントローラ３２に供給する。
【０２３１】
システムコントローラ３２は、取得した制御信号に基づいて、パラメータｓおよびｚの設定処理を開始し、ステップＳ２において、表示部３７を制御して、ＧＵＩ画面を表示部３７に表示する。
【０２３２】
テレビジョン受信装置１０の表示部３７に表示されたＧＵＩ画面を見たユーザは、そのＧＵＩ画面に基づいてリモートコントローラ２０の入力部９１を操作し、パラメータｓおよびｚの値を決定するための情報を入力する。
【０２３３】
リモートコントローラ２０のシステムコントローラ９２は、入力部９１を介して、その情報を取得すると、ステップＳ２２において、通信部９３を介して、その情報をテレビジョン受信装置１０に転送する転送処理を行う。
【０２３４】
テレビジョン受信装置１０の通信部３１は、ステップＳ３において、その情報を受信すると、システムコントローラ３２に供給する。システムコントローラ３２は、ステップＳ４において、通信部３１を介して、ユーザの指示（リモートコントローラ２０より供給される、パラメータｓおよびｚの値を決定するための情報）を受け付けたか否かを判定し、受け付けたと判定するまで待機する。
【０２３５】
ステップＳ４において、ユーザの指示を受け付けたと判定した場合、テレビジョン受信装置１０のシステムコントローラ３２は、ステップＳ５において、取得したパラメータｓおよびｚの値を決定するための情報を画像信号処理部１２に供給するなどして、係数種データを生成するために必要なパラメータ（すなわち、上述したパラメータｓおよびｚ、または履歴情報）を生成し、ステップＳ６において、そのパラメータを、通信部３１を介してリモートコントローラ２０に供給する。
【０２３６】
ステップＳ２３において、リモートコントローラ２０のシステムコントローラ９２は、テレビジョン受信装置１０より供給されたパラメータ（すなわち、上述したパラメータｓおよびｚ、または履歴情報）を取得し、係数種データ生成部２１に供給する。また、システムコントローラ９２は、記憶部９４に予め記憶されている教師画像であるＨＤ画像データを係数種データ生成部２１に供給する。
【０２３７】
パラメータを取得した係数種データ生成部２１は、ステップＳ２４において、係数種データ生成処理を行い、係数種データを生成する。係数種データ生成処理の詳細については、図１６のフローチャートを参照して後述する。
【０２３８】
係数種データを生成した係数種データ生成部２１は、生成した係数種データをシステムコントローラ９２に供給する。システムコントローラ９２は、ステップＳ２５において、係数種データ生成部２１より供給された係数種データを、通信部９３を介して、テレビジョン受信装置１０に供給し、係数種データ更新処理を終了する。
【０２３９】
テレビジョン受信装置１０の通信部３１は、ステップＳ７において、リモートコントローラ２０より供給された係数種データを取得し、システムコントローラ３２に供給する。ステップＳ８において、システムコントローラ３２は、通信部３１を介して取得した係数種データを画像信号処理部１２に供給し、情報メモリバンク５１に記憶させることにより、係数種データを保持する。画像信号処理部１２に係数種データを供給したシステムコントローラ３２は、係数種データ更新処理を終了する。
【０２４０】
次に、図１５のステップＳ２４において実行されるリモートコントローラ２０の係数種データ生成部２１による係数種データ生成処理の詳細について、図１６のフローチャートを参照して説明する。
【０２４１】
ステップＳ４１において、係数種データ生成部２１は、入力端子１２１より履歴情報、または、入力端子１０２よりパラメータｓおよびｚを取得し、ＳＤ信号生成部１０３において、学習に使われる画質パターン（例えば、パラメータｓ、およびｚで特定される）を選択するとともに、選択した画質パターンを履歴情報に基づいて調整する。
【０２４２】
ステップＳ４２において、係数種データ生成部２１は、全ての画質パターンに対して学習が終了したか否かを判断する。
【０２４３】
ステップＳ４２において、全ての画質パターンに対して学習が終了していないと判断された場合、ステップＳ４３において、係数種データ生成部２１は、入力端子１０１より、既知のＨＤ画素データをフレーム単位またはフィールド単位で取得する。
【０２４４】
ステップＳ４４において、係数種データ生成部２１は、全てのＨＤ画素データについて処理は終了したか否かを判断する。ステップＳ４４において、全てのＨＤ画素データについて処理は終了したと判断された場合、処理は、ステップＳ４１に戻り、同様の処理が繰り返される。
【０２４５】
ステップＳ４４において、全てのＨＤ画素データについて処理は終了していないと判断された場合、ステップＳ４５において、係数種データ生成部２１のＳＤ信号生成部１０３は、ステップＳ４３で取得されたＨＤ画素データより、ステップＳ４１で調整された画質パターンに基づいて、ＳＤ画素データを生成する。
【０２４６】
係数種データ生成部２１は、ステップＳ４６に処理を進め、第１のタップ選択部１０４、第２のタップ選択部１０５、および第３のタップ選択部１０６において、ステップＳ４５で生成されたＳＤ画素データより、ステップＳ４３で取得された各ＨＤ画素データに対応して、クラスタップおよび予測タップの画素データを取得する。
【０２４７】
ステップＳ４７において、係数種データ生成部２１は、生成されたＳＤ画素データの全領域において学習処理は終了したか否かを判断する。ステップＳ４７において、学習処理は終了したと判断された場合、処理は、ステップＳ４３に戻り、次のＨＤ画素データが取得され、同様の処理が繰り返される。
【０２４８】
ステップＳ４７において、学習処理は終了していないと判断された場合、係数種データ生成部２１のクラス合成部１０９は、ステップＳ４８において、ステップＳ４６で取得されたクラスタップのＳＤ画素データからクラスコードＣＬを生成する。そして、ステップＳ４９において、係数種データ生成部２１の正規方程式生成部１１０は、正規方程式（式（１５）参照）を生成する。ステップＳ４９の処理を終了すると、係数種データ生成部２１は、ステップＳ４６に処理を戻し、それ以降の処理を繰り返す。
【０２４９】
ステップＳ４２において、全ての画質パターンに対して学習が終了したと判断した場合、係数種データ生成部２１の係数種データ決定部１１１は、ステップＳ５０において、正規方程式を掃き出し法等で解くことによって、クラスおよび出力画素（図４のＨＤ１乃至ＨＤ４、図５のＨＤ１′乃至ＨＤ４′参照）の各組み合わせの係数種データを算出する。そして、ステップＳ５１において、係数種データ生成部２１の係数種メモリ１１２は、その係数種データを保存する。ステップＳ５１の処理が終了すると、係数種データ生成部２１は、係数種データ生成処理を終了し、図１５のステップＳ２５に処理を進める。
【０２５０】
図１５および図１６のフローチャートを参照して説明したように更新された係数種データを用いて、テレビジョン受信装置１０の画像信号処理部１２は、入力されたＳＤ信号に対して画像処理を行う。
【０２５１】
図１７のフローチャートを参照して、画像信号処理部１２による、ＳＤ信号よりＨＤ信号を得るための画像信号処理について説明する。
【０２５２】
ステップＳ７１において、画像信号処理部１２は、ＳＤ画素データをフレーム単位またはフィールド単位で取得する。
【０２５３】
ステップＳ７２において、画像信号処理部１２は、入力ＳＤ画素データの全フレームまたは全フィールドの処理が終わっているか否かを判断する。ステップＳ７２において、処理が終わっていないと判断した場合、ステップＳ７３において、画像信号処理部１２は、例えば、ユーザのリモートコントローラ２０の操作によって入力された画質指定値（例えばパラメータｓ、およびｚ）を取得する。
【０２５４】
ステップＳ７４において、画像信号処理部１２は、例えば、履歴情報記憶部５０における度数分布メモリ９１、経時変化メモリ９４等に格納されている履歴情報を、ステップＳ７３において取得された新たな画質指定値を用いて更新する。
【０２５５】
ステップＳ７５において、画像信号処理部１２の係数生成部５２は、読み込んだ画質指定値、クラスおよび出力画素（図４のＨＤ１乃至ＨＤ４、図５のＨＤ１′乃至ＨＤ４′参照）の各組み合わせの係数種データを使用して、例えば式（５）の生成式によって、各組み合わせの推定式（式（４）参照）の係数データＷｉを生成する。
【０２５６】
画像信号処理部１２は、ステップＳ７６において、ステップＳ７１において取得されたＳＤ画素データより、生成すべき各ＨＤ画素データに対応して、クラスタップおよび予測タップの画素データを取得する。
【０２５７】
ステップＳ７７において、画像信号処理部１２は、取得されたＳＤ画素データの全領域において、ＨＤ画素データを得る処理が終了したか否かを判断する。ステップＳ７７において、取得されたＳＤ画素データの全領域において処理は終了していると判断された場合、処理は、ステップＳ７１に戻り、同様の処理が繰り返されることにより、次のフレームまたはフィールドのＳＤ画素データに対する処理が実行される。
【０２５８】
ステップＳ７７において、取得されたＳＤ画素データの全領域において処理は終了していないと判断された場合、ステップＳ７８において、画像信号処理部１２のクラス合成部４６は、ステップＳ７６において取得されたクラスタップのＳＤ画素データから、クラスコードＣＬを生成する。
【０２５９】
ステップＳ７９において、画像信号処理部１２は、クラスコードＣＬに対応した係数データＷｉと予測タップのＳＤ画素データとを使用して、推定式により、ＨＤ画素データを生成する。ステップＳ７９の処理の終了後、処理は、ステップＳ７６に戻り、上述した処理と同様の処理が繰り返される。
【０２６０】
ステップＳ７２において、全フレーム、または全フィールドの処理が終了したと判断された場合、処理が終了される。
【０２６１】
以上のようにして画像信号処理部１２が更新された係数種データを用いて画像処理を行うことにより、テレビジョン受信装置１０は、ユーザの嗜好に合ったＨＤ画像データを生成することができる。
【０２６２】
なお、図１２に示される係数種データ生成部２１のＳＤ信号生成部１０３は、図１３に示されるような構成であるように説明したが、これに限らず、例えば、図１８に示されるようなブロック構成であってもよい。
【０２６３】
図１８において、ＳＤ信号生成部１４０は、図１３を参照して説明したＳＤ信号生成部１０３と同様の処理を行い、教師画像としてのＨＤ画像データより生徒画像としてのＳＤ画像データを生成する。
【０２６４】
ＳＤ信号生成部１４０は、ＳＤ信号生成部１０３の場合と同様のダウンフィルタ１３０−１乃至１３０−ｎを有し、さらに、そのダウンフィルタ１３０−１乃至１３０−ｎの入出力の接続を切り替えるスイッチ（ＳＷ）１４１および１４２、並びに、入力されるＨＤ信号に対してクラス分類処理を行うクラス分類部１４３を有している。
【０２６５】
クラス分類部１４３は、ＳＤ信号生成部１４０に入力されたＨＤ信号を、いくつかのクラスに分類し、その分類結果を出力する。スイッチ（ＳＷ）１４１および１４２は、クラス分類部１４３の出力に基づいて、互いに通過帯域の異なるダウンフィルタ１３０−１乃至１３０−ｎの内、いずれを使用するかを選択し、選択したダウンフィルタの入力端子をＳＤ信号生成部１４０の入力端子に、出力端子をＳＤ信号生成部１４０の出力端子に、それぞれ接続する。これにより、ＳＤ信号生成部１４０は、入力される教師画像としてのＨＤ信号の信号特性に応じた、最適なダウンフィルタによって、生徒画像としてのＳＤ信号を生成することができる。
【０２６６】
次に、係数種データの生成方法の他の例について説明する。この例においても、上述した式（５）の生成式における係数データである係数種データｗ１０乃至ｗｎ９を求める第２の例を示すものとする。
【０２６７】
図１９は、係数種データの生成方法の、第２の例の概念を示している。ＨＤ信号から複数のＳＤ信号が生成される。例えば、ＨＤ信号からＳＤ信号を生成する際に使用するフィルタの空間方向（垂直方向および水平方向）の帯域と時間方向（フレーム方向）の帯域を可変するパラメータｓ、およびｚをそれぞれ９段階に可変することにより、合計８１種類のＳＤ信号が生成される。このようにして生成された各ＳＤ信号とＨＤ信号との間で学習を行って、式（４）の推定式の係数データＷｉが生成される。そして、各ＳＤ信号に対応して生成された係数データＷｉを使用して、係数種データが生成される。
【０２６８】
まず、推定式の係数データの求め方について説明する。ここでは、式（４）の推定式の係数データＷｉ（ｉ＝１乃至ｎ）を最小二乗法により求める例を示すものとする。一般化した例として、Ｘを入力データ、Ｗを係数データ、Ｙを予測値として、式（１８）および式（１９）の観測方程式を考える。この式（１９）において、ｍは学習データの数を示し、ｎは予測タップの数を示している。
【０２６９】
【数１８】
2004247991.tif 000020
【０２７０】
【数１９】
2004247991.tif 000021
【０２７１】
式（１８）および式（１９）の観測方程式により収集されたデータに最小二乗法を適用する。式（１８）および式（１９）の観測方程式をもとに、式（２０）の残差方程式を考える。
【０２７２】
【数２０】
2004247991.tif 000022
【０２７３】
式（２０）の残差方程式から、各Ｗｉの最確値は、式（２１）のｅ２（ｅの２乗）を最小にする条件が成り立つ場合と考えられる。すなわち、式（２２）の条件を考慮すればよいわけである。
【０２７４】
【数２１】
2004247991.tif 000023
【０２７５】
【数２２】
2004247991.tif 000024
【０２７６】
つまり、式（２２）のｉに基づくｎ個の条件を考え、これを満たす、Ｗ１，Ｗ２，・・・，Ｗｎを算出すればよい。そこで、式（２０）の残差方程式から、式（２３）が得られる。更に、式（２３）と式（１８）とから、式（２４）が得られる。
【０２７７】
【数２３】
2004247991.tif 000025
【０２７８】
【数２４】
2004247991.tif 000026
【０２７９】
そして、式（２０）と式（２４）とから、式（２５）の正規方程式が得られる。
【０２８０】
【数２５】
2004247991.tif 000027
【０２８１】
式（２５）の正規方程式は、未知数の数ｎと同じ数の方程式を立てることが可能であるので、各Ｗｉの最確値を求めることができる。この場合、掃き出し法等を用いて連立方程式を解くことになる。
【０２８２】
次に、各ＳＤ信号に対応して生成された係数データＷｉを使用した、係数種データの求め方について説明する。
【０２８３】
パラメータｓ、およびｚに対応したＳＤ信号を用いた学習による、あるクラスの係数データが、ｋｓｚｉとなったとする。ここで、ｉは予測タップの番号である。このｋｓｚｉから、このクラスの係数種データを求める。
【０２８４】
係数データＷｉ（ｉ＝１乃至ｎ）は、係数種データｗ１０乃至ｗｎ９を使って、上述した式（５）で表現される。ここで、係数データＷｉに対して最小二乗法を使用することを考えると、残差は、式（２６）で表される。
【０２８５】
【数２６】
2004247991.tif 000028
【０２８６】
ここで、ｔｊは、上述の式（９）に示されている。式（２６）に最小二乗法を作用させると、式（２７）が得られる。
【０２８７】
【数２７】
2004247991.tif 000029
【０２８８】
ここで、Ｘｊｋ，Ｙｊをそれぞれ式（２８）、式（２９）のように定義すると、式（２７）は式（３０）のように書き換えられる。この式（３０）も正規方程式であり、この式を掃き出し法等の一般解法で解くことにより、係数種データｗ１０乃至ｗｎ９を算出することができる。
【０２８９】
【数２８】
2004247991.tif 000030
【０２９０】
【数２９】
2004247991.tif 000031
【０２９１】
【数３０】
2004247991.tif 000032
【０２９２】
図２０は、図１９に示す概念に基づいて係数種データを生成する係数種データ生成部１５１の構成を示している。図２０において、図１２と対応する部分には同一符号を付し、その詳細な説明は適宜省略する。
【０２９３】
すなわち、図２０の係数種データ生成部１５１は、正規方程式生成部１１０に代わって、正規方程式生成部１６１が設けられ、係数種データ決定部１１１に代わって、係数データ決定部１６２が設けられ、新たに、正規方程式生成部１６３および係数種データ決定部１６４が設けられている以外は、図１２を用いて説明した係数種データ生成部２１と、基本的に同様の構成を有している。
【０２９４】
正規方程式生成部１６１は、入力端子１０１に供給されるＨＤ信号より得られる注目位置の画素データとしての各ＨＤ画素データｙと、この各ＨＤ画素データｙにそれぞれ対応して第１のタップ選択部１０４で選択的に取り出された予測タップのデータ（ＳＤ画素データ）ｘｉと、各ＨＤ画素データｙにそれぞれ対応してクラス合成部１０９より出力されるクラスコードＣＬとから、クラスおよび出力画素（図４のＨＤ１乃至ＨＤ４、図５のＨＤ１′乃至ＨＤ４′参照）の組み合わせ毎に、係数データＷｉ（ｉ＝１乃至ｎ）を得るための正規方程式（式（２５）参照）を生成する。
【０２９５】
この場合、１個のＨＤ画素データｙとそれに対応するｎ個の予測タップのデータ（ＳＤ画素データ）ｘｉとの組み合わせで学習データが生成されるが、調整後のパラメータｓ、およびｚの値の変化に対応してＳＤ信号生成部１０３における空間方向および時間方向の帯域が可変され、複数のＳＤ信号が順次生成されていき、ＨＤ信号と各ＳＤ信号との間でそれぞれ学習データの生成が行われる。これにより、正規方程式生成部１６１では、各ＳＤ信号と対応して、クラスおよび出力画素の組み合わせ毎に、係数データＷｉ（ｉ＝１乃至ｎ）を得るための正規方程式が生成される。
【０２９６】
係数データ決定部１６２は、正規方程式生成部１６１で生成された正規方程式のデータの供給を受け、その正規方程式を解いて、各ＳＤ信号にそれぞれ対応した、クラスおよび出力画素の各組み合わせの係数データＷｉを求める。正規方程式生成部１６３は、パラメータｓ、およびｚの値、並びに各ＳＤ信号にそれぞれ対応した係数データＷｉを使用して、クラスおよび出力画素の組み合わせ毎に、係数種データｗ１０乃至ｗｎ９を得るための正規方程式（式（２８）参照）を生成する。
【０２９７】
係数種データ決定部１６４は、正規方程式生成部１６３でクラスおよび出力画素の組み合わせ毎に生成された正規方程式のデータの供給を受け、その組み合わせ毎に正規方程式を解いて、クラスおよび出力画素の各組み合わせの係数種データｗ１０乃至ｗｎ９を求める。係数種メモリ１５２は、係数種データ決定部１６４で求められた係数種データｗ１０乃至ｗｎ９を格納する。
【０２９８】
図２０に示す係数種データ生成部１５１のその他の部分は、図１２に示す係数種データ生成部２１と同様に構成されるので、その詳細な説明については省略する。
【０２９９】
次に、図２０に示す係数種データ生成装置１５１の動作を説明する。
【０３００】
入力端子１０１には教師信号としてのＨＤ信号（１０５０ｉ信号）が供給され、そして、ＳＤ信号生成部１０３で、このＨＤ信号に対して水平および垂直の間引き処理が行われて、生徒信号としてのＳＤ信号（５２５ｉ信号）が生成される。
【０３０１】
ＳＤ信号生成部１０３に入力されるパラメータｓ、およびｚの値が順次変更されることで、ＨＤ信号からＳＤ信号を生成する際に用いられる帯域制限フィルタの空間方向および時間方向の帯域が変更されることから、空間方向および時間方向の帯域が段階的に変化した複数のＳＤ信号が生成されていく。
【０３０２】
この場合、ＳＤ信号生成部１０３では、履歴情報が入力されるときは、この履歴情報に基づいて入力されたパラメータｓ、およびｚの値が調整され、調整されたパラメータｓ、およびｚの値に応じて、上述したようにＨＤ信号からＳＤ信号を生成する際に用いられる帯域制限フィルタの空間方向および時間方向の帯域が可変される。
【０３０３】
また、ＳＤ信号生成部１０３で生成されたＳＤ信号（５２５ｉ信号）より、第２のタップ選択部１０５で、ＨＤ信号（１０５０ｉ信号）における注目位置の周辺に位置する空間クラスタップのデータ（ＳＤ画素データ）が選択的に取り出される。この第２のタップ選択部１０５で選択的に取り出された空間クラスタップのデータ（ＳＤ画素データ）は、空間クラス検出部１０７に供給される。この空間クラス検出部１０７では、空間クラスタップのデータとしての各ＳＤ画素データに対してＡＤＲＣ処理が施されて、空間クラス（主に空間内の波形表現のためのクラス分類）のクラス情報としての再量子化コードｑｉが得られる（式（１）参照）。
【０３０４】
また、ＳＤ信号生成部１０３で生成されたＳＤ信号より、第３のタップ選択部１０６で、ＨＤ信号に係る注目画素の周辺に位置する動きクラスタップのデータ（ＳＤ画素データ）が選択的に取り出される。この第３のタップ選択部１０６で選択的に取り出された動きクラスタップのデータ（ＳＤ画素データ）は、動きクラス検出部１０８に供給される。この動きクラス検出部１０８では、動きクラスタップのデータとしての各ＳＤ画素データより動きクラス（主に動きの程度を表すためのクラス分類）のクラス情報ＭＶが得られる。
【０３０５】
このクラス情報ＭＶと上述した再量子化コードｑｉとは、クラス合成部１０９に供給される。このクラス合成部１０９では、これらクラス情報ＭＶと再量子化コードｑｉとから、ＨＤ信号（１０５０ｉ信号）における注目位置の画素データが属するクラスを示すクラスコードＣＬが得られる（式（３）参照）。
【０３０６】
また、ＳＤ信号生成部１０３で生成されるＳＤ信号より、第１のタップ選択部１４４で、ＨＤ信号における注目位置の周辺に位置する予測タップのデータ（ＳＤ画素データ）が選択的に取り出される。
【０３０７】
そして、正規方程式生成部１６１では、入力端子１０１に供給されるＨＤ信号より得られる注目位置の画素データとしての各ＨＤ画素データｙと、この各ＨＤ画素データｙにそれぞれ対応して第１のタップ選択部１０４で選択的に取り出された予測タップのデータ（ＳＤ画素データ）ｘｉと、各ＨＤ画素データｙにそれぞれ対応してクラス合成部１０９より出力されるクラスコードＣＬとから、ＳＤ信号生成部１０３で生成される各ＳＤ信号のそれぞれに対応して、クラスおよび出力画素の組み合わせ毎に、係数データＷｉ（ｉ＝１乃至ｎ）を得るための正規方程式（式（２５）参照）が生成される。
【０３０８】
そして、係数データ決定部１６２で、その正規方程式が解かれ、各ＳＤ信号にそれぞれ対応したクラスおよび出力画素の各組み合わせの係数データＷｉが求められる。正規方程式生成部１６３では、この各ＳＤ信号にそれぞれ対応した各クラスの係数データＷｉから、クラスおよび出力画素の組み合わせ毎に、係数種データｗ１０乃至ｗｎ９を得るための正規方程式（式（２８）参照）が生成される。
【０３０９】
そして、係数種データ決定部１６４でその正規方程式が解かれ、クラスおよび出力画素の各組み合わせの係数種データｗ１０乃至ｗｎ９が求められ、その係数種データｗ１０乃至ｗｎ９は係数種メモリ１１２に格納される。
【０３１０】
このように、図２０に示す係数種データ生成装置１５１においても、図４の画像信号処理部１２の情報メモリバンク５１に格納される、クラスおよび出力画素（ＨＤ１乃至ＨＤ４，ＨＤ１′乃至ＨＤ４′）の組み合わせ毎の係数種データｗ１０乃至ｗｎ９を生成することができる。
【０３１１】
また、この係数種データ生成装置１５１においても、ＳＤ信号生成部１０３では、この履歴情報に基づいて、入力されるパラメータｓ、およびｚの値が調整され、この調整されたパラメータｓ、およびｚによって、ＨＤ信号からＳＤ信号を得る際に用いられる帯域制限フィルタの空間方向および時間方向の帯域が可変されるものである。従って、このようにして求められた係数種データｗ１０乃至ｗｎ９を、テレビジョン受信装置１のバージョンアップ時に情報メモリバンク５１に格納して使用することで、ユーザは、パラメータｓ、およびｚの値の調整により、過去の解像度調整の重心位置を中心とする範囲（図１１の一点鎖線枠ＡＦ参照）内で解像度の調整を行うことが可能となる。
【０３１２】
図２１のフローチャートを参照して、図２０を参照して説明した係数種データ生成部１５１による係数種データ生成処理について説明する。
【０３１３】
係数種データ生成部１５１は、ステップＳ９１において、学習に使われる画質パターン（例えば、パラメータｓ、およびｚで特定される画質パターン）を選択するとともに、その画質パターンを履歴情報に基づいて調整し、ステップＳ９２において、全ての画質パターンに対する係数データの算出処理が終了したか否かを判断する。
【０３１４】
ステップＳ９２において、係数データの算出処理が終了していないと判断された場合、係数種データ生成部１５１は、ステップＳ９３において、入力端子１０１より、既知のＨＤ画素データをフレーム単位またはフィールド単位で取得し、ステップＳ９４において、全てのＨＤ画素データについて処理が終了したか否かを判断する。
【０３１５】
ステップＳ９４において、全てのＨＤ画素データについて処理が終了していないと判断された場合、ステップＳ９５において、係数種データ生成部１５１のＳＤ信号生成部１０３は、ステップＳ９３において取得されたＨＤ画素データより、ステップＳ９１において調整された画質パターンに基づいて、ＳＤ画素データを生成する。
【０３１６】
係数種データ生成部１５１は、ステップＳ９６において、ステップＳ９５で生成されたＳＤ画素データより、ステップＳ５９３で取得された各ＨＤ画素データに対応して、クラスタップおよび予測タップの画素データを取得し、ステップＳ９７において、生成されたＳＤ画素データの全領域において学習処理は終了しているか否かを判断する。ステップＳ９７において、学習処理は終了していると判断された場合、ステップＳ９３に戻り、次のＨＤ画素データを取得して、上述した処理と同様の処理が繰り返される。
【０３１７】
ステップＳ９７において、学習処理は終了していないと判断された場合、係数種データ生成部１５１は、ステップＳ９８において、ステップＳ９６で取得されたクラスタップのＳＤ画素データから、クラスコードＣＬを生成し、ステップＳ９９において、係数データを得るための正規方程式（式（２５）参照）を生成する。ステップＳ９９の処理の終了後、処理は、ステップＳ９６に戻り、それ以降の処理が繰り返される。
【０３１８】
ステップＳ９４において、全てのＨＤ画素データについて処理が終了したと判断された場合、ステップＳ１００において、係数種データ生成部１５１は、ステップＳ９９において生成された正規方程式を、掃き出し法などで解いて、クラスおよび出力画素（図４のＨＤ１乃至ＨＤ４、図５のＨＤ１′乃至ＨＤ４′参照）の各組み合わせの係数データを算出し、処理は、ステップＳ９１に戻り、次の画質パターンの選択、および調整を行って、上述した処理と同様の処理を繰り返し、次の画質パターンに対応した、各組み合わせの係数データを求める。
【０３１９】
ステップＳ９２において、全ての画質パターンに対する係数データの算出処理が終了したと判断された場合、ステップＳ１０１において、係数種データ生成部１５１は、全ての画質パターンに対する係数データから、係数種データを求めるための正規方程式（式（２８）参照）を生成する。
【０３２０】
係数種データ生成部１５１は、ステップＳ１０２において、ステップＳ１０１で生成された正規方程式を、掃き出し法等で解くことによって、クラスおよび出力画素の各組み合わせの係数種データを算出し、ステップＳ１０３において、その係数種データを、係数種メモリ１１２に保存し、処理を終了する。
【０３２１】
図２１のフローチャートを用いて説明した処理により、図２０のブロック図を用いて説明した係数種データ生成部１５１において、係数種データを得ることができる。
【０３２２】
以上のように、図１に示される画像情報処理システムにおいて、リモートコントローラ２０は、テレビジョン受信装置１０が表示する画像を生成するための画像処理に必要な係数種データを生成し、テレビジョン受信装置１０に供給することができるので、テレビジョン受信装置１０は、効率よく画像処理を行うことができ、回路規模や製造コストを抑制することができる。また、ユーザがリモートコントローラ２０を操作するだけで、容易に、画像処理の設定を、ユーザの嗜好に応じたものに変更することができ、テレビジョン受信装置１０は、より効果的に、よりユーザの嗜好に合わせて、コンテンツデータに画像変換処理を行うことができる。
【０３２３】
なお、図４の画像信号処理部１２では、係数データＷｉ（ｉ＝１乃至ｎ）を生成するために式（５）の生成式を使用したが、次数の異なった多項式や、他の関数で表現される式でも、係数データＷｉの生成は実現可能である。
【０３２４】
また、画像信号処理部１２では、空間方向（垂直方向および水平方向）の解像度を定めるパラメータｓと時間方向（フレーム方向）の解像度を定めるパラメータｚとを設定し、これらパラメータｓ、およびｚの値を調整することで画像の空間方向および時間方向の解像度を調整し得るものとして説明したが、その他の画像の質を定めるパラメータを設けるものも、同様にして構成することができる。例えば、パラメータとしては、垂直方向の解像度を定めるパラメータ、水平方向の解像度を定めるパラメータ、ノイズ除去度を定めるパラメータ、変換後の画素の位相の変化度（垂直方向および水平方向）を定めるパラメータ、画面の明るさやコントラストを定めるパラメータ、または、再生速度を定めるパラメータなどの種々のパラメータが考えられる。
【０３２５】
これらのパラメータの値は、ユーザによる操作入力によって、直接指定されるようにしてもよいし、ユーザが編集操作した内容に基づいて、編集操作内容に関連するパラメータの値が自動的に設定されるようにしてもよい。
【０３２６】
例えば、ユーザが、リモートコントローラ２０を操作する等して、ズーム画像を表示するように指示した場合、そのときユーザが指定したズーム画像の拡大率、変化速度、またはズーム画像の中心の元画像における位置等の情報に基づいて、ズーム画像を作成する際に必要な、画素の垂直方向および水平方向の位相変化情報、ズーム画像の解像度、または、ズーム画像のノイズ除去度等のパラメータが生成されるようにしてもよい。
【０３２７】
また、ユーザが、リモートコントローラ２０を操作する等して、スローモーション再生を行うように指示した場合、そのときユーザが指定した再生速度等の情報に基づいて、画像の再生速度だけでなく、画像の解像度やノイズ除去度等のパラメータが生成されるようにしてもよい。
【０３２８】
さらに、テレビジョン受信装置１０やリモートコントローラ２０に照度計等を設置して、テレビジョン受信装置１０の周囲の明るさを測定し、その測定結果に基づいて、画像の輝度等のパラメータが生成されるようにしてもよいし、例えば、画像を表示するテレビジョン受信装置１０のディスプレイ等の種類（ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、またはＰＤＰ（Ｐｌａｓｍａ  Ｄｉｓｐｌａｙ  Ｐａｎｅｌ）等）や、画面サイズ等の情報に基づいて、画像の解像度、ノイズ除去度、明るさまたはコントラスト等のパラメータが生成されるようにしてもよい。
【０３２９】
また、画像信号処理部１２では、パラメータｓ、およびｚの２つのパラメータを調整し得るものとして説明したが、１個または３個以上のパラメータを取り扱うものも同様に構成することができる。その場合も、履歴情報記憶部５０には、それぞれのパラメータの履歴情報が格納されることとなる。そして、図１２に示す係数種データ生成装置２１、あるいは図２０に示す係数種データ生成装置１５１では、それぞれのパラメータの履歴情報を使用して、上述した場合と同様の生成処理を行うことができる。
【０３３０】
図２２は、本発明を適用した画像情報処理システムの他の構成例を示す図である。図２２において、図１と対応する部分には同一符号を付し、その詳細な説明は適宜省略する。
【０３３１】
リモートコントローラ１７０は、図１のリモートコントローラ２０と基本的に同様の処理を行い、テレビジョン受信装置１０に対して同様の役割を果たすが、複数の係数種データ生成部１７１−１乃至１７１−ｍと、係数種データ算出部１７２を有しており、複数種類のパラメータに対応していることが、リモートコントローラ２０と異なる。
【０３３２】
すなわち、係数種データ生成部１７１−１乃至１７１−ｍは、例えば、垂直方向の解像度を定めるパラメータ、水平方向の解像度を定めるパラメータ、ノイズ除去度を定めるパラメータ、変換後の画素の位相の変化度（垂直方向および水平方向）を定めるパラメータ、輝度を定めるパラメータ、または、再生速度を定めるパラメータ等の、互いに異なる種類のパラメータにそれぞれ対応し、それぞれのパラメータに基づいて係数種データｗ１０乃至ｗｎ９を生成する。
【０３３３】
なお、これらのパラメータは、上述したように、テレビジョン受信装置１０などにおいて、ユーザの操作内容など、他の情報に基づいて生成されたものであってもよい。
【０３３４】
これらの係数種データ生成部１７１−１乃至１７１−ｍで生成された複数の係数種データｗ１０乃至ｗｎ９は、係数種データ算出部１７２に供給される。
【０３３５】
係数種データ算出部１７２は、供給された複数の係数種データｗ１０乃至ｗｎ９に基づいて、テレビジョン受信装置１０に供給する係数種データｗ１０乃至ｗｎ９を算出する。リモートコントローラ１７０は、この算出された係数種データｗ１０乃至ｗｎ９をテレビジョン受信装置１０に供給する。
【０３３６】
図２３は、図２２に示されるリモートコントローラ１７０の詳細な構成例を示す図である。図２３において、図１１と対応する部分には同一符号を付し、その詳細な説明は適宜省略する。
【０３３７】
リモートコントローラ１７０のシステムコントローラ９２には、上述した複数の係数種データ生成部１７１−１乃至１７１−ｍ、および、係数種データ算出部１７２が接続されている。
【０３３８】
係数種データ生成部１７１−１乃至１７１−ｍは、互いに異なる種類のパラメータに基づいて係数種データｗ１０乃至ｗｎ９を生成する以外は、図１２に示される係数種データ生成部２１と基本的に同様の構成であり、同様の処理を行うので、詳細な説明は省略する。すなわち、係数種データ生成部１７１−１乃至１７１−ｍは、それぞれ、対応するパラメータを、システムコントローラ９２より供給され、その供給されたパラメータに基づいて、係数種データｗ１０乃至ｗｎ９をそれぞれ生成し、システムコントローラ９２に供給する。
【０３３９】
システムコントローラ９２は、係数種データ生成部１７１−１乃至１７１−ｍより供給された係数種データｗ１０乃至ｗｎ９を記憶部９４に記憶させたり、係数種データ算出部１７２に供給したりする。
【０３４０】
係数種データ算出部１７２は、係数種データ生成部１７１−１乃至１７１−ｍにより生成され、システムコントローラ９２を介して供給された複数の係数種データｗ１０乃至ｗｎ９に基づいて、テレビジョン受信装置１０に供給する係数種データｗ１０乃至ｗｎ９を算出する。
【０３４１】
その算出方法は、例えば、各係数種データ生成部部１７１−１乃至１７１−ｍにおいて算出された係数種データｗ１０乃至ｗｎ９毎に、予め定められた、互いに値の異なる係数を乗算したものの総和をテレビジョン受信装置１０に供給する係数種データｗ１０乃至ｗｎ９とするようにしてもよいし、その総和と、前回算出された係数種データｗ１０乃至ｗｎ９（または、予め定められた所定の値の基本となる係数種データｗ１０乃至ｗｎ９）との差分値（変化量）を係数種データｗ１０乃至ｗｎ９としてテレビジョン受信装置１０に供給するようにしてもよい。また、状況に応じて特定のパラメータに対応する係数種データｗ１０乃至ｗｎ９を選択してから、上述した演算を行うようにしてもよい。
【０３４２】
係数種データ算出部１７２は、算出したテレビジョン受信装置１０に供給する係数種データｗ１０乃至ｗｎ９をシステムコントローラ９２に供給する。システムコントローラ９２は、供給された係数種データｗ１０乃至ｗｎ９を、通信部９３を介してテレビジョン受信装置１０に供給する。
【０３４３】
次に、図２３に示されるリモートコントローラ２０の動作について説明する。
【０３４４】
ユーザが入力部９１を操作したり、テレビジョン受信装置１０よりパラメータが供給されたりする等して、そのパラメータおよび履歴情報がシステムコントローラ９２に供給されると、それらの情報を取得したシステムコントローラ９２は、取得した情報を、パラメータが対応する係数種データ生成部１７１−１乃至１７１−ｍに供給するとともに、記憶部９４に記憶されている教師画像データとしてのＨＤ信号を、パラメータを供給した係数種データ生成部部１７１−１乃至１７１−ｍに供給する。
【０３４５】
係数種データ生成部部１７１−１乃至１７１−ｍは、それぞれ、システムコントローラ９２より供給されたパラメータに関する情報、およびＨＤ信号に基づいて、係数種データｗ１０乃至ｗｎ９を生成し、システムコントローラ９２に供給する。システムコントローラ９２は、取得した係数種データｗ１０乃至ｗｎ９を、係数種データ算出部１７２に供給する。
【０３４６】
係数種データ算出部１７２は、取得した複数の係数種データｗ１０乃至ｗｎ９に基づいて、テレビジョン受信装置１０に供給する係数種データｗ１０乃至ｗｎ９を算出し、システムコントローラ９２に供給する。システムコントローラ９２は、取得した係数種データｗ１０乃至ｗｎ９を、通信部９３を介してテレビジョン受信装置１０に供給する。
【０３４７】
このようにして求められた係数種データｗ１０乃至ｗｎ９を、テレビジョン受信装置１０に供給し、情報メモリバンク５１に格納して使用することで、ユーザは、様々なパラメータの値の調整により、表示画像の調整を行うことが可能となる。すなわち、ユーザの好みに合わせた画像調整範囲が自動的に設定され、ユーザはその範囲内で画像の調整を行うことができる。また、テレビジョン受信装置１０は、表示部３７（ディスプレイ）や周囲環境に最適な画質の画像が自動的に表示することができる。
【０３４８】
次に、図２２の画像情報処理システムによる、係数種データ更新処理について、図２４のフローチャートを参照して説明する。
【０３４９】
ユーザがリモートコントローラ１７０の入力部９１を操作することにより、係数種データの設定の開始を指示すると、リモートコントローラ１７０は、図１５のフローチャートを参照して説明したステップＳ２１乃至Ｓ２３の処理にそれぞれ対応するステップＳ１４１乃至１４３の処理を行い、テレビジョン受信装置１０は、図１５のフローチャートを参照して説明したステップＳ１乃至Ｓ６の処理にそれぞれ対応するステップＳ１２１乃至１２６の処理を行う。
【０３５０】
すなわち、リモートコントローラ１７０は、ユーザの操作入力に応じて制御信号をテレビジョン受信装置１０に供給し、パラメータの設定を指示する。テレビジョン受信装置１０は、その制御信号に基づいて、パラメータを生成し、リモートコントローラ１７０に供給する。
【０３５１】
ステップＳ１４３において、パラメータを取得したリモートコントローラ１７０のシステムコントローラ９２は、取得したパラメータを対応する係数種データ生成部１７１−１乃至１７１−ｍに供給し、係数種データ生成処理を実行させる。ステップＳ１４４において、係数種データ生成部１７１−１乃至１７１−ｍは、図１６を参照して説明した係数種データ生成処理を実行し、生成した係数種データｗ１０乃至ｗｎ９を、システムコントローラ９２を介して、係数種データ算出部１７２に供給する。
【０３５２】
システムコントローラ９２は、ステップＳ１４５において、係数種データ生成部１７１−１乃至１７１−ｍが、供給した全てのパラメータについて、係数種データｗ１０乃至ｗｎ９を生成したか否かを判定し、生成していないと判定した場合、ステップＳ１４４に処理を戻し、それ以降の処理を繰り返す。
【０３５３】
システムコントローラ９２により、供給した全てのパラメータについて、係数種データｗ１０乃至ｗｎ９を生成したと判定された場合、係数種データ算出部１７２は、ステップＳ１４６において、テレビジョン受信装置１０に供給する係数種データｗ１０乃至ｗｎ９を算出する。
【０３５４】
そして、リモートコントローラ１７０のシステムコントローラ９２は、ステップＳ１４７において、係数種データ算出部１７２において算出された係数種データｗ１０乃至ｗｎ９を、通信部９３を介して、テレビジョン受信装置１０に供給し、係数種データ更新処理を終了する。
【０３５５】
テレビジョン受信装置１０の通信部３１は、ステップＳ１２７において、リモートコントローラ１７０より供給された係数種データｗ１０乃至ｗｎ９を取得し、システムコントローラ３２に供給する。ステップＳ１２８において、システムコントローラ３２は、通信部３１を介して取得した係数種データｗ１０乃至ｗｎ９を画像信号処理部１２に供給し、情報メモリバンク５１に記憶させることにより、係数種データｗ１０乃至ｗｎ９を保持する。画像信号処理部１２に係数種データｗ１０乃至ｗｎ９を供給したシステムコントローラ３２は、係数種データ更新処理を終了する。
【０３５６】
以上のように、図２２に示される画像情報処理システムにおいて、テレビジョン受信装置１０は、リモートコントローラ１７０を用いることにより、様々なパラメータに基づいて、係数種データｗ１０乃至ｗｎ９を容易に更新することができ、より効果的に、よりユーザの嗜好に合わせて、コンテンツデータに画像変換処理を行うことができる。
【０３５７】
なお、上述した画像情報処理システムにおいて、リモートコントローラに画像を表示するディスプレイ等を設けるようにしてもよい。
【０３５８】
図２５は、本発明を適用した画像情報処理システムの、さらに他の構成例を示す図である。図２５において、図１と対応する部分には同一符号を付し、その詳細な説明は適宜省略する。
【０３５９】
図２５において、テレビジョン受信装置１８０は、リモートコントローラ１９０に対して、パラメータだけでなく、アンテナ１１を介して受信した画像信号であるコンテンツデータも供給する。このコンテンツデータは、画像信号処理部１２において画像処理される前のＳＤ信号の画像データである。
【０３６０】
リモートコントローラ１９０は、係数種データ生成部２１の他に、画像信号処理部１２と同様の構成であり、かつ、同様の処理を行う画像信号処理部１９１、および、ディスプレイ等を含む出力部１９２を有している。
【０３６１】
リモートコントローラ１９０は、係数種データ生成部２１において生成した係数種データｗ１０乃至ｗｎ９をテレビジョン受信装置１８０に供給するだけでなく、画像信号処理部１９１に供給する。画像信号処理部１９１は、供給された係数種データｗ１０乃至ｗｎ９を用いて、テレビジョン受信装置１８０より供給されるコンテンツデータ（ＳＤ画素データ）に対して画像処理を行い、出力部１９２に供給し、画像を表示させる。
【０３６２】
図２６は、図２５に示されるテレビジョン受信装置１８０の詳細な構成例を示す図である。図２６において、図２に示されるテレビジョン受信装置１０の場合と対応する部分には同一符号を付し、その詳細な説明は適宜省略する。
【０３６３】
テレビジョン受信装置１８０のバッファメモリ１８２は、チューナ３３より取得したＳＤ信号（コンテンツデータ）を画像信号処理部１２だけでなく、システムコントローラ１８３に供給する。
【０３６４】
システムコントローラ１８３は、図２に示されるテレビジョン受信装置１８０のシステムコントローラ３２の場合と同様の処理を行う以外に、バッファメモリ１８２より供給されたコンテンツデータ（ＳＤ画素データ）や、生成したパラメータを、通信部３１を介してリモートコントローラ１９０に供給する。
【０３６５】
図２７は、図２５に示されるリモートコントローラ１９０の詳細な構成例を示す図である。図２７において、図１１に示されるリモートコントローラ２０の場合と対応する部分には同一符号を付し、その詳細な説明は適宜省略する。
【０３６６】
リモートコントローラ１９０のシステムコントローラ１９３には、画像信号処理部１９１および出力部１９２が接続されている。
【０３６７】
システムコントローラ１９３は、図１１に示されるリモートコントローラ２０のシステムコントローラ９２の場合と同様の処理を行う以外に、係数種データ生成部２１において生成され、供給された係数種データｗ１０乃至ｗｎ９を、通信部９３を介してテレビジョン受信装置１８０に供給するだけでなく、画像信号処理部１９１に供給する。また、システムコントローラ１９３は、通信部９３を介して、テレビジョン受信装置１８０より供給されたコンテンツデータやパラメータを画像信号処理部１９１に供給し、画像信号処理部１９１より供給された画像処理後のコンテンツデータ（ＨＤ画素データ）を出力部１９２に供給する。
【０３６８】
画像信号処理部１９１は、図２に示されるテレビジョン受信装置１０の画像信号処理部１２と同様の構成であり、同様の処理を行うので、その詳細な説明は省略する。画像信号処理部１９１は、システムコントローラ１９３より供給された係数種データｗ１０乃至ｗｎ９やパラメータに基づいて、システムコントローラ１９３より供給されたコンテンツデータ（ＳＤ画素データ）に対して画像変換処理を行い、変換後のコンテンツデータ（ＨＤ画素データ）をシステムコントローラ１９３に供給する。
【０３６９】
出力部１９２は、ディスプレイ等の出力機能を有し、システムコントローラ１９３より供給されたコンテンツデータ（ＨＤ画素データ）に対応する画像を表示する。
【０３７０】
以上のように、図２５に示される画像情報処理システムにおいて、リモートコントローラ１９０は、テレビジョン受信装置１８０の画像信号処理部１２において用いられる係数種データを生成するだけでなく、テレビジョン受信装置１８０より供給されたコンテンツデータに対して画像変換処理を行い、対応する画像を表示することができる。
【０３７１】
次に、図２５の画像情報処理システムによる、係数種データ更新処理について、図２８のフローチャートを参照して説明する。
【０３７２】
ユーザがリモートコントローラ１９０の入力部９１を操作することにより、係数種データの設定の開始を指示すると、リモートコントローラ１９０は、図１５のフローチャートを参照して説明したステップＳ２１乃至Ｓ２５の処理にそれぞれ対応するステップＳ１８１乃至１８５の処理を行い、テレビジョン受信装置１８０は、図１５のフローチャートを参照して説明したステップＳ１乃至Ｓ８の処理にそれぞれ対応するステップＳ１６１乃至１６８の処理を行う。
【０３７３】
すなわち、リモートコントローラ１９０は、図１５のフローチャートの場合と同様に、係数種データｗ１０乃至ｗｎ９を生成し、テレビジョン受信装置１８０に供給する。テレビジョン受信装置１８０は、図１５のフローチャートの場合と同様に、パラメータを生成し、リモートコントローラ１９０に供給し、リモートコントローラ１９０より供給された係数種データｗ１０乃至ｗｎ９を保持する。
【０３７４】
なお、リモートコントローラ１９０のシステムコントローラ１９３は、ステップＳ１８５において、生成された係数種データｗ１０乃至ｗｎ９を供給するとともに、ステップＳ１８６において、生成された係数種データｗ１０乃至ｗｎ９を画像信号処理部１９１に供給し、画像信号処理部１９１は、供給された係数種データｗ１０乃至ｗｎ９を保持する。係数種データｗ１０乃至ｗｎ９を保持したリモートコントローラ１９０は、係数種データ更新処理を終了する。
【０３７５】
なお、テレビジョン受信装置１８０の画像信号処理部１２による画像信号処理、および、リモートコントローラ１９０の画像信号処理部１９１による画像信号処理は、図１７のフローチャートを参照して説明した場合と同様の処理であるので、その説明は省略する。
【０３７６】
以上のようにすることにより、図２５に示される画像情報処理システムにおいて、リモートコントローラ１９０は、生成した係数種データｗ１０乃至ｗｎ９に基づいて、テレビジョン受信装置１８０より供給されたコンテンツデータを画像変換し、対応する画像を表示させることができる。
【０３７７】
なお、リモートコントローラ１９０において、係数種データ生成部２１が、テレビジョン受信装置１８０に供給する係数種データｗ１０乃至ｗｎ９と、画像信号処理部１９１において用いられる係数種データｗ１０乃至ｗｎ９とを、独立して生成する（異なるパラメータに基づいて生成する）ようにすることにより、リモートコントローラ１９０は、テレビジョン受信装置１８０に表示される画像と異なる画像、すなわち、同じコンテンツデータ（ＳＤ画素データ）を用いて、異なるパラメータの値により作成されたコンテンツデータ（ＨＤ画素データ）に対応する画像を表示することができる。
【０３７８】
例えば、テレビジョン受信装置１８０においては、表示部３７には、表示部３７に最適な画像処理が施された画像が表示され、リモートコントローラ１９０においては、出力部１９２のディスプレイに最適な画像処理が施された画像が表示されるようにすることもできるし、リモートコントローラ１９０においてのみ、ズーム画像を表示させるようなことも可能である。
【０３７９】
図２９は、本発明を適用した画像情報処理システムの、さらに他の構成例を示す図である。
【０３８０】
図２９の画像情報処理システムは、上述したテレビジョン受信装置１０または１８０と異なり、画像信号処理部１２を有していないテレビジョン受信装置２００と、上述した係数種データ生成部２１および画像信号処理部１９１を有するリモートコントローラ２１０により構成される。
【０３８１】
テレビジョン受信装置２００は、上述したテレビジョン受信装置１８０の場合と同様に、係数種データｗ１０乃至ｗｎ９の生成に必要な各種のパラメータだけでなく、アンテナ１１を介して受信した画像信号（ＳＤ信号）であるコンテンツデータをリモートコントローラ２１０に供給する。また、テレビジョン受信装置２００は、リモートコントローラ２１０より供給された変換後のコンテンツデータ（ＨＤ信号）を取得し、表示部３７に表示させる。
【０３８２】
リモートコントローラ２１０は、テレビジョン受信装置２００より供給されたパラメータに基づいて、係数種データ生成部２１において、係数種データｗ１０乃至ｗｎ９を生成し、画像信号処理部１９１において、その生成した係数種データｗ１０乃至ｗｎ９を用いて、テレビジョン受信装置２００より供給されたコンテンツデータ（ＳＤ画素データ）を変換し、変換後のコンテンツデータ（ＨＤ画素データ）をテレビジョン受信装置２００に供給する。
【０３８３】
図３０は、図２９に示されるテレビジョン受信装置２００の詳細な構成例を示すブロック図である。図３０において、図２に示されるテレビジョン受信装置１０の場合と対応する部分には同一符号を付し、その詳細な説明は適宜省略する。
【０３８４】
テレビジョン受信装置２００のバッファメモリ２０１は、チューナ３３より供給されたＳＤ信号（コンテンツデータ）を、システムコントローラ２０２に供給する。
【０３８５】
システムコントローラ２０２は、係数種データｗ１０乃至ｗｎ９の生成に必要な各種のパラメータを生成し、通信部３１を介してリモートコントローラ２１０に供給するだけでなく、バッファメモリ２０１より供給されたコンテンツデータを、通信部３１を介してリモートコントローラ２１０に供給する。また、システムコントローラ２０２は、通信部３１を介して、リモートコントローラ２１０より供給された、変換後のコンテンツデータを取得し、合成部３６に供給する。
【０３８６】
合成部３６は、ＯＳＤ処理部３５から出力される表示信号ＳＣＨを、システムコントローラ２０２から出力されるＨＤ信号に合成して、表示部３７に供給する。
【０３８７】
なお、リモートコントローラ２１０の内部の構成は、図２７に示されるリモートコントローラ１９０の場合と比べて、出力部１９２が含まれないだけで、基本的に同様の構成であり、同様の処理が行われるので、その説明は省略する。ただし、リモートコントローラ２１０の場合、画像信号処理部１９１より出力されるコンテンツデータ（ＨＤ画素データ）は、システムコントローラ１９３により、通信部９３を介してテレビジョン受信装置２００に供給される。
【０３８８】
次に、図２９の画像情報処理システムによる、係数種データ更新処理について、図３１のフローチャートを参照して説明する。
【０３８９】
ユーザがリモートコントローラ２１０の入力部を操作することにより、係数種データの設定の開始を指示すると、リモートコントローラ２１０は、図１５のフローチャートを参照して説明したステップＳ２１乃至Ｓ２５の処理にそれぞれ対応するステップＳ２２１乃至２２４の処理を行い、テレビジョン受信装置１８０は、図１５のフローチャートを参照して説明したステップＳ１乃至Ｓ６の処理にそれぞれ対応するステップＳ２０１乃至２０６の処理を行う。
【０３９０】
すなわち、リモートコントローラ２１０は、図１５のフローチャートの場合と同様に、パラメータの設定に関する指示をテレビジョン受信装置２００に供給した後、その指示に基づいて生成されたパラメータを受信し、そのパラメータに基づいて係数種データｗ１０乃至ｗｎ９を生成する。テレビジョン受信装置１８０は、図１５のフローチャートの場合と同様に、リモートコントローラ２１０より供給される指示に基づいてパラメータを生成し、生成したパラメータをリモートコントローラ２１０に供給する。
【０３９１】
ステップＳ２２４において、図１６のフローチャートに示されるような係数種データ生成処理を行い、係数種データ生成部２１において係数種データｗ１０乃至ｗｎ９を生成したリモートコントローラ２１０は、ステップＳ２２５において、生成された係数種データｗ１０乃至ｗｎ９を画像信号処理部１９１に供給して保持し、係数種データ更新処理を終了する。
【０３９２】
また、ステップＳ２０６において、生成したパラメータをリモートコントローラ２１０に供給したテレビジョン受信装置２００は、係数種データ更新処理を終了する。
【０３９３】
すなわち、この場合、テレビジョン受信装置２００に画像信号処理部１２が存在しないので、リモートコントローラ２１０は、生成した係数種データｗ１０乃至ｗｎ９をテレビジョン受信装置２００に供給せずに、係数種データ更新処理を終了する。
【０３９４】
次に、図２９の画像情報処理システムによる、画像信号変換処理について、図３２のフローチャートを参照して説明する。
【０３９５】
図２９の画像情報処理システムにおいては、ＳＤ信号をＨＤ信号に変換する画像変換処理は、テレビジョン受信装置２００ではなく、リモートコントローラ２１０において行われる。
【０３９６】
テレビジョン受信装置２００のシステムコントローラ２０２は、ステップＳ２４１において、アンテナ１１において受信され、チューナ３３およびバッファメモリ２０１を介して供給されたＳＤ画素データであるコンテンツデータを、通信部３１を介してリモートコントローラ２１０に供給する。
【０３９７】
リモートコントローラ２１０は、ステップＳ２６１において、そのコンテンツデータを取得すると、そのコンテンツデータを画像信号処理部１９１に供給する。ステップＳ２６２において、画像信号処理部１９１は、供給されたコンテンツデータに対して、図１７に示されるような画像信号処理を行い、ＨＤ画素データのコンテンツデータを生成する。リモートコントローラ２１０は、ステップＳ２６３において、生成されたＨＤ画素データ（コンテンツデータ）をテレビジョン受信装置２００に供給する。
【０３９８】
テレビジョン受信装置２００のシステムコントローラ２０２は、ステップＳ２４２において、通信部３１を介してそのＨＤ画素データを取得すると、合成部３６を介して表示部３７に供給する。ステップＳ２４３において、表示部３７は、供給されたＨＤ画素データに対応する画像を表示する。
【０３９９】
ステップＳ２４４において、テレビジョン受信装置２００のシステムコントローラ２０２は、アンテナ１１を介して受信した全てのＳＤ画素データを処理したか否かを判定し、全てのデータを処理していないと判定した場合、ステップＳ２４１に戻り、それ以降の処理を繰り返す。
【０４００】
また、全てのデータを処理したと判定した場合、テレビジョン受信装置２００のシステムコントローラ２０２は、画像信号変換処理を終了する。
【０４０１】
以上のように、図２９に示される画像情報処理システムにおいては、テレビジョン受信装置２００が受信したコンテンツデータをリモートコントローラ２１０に供給し、リモートコントローラ２１０において画像変換処理を行い、変換されたコンテンツデータをテレビジョン受信装置２１０に供給して表示するようにしたので、テレビジョン受信装置２００に画像信号処理部が存在しない場合であっても、テレビジョン受信装置２００は、ユーザの嗜好に合ったＨＤ画像データの画像を表示することができる。
【０４０２】
以上において画像情報処理システムは、テレビジョン受信装置およびリモートコントローラが１台ずつで構成されるように説明したが、これに限らず、例えば、図３３に示されるように、複数のテレビジョン受信装置と１台のリモートコントローラにより構成されるようにしてもよい。なお、図３３において、図１に示される場合と対応する部分には同一符号を付し、その説明は適宜省略する。
【０４０３】
図３３において、テレビジョン受信装置１０−１および１０−２は、図１に示される画像情報処理システムにおけるテレビジョン受信装置１０と同様の構成であり、同様の処理を行うので、その詳細な説明は省略する。なお、アンテナ１１−１および１１−２は、図１に示されるアンテナ１１に対応し、画像信号処理部１２−１および１２−２は、図１に示される画像信号処理部１２に対応する。
【０４０４】
リモートコントローラ２０は、テレビジョン受信装置１０−１より供給されたパラメータに基づいて、係数種データ生成部２１において、テレビ受信装置１０−１用の係数種データｗ１０乃至ｗｎ９を生成し、生成した係数種データｗ１０乃至ｗｎ９をテレビジョン受信装置１０−１に供給する。また、リモートコントローラ２０は、テレビジョン受信装置１０−２より供給されたパラメータに基づいて、係数種データ生成部２１において、テレビ受信装置１０−２用の係数種データｗ１０乃至ｗｎ９を生成し、生成した係数種データｗ１０乃至ｗｎ９をテレビジョン受信装置１０−２に供給する。
【０４０５】
リモートコントローラ２０より、テレビジョン受信装置１０−１専用の係数種データｗ１０乃至ｗｎ９を供給されたテレビジョン受信装置１０−１は、画像信号処理部１２−１において、その供給された係数種データｗ１０乃至ｗｎ９を用いて、アンテナ１１−１を介して受信した画像信号（ＳＤ信号）に画像変換処理を行い、表示部３７において、変換後の画像信号（ＨＤ信号）に対応する画像を表示する。
【０４０６】
同様に、リモートコントローラ２０より、テレビジョン受信装置１０−２専用の係数種データｗ１０乃至ｗｎ９を供給されたテレビジョン受信装置１０−２は、画像信号処理部１２−２において、その供給された係数種データｗ１０乃至ｗｎ９を用いて、アンテナ１１−２を介して受信した画像信号（ＳＤ信号）に画像変換処理を行い、表示部３７において、変換後の画像信号（ＨＤ信号）に対応する画像を表示する。
【０４０７】
これにより、複数のテレビジョン受信装置１０−１および１０−２は、１台のリモートコントローラ２０を共用して、互いに異なるＳＤ信号を、互いに異なる係数種データｗ１０乃至ｗｎ９を用いて画像変換処理を行うことができる。すなわち、リモートコントローラ２０は、テレビジョン受信装置１０−１および１０−２のそれぞれに対して、異なる係数種データｗ１０乃至ｗｎ９を供給することにより、各テレビジョン受信装置のデバイスや周囲環境に最適な画像変換処理を行わせることができる。また、ユーザが各テレビジョン受信装置に対して異なる要求をした場合においても、リモートコントローラ２０は、テレビジョン受信装置１０−１および１０−２のそれぞれに対して、異なる係数種データｗ１０乃至ｗｎ９を供給することにより、対応することができる。
【０４０８】
なお、リモートコントローラ２０は、上述した、各テレビジョン受信装置１０−１および１０−２に対して行う、係数種データｗ１０乃至ｗｎ９を生成し、供給する処理は、それぞれ独立して実行されるようにしてもよいし、連続して順番に実行されるようにしてもよいし、並列的に実行されるようにしてよい。
【０４０９】
また、以上においては、画像情報処理システムには２台のテレビジョン受信装置１０−１および１０−２が含まれるように説明したが、テレビジョン受信装置の台数は何台であってもよく、３台以上であってもよい。テレビジョン受信装置が３台以上ある場合においても、リモートコントローラ２０は、それぞれのテレビジョン受信装置に対して専用の係数種データｗ１０乃至ｗｎ９を生成し、供給する。
【０４１０】
さらに、リモートコントローラが対応可能である限り、画像情報処理システムを構成する複数のテレビジョン受信装置が、互いに異なる機能を有するようにしてもよい。
【０４１１】
図３４は、本発明を適用した画像情報処理システムの更に異なる構成例を示す図である。なお、図３４において、図１、図２５、または図２９に示される場合と対応する部分には同一符号を付し、その説明は適宜省略する。
【０４１２】
図３４において、画像情報処理システムは、図１のテレビジョン受信装置１０、図２５のテレビジョン受信装置１８０、および図２９のテレビジョン受信装置２００を有しており、さらに、これらの全てのテレビジョン受信装置に対応するリモートコントローラ２２０を有している。
【０４１３】
図１を参照して説明したように、テレビジョン受信装置１０は、リモートコントローラ２２０に係数種データｗ１０乃至ｗｎ９を生成するための各種のパラメータを供給し、リモートコントローラ２２０より、生成された係数種データｗ１０乃至ｗｎ９を取得する。そして、テレビジョン受信装置１０は、画像信号処理部１２において、リモートコントローラ２２０より供給された係数種データｗ１０乃至ｗｎ９を用いて、アンテナ１１を介して取得した画像信号（ＳＤ信号）をＨＤ信号に変換し、その画像を表示する。
【０４１４】
また、図２５を参照して説明したように、テレビジョン受信装置１８０は、リモートコントローラ２２０に係数種データｗ１０乃至ｗｎ９を生成するための各種のパラメータを供給し、リモートコントローラ２２０より、生成された係数種データｗ１０乃至ｗｎ９を取得する。そして、テレビジョン受信装置１０は、画像信号処理部１２において、リモートコントローラ２２０より供給された係数種データｗ１０乃至ｗｎ９を用いて、アンテナ１１を介して取得した画像信号（ＳＤ信号）をＨＤ信号に変換し、その画像を表示する。さらに、テレビジョン受信装置１８０は、アンテナ１１を介して受信した画像信号（ＳＤ信号）をコンテンツデータとして、リモートコントローラ２２０に供給する。
【０４１５】
さらに、図２９を参照して説明したように、テレビジョン受信装置２００は、リモートコントローラ２２０に係数種データｗ１０乃至ｗｎ９を生成するための各種のパラメータを供給する。また、テレビジョン受信装置２００は、アンテナ１１を介して受信した画像信号（ＳＤ信号）をコンテンツデータとして、リモートコントローラ２２０に供給し、リモートコントローラ２２０において変換されたコンテンツデータ（ＨＤ信号）を取得し、その画像を表示部に表示する。
【０４１６】
リモートコントローラ２２０は、上述した図２２のリモートコントローラ１７０（図１のリモートコントローラ２０を含む）、図２５のリモートコントローラ１９０、および、図２９のリモートコントローラ２１０の全ての機能を有するリモートコントローラであり、複数の係数種データ生成部１７１−１乃至１７１−ｍ、係数種データ算出部１７２、画像信号処理部１９１、並びに、出力部１９２を有する。
【０４１７】
リモートコントローラ２２０の詳細な構成については、図２３に示されるリモートコントローラ１７０の場合の構成（図１１のリモートコントローラ２０の場合の構成を含む）、図２７に示されるリモートコントローラ１９０の場合の構成（図２９のリモートコントローラ２１０を含む）を組み合わせたものであり、各部の構成およびその動作は、基本的に上述した場合と同様であるので、その説明は省略する。
【０４１８】
すなわち、リモートコントローラ２２０は、図２２のリモートコントローラ１７０（図１のリモートコントローラ２０）と同様に、テレビジョン受信装置１０より係数種データ生成のための各種のパラメータを取得すると、それらのパラメータに対応する係数種データ生成部１７１−１乃至１７１−ｍにおいて、取得したパラメータに基づいて係数種データｗ１０乃至ｗｎ９を生成する。そして、リモートコントローラ２２０は、係数種データ算出部１７２において、生成した各係数種データｗ１０乃至ｗｎ９より、テレビジョン受信装置１０に供給する係数種データｗ１０乃至ｗｎ９を算出し、算出した係数種データｗ１０乃至ｗｎ９をテレビジョン受信装置１０に供給する。
【０４１９】
また、リモートコントローラ２２０は、テレビジョン受信装置１８０に対しても、上述した、テレビジョン受信装置１０に対する処理と同様の処理を行い、生成した係数種データｗ１０乃至ｗｎ９をテレビジョン受信装置１８０に供給する。さらに、リモートコントローラ２２０は、図２５のリモートコントローラ１９０の場合と同様に、係数種データ算出部１７２において算出した係数種データｗ１０乃至ｗｎ９を、画像信号処理部１９１において保持させる。そして、リモートコントローラ２２０は、その画像信号処理部１９１において、テレビジョン受信装置１８０より供給されたコンテンツデータ（ＳＤ信号）に対して画像変換処理を行い、出力部１９２において、変換後のコンテンツデータ（ＨＤ信号）の画像を表示する。
【０４２０】
さらに、リモートコントローラ２２０は、テレビジョン受信装置２００に対して、図２９のリモートコントローラ２１０（図２２のリモートコントローラ１７０）の場合と同様に、テレビジョン受信装置２００より係数種データ生成のための各種のパラメータを取得すると、それらのパラメータに対応する係数種データ生成部１７１−１乃至１７１−ｍにおいて、取得したパラメータに基づいて係数種データｗ１０乃至ｗｎ９を生成する。そして、リモートコントローラ２２０は、係数種データ算出部１７２において、生成した各係数種データｗ１０乃至ｗｎ９より、使用する係数種データｗ１０乃至ｗｎ９を算出し、画像信号処理部１９１において保持する。そして、リモートコントローラ２２０は、その画像信号処理部１９１において、テレビジョン受信装置２００より供給されたコンテンツデータ（ＳＤ信号）に対して画像変換処理を行い、変換後のコンテンツデータ（ＨＤ信号）をテレビジョン受信装置２００に供給し、表示させる。
【０４２１】
以上のように、リモートコントローラ２２０は、複数の機能を有することにより、互いに機能の異なる複数のテレビジョン受信装置に対して、係数種データの生成や、コンテンツデータの生成等の処理を行うことができる。
【０４２２】
なお、リモートコントローラ２２０は、上述した、各テレビジョン受信装置１０、１８０、および２００に対して行う、係数種データｗ１０乃至ｗｎ９を生成し、供給する処理、または、コンテンツデータを生成し、表示若しくは供給する処理は、それぞれ独立して実行されるようにしてもよいし、連続して順番に実行されるようにしてもよいし、並列的に実行されるようにしてよい。
【０４２３】
また、以上においては、画像情報処理システムには３台のテレビジョン受信装置１０、１８０および２００が含まれるように説明したが、テレビジョン受信装置の台数は何台であってもよく、４台以上であってもよい。また、テレビジョン受信装置の機能の種類は、リモートコントローラ２２０が対応可能である限り、どのような種類であってもよいし、何種類であってもよい。
【０４２４】
図３５は、本発明を適用した画像情報処理システムの、さらに他の構成例を示す図である。
【０４２５】
図３５において、画像情報処理システムは、１台のテレビジョン受信装置２３０、並びに、２台のリモートコントローラ２４０および２５０を有している。
【０４２６】
テレビジョン受信装置２３０は、後述するように、テーブル記憶部２３１を有しており、複数のリモートコントローラ２４０および２５０の優先順位を示す優先順位テーブル２３２を記憶している。テレビジョン受信装置２３０のそれ以外の構成は、図１のテレビジョン受信装置１０の構成と同様である。
【０４２７】
リモートコントローラ２４０は、上述した図１のリモートコントローラ２０の係数種データ生成部２１と同様の構成であり、同様の処理を行う係数種データ生成部２４１の他に、記憶部９４に、各リモートコントローラを識別するための固有のＩＤ情報２４２を有している。すなわち、リモートコントローラ２４０の構成は、記憶部９４にＩＤ情報２４２を記憶している以外は、図１のリモートコントローラの構成と同様である。
【０４２８】
リモートコントローラ２５０は、上述した図１のリモートコントローラ２０の係数種データ生成部２１と同様の構成であり、同様の処理を行う係数種データ生成部２５１の他に、記憶部９４に、各リモートコントローラを識別するための固有のＩＤ情報２５２を有している。すなわち、リモートコントローラ２５０の構成は、記憶部９４にＩＤ情報２５２を記憶している以外は、図１のリモートコントローラの構成と同様である。
【０４２９】
このような画像情報処理システムにおいて、テレビジョン受信装置２３０は、図１の画像情報処理システムの場合と同様に、リモートコントローラ２４０からの要求（リモートコントローラ２４０におけるユーザ入力等）に基づいて、係数種データ生成のために必要なパラメータをリモートコントローラ２４０に供給する。同様に、テレビジョン受信装置２３０は、リモートコントローラ２５０からの要求（リモートコントローラ２５０におけるユーザ入力等）に基づいて、係数種データ生成のために必要なパラメータをリモートコントローラ２５０に供給する。
【０４３０】
リモートコントローラ２４０は、図１の画像情報処理システムの場合と同様に、係数種データ生成部２４１において、供給されたパラメータに基づいて、係数種データｗ１０乃至ｗｎ９を生成する。そして、リモートコントローラ２４０は、生成した係数種データｗ１０乃至ｗｎ９を、記憶部９４に記憶されているＩＤ情報２４２とともに、テレビジョン受信装置２３０に供給する。
【０４３１】
同様に、リモートコントローラ２５０は、係数種データ生成部２５１において、供給されたパラメータに基づいて、係数種データｗ１０乃至ｗｎ９を生成する。そして、リモートコントローラ２５０は、生成した係数種データｗ１０乃至ｗｎ９を、記憶部９４に記憶されているＩＤ情報２５２とともに、テレビジョン受信装置２３０に供給する。
【０４３２】
テレビジョン受信装置２３０は、テーブル記憶部２３１に記憶されている優先順位テーブル２３２を参照し、リモートコントローラ２４０より供給されたＩＤ情報２４２、または、リモートコントローラ２５０より供給されたＩＤ情報２５２が、現在画像信号処理部１２において保持されている係数種データｗ１０乃至ｗｎ９を供給したリモートコントローラの優先順位より上であるか否かを判定し、優先されると判定した場合、その最も優先順位の高い係数種データｗ１０乃至ｗｎ９を画像信号処理部１２において保持する。
【０４３３】
図３６は、図３５に示されるテレビジョン受信装置２３０の詳細な構成例を示す図である。なお、図３６において、図２に示されるテレビジョン受信装置１０の場合と対応する部分には同一符号を付し、その説明は適宜省略する。
【０４３４】
テレビジョン受信装置２３０のシステムコントローラ２３３には、テーブル記憶部２３１が接続されている。
【０４３５】
テーブル記憶部２３１は、ＳＲＡＭ、ＤＲＡＭ、またはＥＥＰＲＯＭ等の記憶素子により構成され、リモートコントローラの優先順位を示す優先順位テーブル２３２を記憶している。
【０４３６】
優先順位テーブル２３２は、リモートコントローラ２４０のＩＤ情報と、そのリモートコントローラの優先順位を対応づけるテーブルである。システムコントローラ２３３は、この優先順位テーブル２３２に含まれるＩＤ情報に関連付けられた優先順位に基づいて、使用する係数種データｗ１０乃至ｗｎ９を選択する。
【０４３７】
システムコントローラ２３３は、複数のリモートコントローラ２４０および２５０より供給された複数の係数種データｗ１０乃至ｗｎ９の中から、使用する係数種データを選択するために、係数種データを供給したリモートコントローラの各ＩＤ情報に基づいて、テーブル記憶部２３１に記憶されている優先順位テーブル２３２を参照する。そして、システムコントローラ２３３は、現在画像信号処理部１２において保持されている係数種データｗ１０乃至ｗｎ９が対応するリモートコントローラも含めて、最も優先順位の高いリモートコントローラが供給した係数種データｗ１０乃至ｗｎ９を、画像信号処理部１２に供給し保持させる。なお、システムコントローラ２３３のそれ以外の処理は、図２に示されるシステムコントローラ３２の場合と同様であるので、その説明を省略する。
【０４３８】
また、リモートコントローラ２４０および２５０の詳細な構成は、それぞれの記憶部９４にＩＤ情報２４２または２５２が記憶されている以外は、図１１に示されるリモートコントローラ２０の場合と同様であるので、その説明を省略する。
【０４３９】
次に、図３５の画像情報処理システムによる、係数種データ更新処理について、図３７のフローチャートを参照して説明する。なお、図３７においては、リモートコントローラ２４０がテレビジョン受信装置２３０の係数種データを更新する場合について説明するが、リモートコントローラ２５０がテレビジョン受信装置２３０の係数種データを更新する場合の処理も、基本的に同様である。
【０４４０】
ユーザがリモートコントローラ２４０の入力部９１を操作することにより、係数種データの設定の開始を指示すると、リモートコントローラ２１０は、図１５のフローチャートを参照して説明したステップＳ２１乃至Ｓ２４の処理にそれぞれ対応するステップＳ３１１乃至３１４の処理を行い、テレビジョン受信装置１８０は、図１５のフローチャートを参照して説明したステップＳ１乃至Ｓ６の処理にそれぞれ対応するステップＳ２８１乃至２８６の処理を行う。
【０４４１】
すなわち、リモートコントローラ２４０は、図１５のフローチャートの場合と同様に、パラメータの設定に関する指示をテレビジョン受信装置２００に供給した後、その指示に基づいて生成されたパラメータを受信し、そのパラメータに基づいて係数種データｗ１０乃至ｗｎ９を生成する。テレビジョン受信装置２３０は、図１５のフローチャートの場合と同様に、リモートコントローラ２１０より供給される指示に基づいてパラメータを生成し、生成したパラメータをリモートコントローラ２１０に供給する。
【０４４２】
ステップＳ３１４において、図１６のフローチャートに示されるような係数種データ生成処理を行い、係数種データ生成部２４１において係数種データｗ１０乃至ｗｎ９を生成したリモートコントローラ２４０は、記憶部９４よりＩＤ情報２４２を読み出し、ステップＳ３１５において、読み出したＩＤ情報とともに、生成された係数種データｗ１０乃至ｗｎ９をテレビジョン受信装置２３０に供給し、係数種データ更新処理を終了する。
【０４４３】
また、テレビジョン受信装置２３０のシステムコントローラ２３３は、ステップＳ２８７において、通信部３１を介して、リモートコントローラ２４０よりＩＤ情報２４２および係数種データｗ１０乃至ｗｎ９を取得すると、ステップＳ２８８において、テーブル記憶部２３１に記憶されている優先順位テーブル２３２を参照し、今回取得した係数種データｗ１０乃至ｗｎ９の供給元であるリモートコントローラ２４０の優先順位が、現在画像信号処理部１２において保持している係数種データｗ１０乃至ｗｎ９を供給したリモートコントローラの優先順位より上であるか否かを判定する。
【０４４４】
今回取得した係数種データｗ１０乃至ｗｎ９の供給元であるリモートコントローラ２４０の優先順位の方が上であると判定した場合、テレビジョン受信装置２３０のシステムコントローラ２３３は、ステップＳ２８９において、今回取得した係数種データｗ１０乃至ｗｎ９を画像信号処理部１２に供給して保持させ、係数種データ更新処理を終了する。
【０４４５】
また、ステップＳ２８８において、現在画像信号処理部１２において保持している係数種データｗ１０乃至ｗｎ９を供給したリモートコントローラの優先順位の方が上であると判定した場合、テレビジョン受信装置２３０のシステムコントローラ２３３は、ステップＳ２８９の処理を省略し、係数種データ更新処理を終了する。
【０４４６】
以上のように、テレビジョン受信装置２３０は、優先順テーブル２３２を用いることにより、各リモートコントローラの優先度を管理するので、複数のリモートコントローラからの係数種データ更新の要求に対応することができる。
【０４４７】
なお、図３５においては、リモートコントローラは、２台であるように説明したが、これに限らず、３台以上であってもよい。
【０４４８】
また、テレビジョン受信装置２３０は、ＩＤ情報およびその優先度を管理する優先度テーブル２３２を、リモートコントローラ側から制御信号に基づいて更新するようにしてもよい。これにより、テレビジョン受信装置２３０は、優先度テーブル２３２にＩＤ情報が登録されていない新たなリモートコントローラのＩＤ情報およびその優先度を、優先度テーブル２３２に登録することができる。また、テレビジョン受信装置２３０が、ユーザの指示等に基づいて、優先度テーブル２３２におけるＩＤ情報に対応する優先度の順番を変更できるようにしてもよい。また、例えば、使用頻度等に応じて、優先度テーブル２３２におけるＩＤ情報に対応する優先度の順番が変更されるようにしてもよい。
【０４４９】
図３５において、画像情報処理システムは、１台のテレビジョン受信装置２３０を有するように説明したが、例えば、図３８に示されるように、２台のテレビジョン受信装置２６０および２７０を有するようにしてもよい。
【０４５０】
図３８において、テレビジョン受信装置２６０および２７０の構成は、図３５に示されるテレビジョン受信装置２３０と同様であるので、その説明は省略する。なお、テレビジョン受信装置２６０および２７０は、それぞれ、優先順位テーブル２６１および２７１を有する。これらの優先順位テーブル２６１または２７１は、それぞれ、テレビジョン受信装置２６０または２７０において生成されたものであり、それらに登録されているリモートコントローラのＩＤ情報、およびその優先順位は互いに独立している。
【０４５１】
例えば、図３８に示されるように、テレビジョン受信装置２６０が有する優先順位テーブル２６１においては、リモートコントローラ２４０のＩＤ情報２４２およびリモートコントローラ２５０のＩＤ情報２５２が登録されており、リモートコントローラ２４０のＩＤ情報２４２の方が、リモートコントローラ２５０のＩＤ情報２５２より優先順位が高く登録されているが、テレビジョン受信装置２７０が有する優先順位テーブル２７１においては、リモートコントローラ２４０のＩＤ情報２４２およびリモートコントローラ２５０のＩＤ情報２５２が登録されており、リモートコントローラ２５０のＩＤ情報２５２の方が、リモートコントローラ２４０のＩＤ情報２４２より優先順位が高く登録されている。
【０４５２】
すなわち、この場合の画像情報処理システムにおいては、テレビジョン受信装置ごとに優先順位テーブルが作成され、リモートコントローラの優先順位が管理される。従って、各テレビジョン受信装置が管理するリモートコントローラの台数が異なる場合もある。
【０４５３】
なお、画像情報処理システムが有するテレビジョン受信装置の数は３台以上であってもよいし、リモートコントローラの数も３台以上であってもよい。
【０４５４】
また、図３８のテレビジョン受信装置２６０および２７０が接続されるようにし、テレビジョン受信装置２６０および２７０において、共通の優先順位テーブルを管理するようにしてもよい。その場合、テレビジョン受信装置２６０および２７０は、所定のタイミングで、それぞれが有する優先順位テーブル２６１および２７１の内容を比較し、内容が異なる場合は、それぞれが有する優先順位テーブル２６１または２７１を更新する。
【０４５５】
以上のように、画像情報処理システムにおいて、リモートコントローラが、テレビジョン受信装置が受信する画像信号を変換処理する際に必要な係数を創造する係数創造機能、または、テレビジョン受信装置が受信した画像信号に対して変換処理を行い、新たなコンテンツデータを創造するコンテンツ創造機能を有することにより、画像情報処理システムは、より効果的に、よりユーザの嗜好に合わせて、コンテンツデータに画像変換処理を行うことができる。
以上においては、画像情報処理システムのリモートコントローラが係数種データ生成部を有し、テレビジョン受信装置が受信する画像信号を変換する際に必要な係数種データを生成するように説明したが、これに限らず、テレビジョン受信装置が係数種データ生成部を有するようにしてもよい。
【０４５６】
図３９は、本発明を適用した画像情報処理システムの、さらに他の構成例を示す図である。なお、図３９において、図１に示される画像情報処理システムの場合と対応する部分には同一符号を付し、その説明は適宜省略する。
【０４５７】
図３９において、テレビジョン受信装置２８０は、画像信号処理部１２において用いられる係数種データｗ１０乃至ｗｎ９を生成する係数種データ生成部２８１を有している。係数種データ生成部２８１の詳細な構成例は、図１２を参照して説明した係数種データ生成部２１の場合と同様であるので、その説明は省略する。
【０４５８】
また、リモートコントローラ２９１は、図１１に示されるリモートコントローラ２０より係数種データ生成部２１を削除した構成であるので、その説明を省略する。
【０４５９】
図３９において、リモートコントローラ２９１は、ユーザ入力等に基づいて、係数種データｗ１０乃至ｗｎ９を生成するパラメータに関する指示、または、パラメータ自体をテレビジョン受信装置２８０に供給する。
【０４６０】
テレビジョン受信装置２８０は、リモートコントローラ２９１より供給されたパラメータに関する指示等に基づいて生成したパラメータ、または、リモートコントローラ２９１より供給されたパラメータを用いて、係数種データ生成部２８１において、係数種データｗ１０乃至ｗｎ９を生成する。そして、テレビジョン受信装置２８０は、生成した係数種データｗ１０乃至ｗｎ９を用いて、画像信号処理部１２において、アンテナ１１を介して受信した画像信号に変換処理を施す。
【０４６１】
以上のようにすることにより、リモートコントローラ２９１の回路規模の増大を抑制したまま、画像情報処理システムは、より効果的に、よりユーザの嗜好に合わせて、コンテンツデータに画像変換処理を行うことができる。
【０４６２】
さらに、図４０に示されるように、上述したテレビジョン受信装置２８０を、他のテレビジョン受信装置と接続されるようにしてもよい。
【０４６３】
図４０において、テレビジョン受信装置２８０は、通信部３１を介して、ネットワーク２９２に接続されている。また、ネットワーク２９２には、テレビジョン受信装置２８０の他に、テレビジョン受信装置１０および２００が、それぞれの通信部３１を介して接続されている。
【０４６４】
なお、図４０において、テレビジョン受信装置２８０が有するアンテナ１１−１、テレビジョン受信装置１０が有するアンテナ１１−２、および、テレビジョン受信装置２００が有するアンテナ１１−３は、いずれも、図１に示されるテレビジョン受信装置１０のアンテナ１１と同様の構成であり、同様の処理を行う。
【０４６５】
また、図４０において、テレビジョン受信装置２８０が有する画像信号処理部１２−１、および、テレビジョン受信装置１０が有する画像信号処理部１２−２は、いずれも、図１に示されるテレビジョン受信装置１０の画像信号処理部１２と同様の構成であり、同様の処理を行う。
【０４６６】
テレビジョン受信装置２８０は、係数種データ生成部２８１において生成された係数種データｗ１０乃至ｗｎ９を、ネットワーク２９２を介して、テレビジョン受信装置１０に供給する。テレビジョン受信装置１０は、テレビジョン受信装置２８０より供給された係数種データｗ１０乃至ｗｎ９を用いて、画像信号処理部１２−２において、アンテナ１１−２を介して取得した画像信号に変換処理を施す。
【０４６７】
また、テレビジョン受信装置２８０は、係数種データ生成部２８１において生成された係数種データｗ１０乃至ｗｎ９を用いて、画像信号処理部１２−１において、アンテナ１１−１を介して取得した画像信号に変換処理を施し、変換された画像信号を、コンテンツデータとして、ネットワーク２９２を介してテレビジョン受信装置２００に供給する。テレビジョン受信装置２００は、テレビジョン受信装置２８０より供給されたコンテンツデータに対応する画像を、その表示部３７に表示させる。
【０４６８】
さらに、テレビジョン受信装置２００は、アンテナ１１−３を介して受信した画像信号を、コンテンツデータとして、ネットワーク２９２を介してテレビジョン受信装置２８０に供給する。テレビジョン受信装置２８０は、テレビジョン受信装置２００より供給されたコンテンツデータに対して、画像信号処理部１２−１において変換処理を施し、新たなコンテンツデータを生成し、その変換後のコンテンツデータを、ネットワーク２９２を介してテレビジョン受信装置２００に供給する。テレビジョン受信装置２００は、テレビジョン受信装置２８０より供給されたコンテンツデータに対応する画像を、その表示部３７に表示させる。
【０４６９】
以上のように、テレビジョン受信装置２８０と他のテレビジョン受信装置を接続することにより、複数のテレビジョン受信装置間において、コンテンツデータを共有したり、コンテンツデータを変換するための係数種データを共有したりすることができ、画像情報書誌システムは、複数のテレビジョン受信装置において、より効果的に、よりユーザの嗜好に合わせて画像変換処理されたコンテンツデータを表示させることができる。
【０４７０】
なお、以上において、有線通信により接続されるように説明した各装置は、無線通信により接続されるようにしてもよいし、逆に、無線通信により接続されるように説明した各装置は、有線通信により接続されるようにしてもよい。
【０４７１】
また、以上に説明したテレビジョン受信装置およびリモートコントローラは、上述した機能を有する限り、上述した以外のどのような機能を有するようにしてもよい。
【０４７２】
以上のように、いずれの実施例の場合においても、リモートコントローラまたはテレビジョン受信装置のいずれかが、画像信号を変換処理する際に必要な係数を創造（係数創造）し、画像信号に対して変換処理を行い、新たなコンテンツデータを創造（コンテンツデータ創造）することにより、画像情報処理システムは、より効果的に、よりユーザの嗜好に合わせて、コンテンツデータに画像変換処理を行うことができる。
【０４７３】
上述した一連の処理は、ハードウェアにより実行させることもできるし、上述したようにソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体等からインストールされる。
【０４７４】
図４１は、上述した処理を実行するパーソナルコンピュータの内部構成例を示す図である。
【０４７５】
パーソナルコンピュータ３００のＣＰＵ３０１は、ＲＯＭ３０２に記憶されているプログラムに従って各種の処理を実行する。ＲＡＭ３０３には、ＣＰＵ３０１が各種の処理を実行する上において必要なデータやプログラムなどが適宜記憶される。
【０４７６】
ＣＰＵ３０１、ＲＯＭ３０２、およびＲＡＭ３０３は、バス３０４を介して相互に接続されている。このバス３０４にはまた、入出力インタフェース３１０も接続されている。
【０４７７】
入出力インタフェース３１０は、キーボードやマウスから構成される入力部３１１が接続され、入力部３１１に入力された信号をＣＰＵ３０１に出力する。また、入出力インタフェース３１０には、ディスプレイやスピーカなどから構成される出力部３１２も接続されている。
【０４７８】
さらに、入出力インタフェース３１０には、ハードディスクなどから構成される記憶部３１３、および、インターネットなどのネットワークを介して他の装置とデータの通信を行う通信部３１４も接続されている。ドライブ３１５は、磁気ディスク、光ディスク、光磁気ディスク、または半導体メモリなどの記録媒体からなるリムーバブルメディア３２１よりデータを読み出したり、データを書き込んだりするときに用いられる。
【０４７９】
記録媒体は、図４１に示されるように、パーソナルコンピュータとは別に、ユーザにプログラムを提供するために配布される、プログラムが記録されている磁気ディスク（フレキシブルディスクを含む）、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ）を含む）、光磁気ディスク（ＭＤ（Ｍｉｎｉ−Ｄｉｓｃ）（登録商標）を含む）、若しくは半導体メモリなどよりなるパッケージメディアを含むリムーバブルメディア３２１により構成されるだけでなく、コンピュータに予め組み込まれた状態でユーザに提供される、プログラムが記憶されているＲＯＭ３０２や記憶部３１３が含まれるハードディスクなどで構成される。
【０４８０】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０４８１】
【発明の効果】
以上のように、本発明によれば、画像信号を変換処理することができる。特に、より効果的に、よりユーザの嗜好に合わせて、コンテンツデータに画像変換処理を行うことができる。
【図面の簡単な説明】
【図１】本発明を適用した画像情報処理システムの構成例を示すブロック図である。
【図２】図１のテレビジョン受信装置の詳細な構成例を示す図である。
【図３】５２５ｉ信号と１０５０ｉ信号の画素位置関係を示す図である。
【図４】図２の画像信号処理部の構成例を示すブロック図である。
【図５】ＨＤ信号（１０５０ｉ信号）の単位画素ブロック内の４画素の中心予測タップからの位相ずれ（奇数フィールド）を示す図である。
【図６】ＨＤ信号（１０５０ｉ信号）の単位画素ブロック内の４画素の中心予測タップからの位相ずれ（偶数フィールド）を示す図である。
【図７】図４の履歴情報記憶部の構成を示すブロック図である。
【図８】画質を調整するためのユーザインターフェース例を示す図である。
【図９】図７の調整画面を拡大して示した図である。
【図１０】係数種データの生成方法の一例を示す図である。
【図１１】図１のリモートコントローラの詳細な構成例を示すブロック図である。
【図１２】図１１の係数種データ生成部の構成例を示すブロック図である。
【図１３】図１２のＳＤ信号生成部の構成例を示すブロック図である。
【図１４】解像度調整範囲の変化を説明するための図である。
【図１５】図１の画像情報処理システムによる係数種データ更新処理について説明するフローチャートである。
【図１６】図１のリモートコントローラによる係数種データ生成処理について説明するフローチャートである。
【図１７】図１のテレビジョン受信装置による画像信号処理について説明するフローチャートである。
【図１８】図１２のＳＤ信号生成部の、他の構成例を示すブロック図である。
【図１９】係数種データの生成方法の他の例を示す図である。
【図２０】図１１の係数種データ生成装置の、他の構成例を示すブロック図である。
【図２１】図１のリモートコントローラによる係数種データ生成処理の他の例について説明するフローチャートである。
【図２２】本発明を適用した画像情報処理システムの他の構成例を示す図である。
【図２３】図２２のリモートコントローラの構成例を示す図である。
【図２４】図２２の画像情報処理システムによる係数種データ更新処理について説明するフローチャートである。
【図２５】本発明を適用した画像情報処理システムの、さらに他の構成例を示す図である。
【図２６】図２５のテレビジョン受信装置の詳細な構成例を示すブロック図である。
【図２７】図２５のリモートコントローラの詳細な構成例を示すブロック図である。
【図２８】図２５の画像情報処理システムによる係数種データ更新処理について説明するフローチャートである。
【図２９】本発明を適用した画像情報処理システムの、さらに他の構成例を示す図である。
【図３０】図２９のテレビジョン受信装置の詳細な構成例を示すブロック図である。
【図３１】図２９の画像情報処理システムによる係数種データ更新処理について説明するフローチャートである。
【図３２】図２９の画像情報処理システムによる画像信号処理について説明するフローチャートである。
【図３３】本発明を適用した画像情報処理システムの、さらに他の構成例を示す図である。
【図３４】本発明を適用した画像情報処理システムの、さらに他の構成例を示す図である。
【図３５】本発明を適用した画像情報処理システムの、さらに他の構成例を示す図である。
【図３６】図３５のテレビジョン受信装置の詳細な構成例を示すブロック図である。
【図３７】図３５の画像情報処理システムによる係数種データ更新処理について説明するフローチャートである。
【図３８】本発明を適用した画像情報処理システムの、さらに他の構成例を示す図である。
【図３９】本発明を適用した画像情報処理システムの、さらに他の構成例を示す図である。
【図４０】本発明を適用した画像情報処理システムの、さらに他の構成例を示す図である。
【図４１】パーソナルコンピュータの構成例を示すブロック図である。
【符号の説明】
１０  テレビジョン受信装置，  １２  画像信号処理部，  ２０  リモートコントローラ，  ２１  係数種データ生成部，  ３２  システムコントローラ，  ９２  システムコントローラ，  １５１  係数種データ生成部，  １７０  リモートコントローラ，  １７１−１乃至１７１−ｍ  係数種データ生成部，  １７２  係数種データ算出部，  １８０  テレビジョン受信装置，  １８２  システムコントローラ，  １９０  リモートコントローラ，  １９１  画像信号処理部，  １９２  出力部，  １９３  システムコントローラ，  ２００  テレビジョン受信装置，  ２０２  システムコントローラ，  ２１０  リモートコントローラ，  ２２０  リモートコントローラ，  ２３０  テレビジョン受信装置，  ２３１  テーブル記憶部，  ２３２  優先順位テーブル，  ２３３  システムコントローラ，  ２４０  リモートコントローラ，  ２４１  係数種データ生成部，２４２  ＩＤ情報，  ２５０  リモートコントローラ，  ２５１  係数種データ生成部，  ２５２  ＩＤ情報，  ２６０  テレビジョン受信装置，  ２６１  優先順位テーブル，  ２７０  テレビジョン受信装置，  ２７１  優先順位テーブル，  ２８０  テレビジョン受信装置，  ２８１  係数種データ生成部，  ２９１リモートコントローラ，  ３００  パーソナルコンピュータ，  ３２１  リムーバブルメディア
【図１】
2004247991.tif 000033
【図２】
2004247991.tif 000034
【図３】
2004247991.tif 000035
【図４】
2004247991.tif 000036
【図５】
2004247991.tif 000037
【図６】
2004247991.tif 000038
【図７】
2004247991.tif 000039
【図８】
2004247991.tif 000040
【図９】
2004247991.tif 000041
【図１０】
2004247991.tif 000042
【図１１】
2004247991.tif 000043
【図１２】
2004247991.tif 000044
【図１３】
2004247991.tif 000045
【図１４】
2004247991.tif 000046
【図１５】
2004247991.tif 000047
【図１６】
2004247991.tif 000048
【図１７】
2004247991.tif 000049
【図１８】
2004247991.tif 000050
【図１９】
2004247991.tif 000051
【図２０】
2004247991.tif 000052
【図２１】
2004247991.tif 000053
【図２２】
2004247991.tif 000054
【図２３】
2004247991.tif 000055
【図２４】
2004247991.tif 000056
【図２５】
2004247991.tif 000057
【図２６】
2004247991.tif 000058
【図２７】
2004247991.tif 000059
【図２８】
2004247991.tif 000060
【図２９】
2004247991.tif 000061
【図３０】
2004247991.tif 000062
【図３１】
2004247991.tif 000063
【図３２】
2004247991.tif 000064
【図３３】
2004247991.tif 000065
【図３４】
2004247991.tif 000066
【図３５】
2004247991.tif 000067
【図３６】
2004247991.tif 000068
【図３７】
2004247991.tif 000069
【図３８】
2004247991.tif 000070
【図３９】
2004247991.tif 000071
【図４０】
2004247991.tif 000072
【図４１】
2004247991.tif 000073